(57)【要約】      （修正有）【課題】基板ケースに貼付された封印シールが剥離された後に再度貼付されても、基板ケースが開封されたことを容易に判別することができる遊技機を提供する。【解決手段】遊技制御基板を収納可能な基板ケースを構成するベース部材とカバー部材とを封止状態とするための封印シール４００は、溶剤Ａが用いられたときに該溶剤Ａが使用された痕跡を示す第１溶剤使用表示部４５０Ａ〜４５０Ｄと、溶剤Ｂが用いられたときに該溶剤Ｂが使用された痕跡を示す第２溶剤使用表示部４６０Ａ〜４６０Ｄとを有し、基板ケースに貼付されたときに、遊技制御基板の基板側コネクタと配線フックやリール中継基板等の配線保持部とを結ぶ直線に重ならない位置またはその近傍位置に第１溶剤使用表示部４５０Ａ〜４５０Ｄ、第２溶剤使用表示部４６０Ａ〜４６０Ｄが配置され、経時変化により発色する色（例えば、赤色）とは異なる色（例えば、青色）に発色するシール基材４０１を含む。【選択図】図１５
2014213184.tif 000002
【特許請求の範囲】
【請求項１】
所定の遊技を行うことが可能な遊技機であって、
前記遊技機の背面側に設置される複数の電気部品と、
前記複数の電気部品を電気的に接続する配線と、
回路基板を収納する第１被覆体及び第２被覆体からなる基板ケースと、
前記第１被覆体と前記第２被覆体とを封止状態とするために用いられる封印シールと、
を備え、
前記封印シールは、
該封印シールの粘着力を低下させるために所定の溶剤が用いられたときに該溶剤が使用された痕跡を示す溶剤使用表示部を有し、
前記基板ケースに貼付されたときに前記配線と重ならない部分に前記溶剤使用表示部が配置され、
該封印シールの粘着力を低下させるために所定の溶剤が用いられたときに発色する溶剤発色紙からなり、
前記溶剤発色紙は、該溶剤発色紙の経時変化により発色する色とは異なる色に発色する
ことを特徴とする遊技機。
【発明の詳細な説明】
【技術分野】
【０００１】
本発明は、所定の遊技を行うことが可能な遊技機に関する。
【背景技術】
【０００２】
パチンコ遊技機やスロットマシン等の遊技機には、遊技の制御を行う遊技制御基板（回路基板）等の多数の回路基板が設けられている。回路基板には、ＣＰＵ、ＲＡＭ、ＲＯＭ等を含む制御用マイクロコンピュータが実装されているとともに、遊技の進行を制御するプログラム（遊技制御プログラム）はＲＯＭに格納されている。搭載されているマイクロコンピュータが不正プログラムが書き込まれたマイクロコンピュータに交換されると、不正に景品を払い出させることが可能になる。
【０００３】
例えば、大当り遊技状態等の遊技者に遊技価値が付与されているときには、遊技者が景品を得やすくなっている。そのために、ＣＰＵが実行する遊技制御プログラムを、「大当り」が発生しやすいように改変する行為がある。改変された不正プログラムによって遊技制御等が実行されないように、マイクロコンピュータには、一般に、プログラムが正当なものであるか否かを判定するセキュリティチェック機能が組み込まれている。そして、マイクロコンピュータは、セキュリティチェック機能によってプログラムが正当なものでないと判断された場合には、遊技制御プログラム等を実行しないように構成されている。
【０００４】
しかし、プログラムを内蔵した正規のマイクロコンピュータを取り外して、大当りを生じさせやすい不正プログラムを内蔵したマイクロコンピュータを搭載してしまうといった不正行為が考えられる。そのような不正プログラムを内蔵したマイクロコンピュータでは、セキュリティチェック機能が存在しないか、または、存在しても不正プログラムを正当なプログラムと判定するように改変されている。従って、セキュリティチェック機能だけでは、不正プログラムによる遊技を防止することができない虞がある。
【０００５】
そこで、この種の回路基板を、ベース体（第１被覆体）とカバー体（第２被覆体）とからなる基板ケースに収納するとともに、封印シールを貼付することにより開封された場合にはその痕跡が残るように封止状態とすることで、回路基板に不正行為が行われた可能性があることを容易に発見することができるようにしたものがある。
【０００６】
この種の基板ケースを備える遊技機として、固有ＩＤ等の識別情報が記憶されたＩＣチップ部及びアンテナ部を含む電子タグが埋め込まれた封印シールにより封止状態とし、遊技店の管理者などがリーダ装置などの読取装置によりＩＣチップ部に記憶された識別情報の読取作業を行うことで、基板ケースを開封して不正な回路基板に交換した後、偽造した封印シールを貼付するといった不正行為が発生したか否かを目視によらず確認できるようにしたもの等があった（例えば、特許文献１参照）。
【先行技術文献】
【特許文献】
【０００７】
【特許文献１】特開２００８−１７９１４号公報
【発明の概要】
【発明が解決しようとする課題】
【０００８】
上記特許文献１に記載の遊技機のように、封印シールにより封止状態とする場合、第３者が貼付されている封印シールを例えば溶剤などを使用して剥離することにより基板ケースを開封して不正な回路基板に交換した後、該剥離した封印シールを粘着剤により再度貼付して封止状態とすることがあり、このような場合、基板ケースが開封されたことを判別できなくなる虞があった。
【０００９】
本発明は、このような問題点に着目してなされたもので、基板ケースに貼付された封印シールが剥離された後に再度貼付されても、基板ケースが開封されたことを容易に判別することができる遊技機を提供することを目的とする。
【課題を解決するための手段】
【００１０】
前記課題を解決するために、本発明の請求項１に記載の遊技機は、
所定の遊技を行うことが可能な遊技機（例えば、スロットマシン１／パチンコ遊技機１００１）であって、
前記遊技機の背面側（例えば、筐体１ａの内部／パチンコ遊技機１００１の背面）に設置される複数の電気部品（例えば、各種スイッチ、センサ、ソレノイド、モータ、ＬＥＤ等）と、
前記複数の電気部品を電気的に接続する配線（例えば、ケーブル６００ａ〜６００ｃ、６００ｋ／ケーブル１７００）と、
回路基板（例えば、遊技制御基板４０／主基板１０３１）を収納する第１被覆体（例えば、ベース部材２０１／ベース部材１２０１）及び第２被覆体（例えば、カバー部材２０２／カバー部材１２０２）からなる基板ケース（例えば、基板ケース２００／基板ケース１２００）と、
前記第１被覆体と前記第２被覆体とを封止状態（例えば、基板ケースが開封されたらその痕跡が残るように閉鎖した第２封止状態）とするために用いられる封印シール（例えば、封印シール４００／封印シール１４００）と、
を備え、
前記封印シールは、
該封印シールの粘着力を低下させるために所定の溶剤が用いられたときに該溶剤が使用された痕跡を示す溶剤使用表示部（例えば、所定の剥離液（例えば、溶剤Ａや溶剤Ｂなど）と接触することにより該剥離液に溶解する特殊インクにて印刷形成された第１溶剤使用表示部４５０Ａ〜４５０Ｄ、第２溶剤使用表示部４６０Ａ〜４６０Ｄ／第１溶剤使用表示部１４５０Ａ〜１４５０Ｄ、第２溶剤使用表示部１４６０Ａ〜１４６０Ｄ）を有し、
前記基板ケースに貼付されたときに前記配線と重ならない部分に前記溶剤使用表示部が配置され（例えば、図１４に示すように、封印シール４００は、基板ケース２００に貼付されたときに、遊技制御基板４０の基板側コネクタと配線フックＨＦやリール中継基板１２０等の配線保持部とを結ぶ直線に重ならない位置またはその近傍位置に配置されている／図２４に示すように、封印シール１４００は、基板ケース１２００に貼付されたときに、主基板１０３１の基板側コネクタと配線挿通部１７５０等の配線保持部とを結ぶ直線上に重ならない位置またはその近傍位置に配置されている）、
該封印シールの粘着力を低下させるために所定の溶剤が用いられたときに発色する溶剤発色紙（例えば、予め混入された無数のマイクロカプセル４０１ａ，４０１ｂが溶剤Ａ，Ｂに接触することにより溶解して内封されている青色インクが流出することにより青色に発色するシール基材４０１／シール基材１４０１）からなり、
前記溶剤発色紙は、該溶剤発色紙の経時変化（例えば、経年劣化）により発色する色（例えば、赤色）とは異なる色（例えば、青色）に発色する
ことを特徴としている。
この特徴によれば、溶剤を使用して封印シールの粘着力を低下させようとした場合、該封印シールの溶剤使用表示部に該溶剤が使用された痕跡が残ることで、溶剤を使用して封印シールの粘着力を低下させようとしたことがわかるようになるため、溶剤により剥離した封印シールを再度貼付するといった不正行為を抑制できるとともに、溶剤使用表示部が配線により隠れてしまうことがないので、溶剤使用表示部の視認性が損なわれることが防止される。また、溶剤を使用して封印シールの粘着力を低下させたときに溶剤発色紙が発色する色が、経時変化より発色する色とは異なることで、溶剤発色紙が溶剤により発色したものか経時変化により発色したものかを判断しやすくなる。
【００１１】
本発明の手段１に記載の遊技機は、請求項１に記載の遊技機であって、
前記第１被覆体（例えば、ベース部材２０１／ベース部材１２０１）に設けられた第１被覆体側封印シール貼付部（例えば、ベース側封印部２２９／ベース側封印部１２２９）と、前記第２被覆体（例えば、カバー部材２０２／カバー部材１２０２）に設けられた第２被覆体側封印シール貼付部（例えば、カバー側封印部２２４／カバー側封印部１２２４）と、を含む封印シール貼付部を備え、
前記封印シールが前記第１被覆体側封印シール貼付部と前記第２被覆体側封印シール貼付部とに跨るように貼付されたときに該第１被覆体側封印シール貼付部と該第２被覆体側封印シール貼付部との境界部（例えば、境界部Ｚ）に位置しない部分に前記溶剤使用表示部が配置されている（例えば、図１５（ａ）に示すように、封印シール４００は、基板ケース２００に貼付されたときに境界部Ｚに掛からない位置に第１溶剤使用表示部４５０Ａ〜４５０Ｄ、第２溶剤使用表示部４６０Ａ〜４６０Ｄが印刷されている。／図３３（ａ）に示すように、封印シール１４００は、基板ケース１２００に貼付されたときに境界部Ｚに掛からない位置に第１溶剤使用表示部１４５０Ａ〜１４５０Ｄ、第２溶剤使用表示部１４６０Ａ〜１４６０Ｄが印刷されている。）
ことを特徴としている。
この特徴によれば、封止状態としたときに溶剤使用表示部が境界部に掛かることがないので、例えば、遊技店において回路基板の検査等のために封印シールを破断して基板ケースを開放したことにより溶剤使用表示部が破断してしまうことで、それ以前に溶剤と接触した痕跡が表れていたことが判りにくくなってしまうことが防止される。
【００１２】
本発明の手段２に記載の遊技機は、請求項１または手段１に記載の遊技機であって、
前記溶剤使用表示部は、前記封印シール（例えば、封印シール４００）が前記基板ケース（例えば、基板ケース２００）に貼付されたときに前記回路基板（例えば、遊技制御基板４０）において制御用マイクロコンピュータ｛例えば、メイン制御部４１（ＣＰＵ４１ａ、ＲＯＭ４１ｂ、ＲＡＭ４１ｃ、Ｉ／Ｏポート４１ｄ）｝が実装される実装面（例えば、実装面４０ａ）と同方向を向く部分に配置されている（例えば、図１５（ａ）に示すように、封印シール４００は、基板ケース２００に貼付されたときに実装面４０ａと同方向（上方）を向く部分である上部領域Ｒ１に第１溶剤使用表示部４５０Ａが配置されている）
ことを特徴としている。
この特徴によれば、溶剤使用表示部及び制御用マイクロコンピュータの実装面の双方を一緒に視認することができることで、溶剤使用表示部及び制御用マイクロコンピュータに対する不正行為の確認作業を容易に行うことが可能となるため、作業負担を軽減できる。
【００１３】
本発明の手段３に記載の遊技機は、請求項１、手段１、手段２のいずれかに記載の遊技機であって、
前記封印シール（例えば、封印シール４００／封印シール１４００）は、各々を識別可能な識別情報（例えば、シリアル番号や２次元バーコードなど）が表示された識別情報表示部（例えば、第１識別情報表示部４５１／第１識別情報表示部１４５１、第２識別情報表示部４５２／第２識別情報表示部１４５２）を有し、
前記基板ケースに貼付されたときに互いに同方向を向く部分に前記溶剤使用表示部と前記識別情報表示部とが配置されている（例えば、図１５（ａ）に示すように、封印シール４００は、基板ケース２００に貼付されたときに互いに同方向（上方）を向く部分である上部領域Ｒ１に第１溶剤使用表示部４５０Ａと第１識別情報表示部４５１及び第２識別情報表示部４５２とが配置されている。／図３３（ａ）に示すように、封印シール１４００は、基板ケース１２００に貼付されたときに互いに同方向（右側方）を向く部分である右側方領域Ｒ１０に第１溶剤使用表示部１４５０Ａ，１４５０Ｂと第１識別情報表示部１４５１及び第２識別情報表示部１４５２とが配置されている）
ことを特徴としている。
この特徴によれば、溶剤使用表示部及び識別情報表示部の双方を一緒に視認することができることで、溶剤使用表示部及び識別情報表示部の確認作業を容易に行うことが可能となるため、作業負担を軽減できる。
【００１４】
本発明の手段４に記載の遊技機は、請求項１、手段１〜手段３のいずれかに記載の遊技機であって、
前記封印シール（例えば、封印シール４００／封印シール１４００）の所定箇所には、該封印シールの強度が他の部分よりも低い脆弱部（例えば、切り込み４０８Ａ，４０８Ｂ／切り込み１４０８Ａ，１４０８Ｂ）が設けられている
ことを特徴としている。
この特徴によれば、封印シールを剥離する際に脆弱部が破断しやすくなるので、溶剤により剥離した封印シールを再度貼付するといった不正行為を抑制できる。
【００１５】
本発明の手段５に記載の遊技機は、請求項１、手段１〜手段４のいずれかに記載の遊技機であって、
前記封印シール（例えば、封印シール４００／封印シール１４００）は、各々を識別可能な識別情報が表示された識別情報表示部を有し、
前記識別情報表示部は、当該封印シールの識別情報（例えば、シリアル番号など）が目視にて読み取り可能に表示された第１識別情報表示部（例えば、第１識別情報表示部４５１／第１識別情報表示部１４５１）と、当該封印シールの識別情報（例えば、２次元バーコードなど）が符号化されることにより所定の読取装置にて読み取り可能な第２識別情報表示部（例えば、第２識別情報表示部４５２／第２識別情報表示部１４５２）と、を含む
ことを特徴としている。
この特徴によれば、第１識別情報表示部とは別個に、所定の読取装置でしか読み取ることができない第２識別情報表示部が設けられていることで、第２識別情報表示部から識別情報を読み取ることが困難化され、封印シールの偽造に手間がかかるようになるため、セキュリティ性が向上する。
【００１６】
本発明の手段６に記載の遊技機は、請求項１、手段１〜手段５のいずれかに記載の遊技機であって、
前記基板ケース（例えば、基板ケース２００／基板ケース１２００）は、前記封印シール（例えば、封印シール４００／封印シール１４００）が貼付される封印シール貼付部（例えば、ベース側封印部２２９、カバー側封印部２２４／ベース側封印部１２２９、カバー側封印部１２２４）を有し、
前記封印シール貼付部の周囲には、貼付された封印シールの周囲を囲むように周壁部（例えば、凸条４１１，４２１／凸条１４１１，１４２１）が形成されている
ことを特徴としている。
この特徴によれば、封印シールを剥離する際に周囲の周壁部が邪魔になって剥離しにくくなるため、溶剤により剥離した封印シールを再度貼付するといった不正行為を抑制できる。
【図面の簡単な説明】
【００１７】
【図１】本発明を適用した実施例１としてのスロットマシンの正面図である。
【図２】スロットマシンの内部構造図である。
【図３】スロットマシンの構成を示すブロック図である。
【図４】遊技制御基板と該遊技制御基板に接続される遊技用電気部品との配線接続状態を示す概略図である。
【図５】筐体に対するケース支持装置及び基板ケースの取付状況を示す分解斜視図である。
【図６】基板ケースの構造を示す分解斜視図である。
【図７】ベース部材を示す図である。
【図８】カバー部材を示す図である。
【図９】カバー部材とベース部材とが組み付けられた基板ケースを示す斜視図である。
【図１０】（ａ）は図９のＡ−Ａ断面図であり、（ｂ）は図９のＢ−Ｂ断面図である。
【図１１】可動ベースを示す斜視図である。
【図１２】（ａ）はケース支持装置に基板ケースが取り付けられた状態を示す正面図であり、（ｂ）は（ａ）の側面図である。
【図１３】（ａ）は図１２のＦ−Ｆ断面図、（ｂ）は図１２のＧ−Ｇ断面図である。
【図１４】（ａ）は基板ケースが第１回動規制位置にある状態、（ｂ）は基板ケースが第２回動規制位置にある状態を示す斜視図である。
【図１５】（ａ）は封印シールを示す正面図、（ｂ）は（ａ）のＨ−Ｈ断面図である。
【図１６】（ａ）は溶剤Ａにより第１溶剤使用表示部のインクが溶解した状態を示す図であり、（ｂ）は溶剤Ｂにより第２溶剤使用表示部のインクが溶解した状態を示す図である。
【図１７】経年劣化によりシール基材が発色した状態を示す図である。
【図１８】溶剤Ａ、溶剤Ｂが使用された場合と経年劣化時における第１溶剤使用表示部、第２溶剤使用表示部、シール基材の変化を示す説明図である。
【図１９】（ａ）は封印部を斜め前から見た状態を示す拡大斜視図、（ｂ）は封印部を斜め後ろから見た状態を示す拡大斜視図である。
【図２０】（ａ）は封印シール周辺を拡大して示す正面図、（ｂ）は側面図、（ｃ）は背面図である。
【図２１】図２０（ａ）のＲ−Ｒ断面図である。
【図２２】図２１のＴ−Ｔ断面図である。
【図２３】パチンコ遊技機を示す正面図である。
【図２４】パチンコ遊技機を示す背面図である。
【図２５】遊技制御基板（主基板）の回路構成例を示すブロック図である。
【図２６】主基板ケースの構造を示す分解斜視図である。
【図２７】ベース部材を示す図である。
【図２８】カバー部材を示す図である。
【図２９】カバー部材とベース部材とが組み付けられた主基板ケースを示す斜視図である。
【図３０】（ａ）は主基板ケースの封印部を封印した状態を示す正面図であり、（ｂ）は主基板ケースの封印部を示す側面図である。
【図３１】（ａ）はシール保護カバーを示す斜視図であり、（ｂ）は（ａ）のＸ−Ｘ断面図であり、（ｃ）は（ａ）のＷ−Ｗ断面図である。
【図３２】（ａ）は図３０（ｂ）のＶ−Ｖ断面図であり、（ｂ）は（ａ）のＹ−Ｙ断面図である。
【図３３】（ａ）は封印シールの構成を示す正面図、（ｂ）は（ａ）のＫ−Ｋ断面図である。
【図３４】（ａ）は溶剤Ａにより第１溶剤使用表示部のインクが溶解した状態を示す図であり、（ｂ）は溶剤Ｂにより第２溶剤使用表示部のインクが溶解した状態を示す図である。
【発明を実施するための形態】
【００１８】
本発明の実施例を以下に説明する。
【実施例１】
【００１９】
本発明が適用されたスロットマシンの実施例１を図面を用いて説明すると、本発明の遊技機の一例であるスロットマシン１は、前面が開口する筐体１ａと、この筐体１ａを正面から見て左側の前端辺に回動自在に枢支され、該筐体１ａの前面開口を開閉可能な前面扉１ｂと、から構成されている。
【００２０】
本実施例のスロットマシン１の筐体１ａの内部には、図２に示すように、外周に複数種の図柄が配列されたリール２Ｌ，２Ｃ，２Ｒ（以下、左リール、中リール、右リール）が水平方向に並設されており、図１に示すように、これらリール２Ｌ，２Ｃ，２Ｒに配列された図柄のうち連続する３つの図柄が前面扉１ｂに設けられた透視窓３から見えるように配置されている。
【００２１】
リール２Ｌ，２Ｃ，２Ｒの外周部には、それぞれ「黒７」、「白７」、「ＢＡＲ」、「リプレイ」、「ベル」、「スイカ」、「黒チェリー」、「白チェリー」、「網チェリー」、「オレンジ」といった互いに識別可能な複数種類の図柄が所定の順序で、それぞれ２１個ずつ描かれている。リール２Ｌ，２Ｃ，２Ｒの外周部に描かれた図柄は、透視窓３において各々上中下三段に表示される。
【００２２】
各リール２Ｌ，２Ｃ，２Ｒは、各々対応して設けられリールモータ３２Ｌ，３２Ｃ，３２Ｒ（図３参照）によって回転させることで、各リール２Ｌ，２Ｃ，２Ｒの図柄が透視窓３に連続的に変化しつつ表示されるとともに、各リール２Ｌ，２Ｃ，２Ｒの回転を停止させることで、透視窓３に３つの連続する図柄が表示結果として導出表示されるようになっている。
【００２３】
リール２Ｌ，２Ｃ，２Ｒの内側には、リール２Ｌ，２Ｃ，２Ｒそれぞれに対して、基準位置を検出するリールセンサ３３Ｌ，３３Ｃ，３３Ｒと、リール２Ｌ，２Ｃ，２Ｒを背面から照射するリールＬＥＤ５５と、が設けられている。また、リールＬＥＤ５５は、リール２Ｌ，２Ｃ，２Ｒの連続する３つの図柄に対応する１２のＬＥＤからなり、各図柄をそれぞれ独立して照射可能とされている。
【００２４】
前面扉１ｂの各リール２Ｌ，２Ｃ，２Ｒの手前側（遊技者側）の位置には、液晶表示器５１（図１参照）の表示領域５１ａが配置されている。液晶表示器５１は、液晶素子に対して電圧が印加されていない状態で、透過性を有するノーマリーホワイトタイプの液晶パネルを有しており、表示領域５１ａの透視窓３に対応する透過領域５１ｂ及び透視窓３を介して遊技者側から各リール２Ｌ，２Ｃ，２Ｒが視認できるようになっている。また、表示領域５１ａの透過領域５１ｂを除く領域の裏面には、背後から表示領域５１ａを照射するバックライト（図示略）が設けられているとともに、さらにその裏面には、内部を隠蔽する隠蔽部材（図示略）が設けられている。
【００２５】
前面扉１ｂには、メダルを投入可能なメダル投入部４、メダルが払い出されるメダル払出口９、クレジット（遊技者所有の遊技用価値として記憶されているメダル数）を用いてメダル１枚分の賭数を設定する際に操作される１枚ＢＥＴスイッチ５、クレジットを用いて、その範囲内において遊技状態に応じて定められた規定数の賭数のうち最大の賭数（本実施例では遊技状態がレギュラーボーナス（ビッグボーナス）の場合には１、リプレイタイム（以下、ＲＴと略称する）では３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ，２Ｃ，２Ｒの回転を各々停止する際に操作されるストップスイッチ８Ｌ，８Ｃ，８Ｒ、が遊技者により操作可能にそれぞれ設けられている。
【００２６】
また、前面扉１ｂには、クレジットとして記憶されているメダル枚数が表示されるクレジット表示器１１、後述するビッグボーナス中のメダルの獲得枚数やエラー発生時にその内容を示すエラーコード等が表示される遊技補助表示器１２、入賞の発生により払い出されたメダル枚数が表示されるペイアウト表示器１３が設けられている。
【００２７】
また、前面扉１ｂには、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられている。
【００２８】
ＭＡＸＢＥＴスイッチ６の内部には、１枚ＢＥＴスイッチ５及びＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ，８Ｃ，８Ｒの内部には、該当するストップスイッチ８Ｌ，８Ｃ，８Ｒによるリールの停止操作が有効である旨を点灯により報知する左、中、右停止有効ＬＥＤ２２Ｌ，２２Ｃ，２２Ｒ（図３参照）がそれぞれ設けられている。
【００２９】
前面扉１ｂの内側には、所定のキー操作により後述するエラー状態及び後述する打止状態を解除するためのリセット操作を検出するリセットスイッチ２３、後述する設定値の変更中や設定値の確認中にその時点の設定値が表示される設定値表示器２４、メダル投入部４から投入されたメダルの流路を、筐体１ａ内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１を有するメダルセレクタ（図示略）、前面扉１ｂの開放状態を検出するドア開放検出スイッチ２５（図３参照）が設けられている。
【００３０】
筐体１ａ内部には、図２に示すように、前述したリール２Ｌ，２Ｃ，２Ｒ、リールモータ３２Ｌ，３２Ｃ，３２Ｒ、各リール２Ｌ，２Ｃ，２Ｒのリール基準位置をそれぞれ検出可能なリールセンサ３３Ｌ，３３Ｃ，３３Ｒ（図３参照）からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ、ホッパーモータ３４ｂの駆動により払い出されたメダルを検出する払出センサ３４ｃからなるホッパーユニット３４、電源ボックス１００が設けられている。
【００３１】
また、筐体１ａを構成する背板１ｃの内面上部には、後述する遊技制御基板４０が収容された基板ケース２００が、遊技制御基板４０の電子部品の実装面４０ａの裏面４０ｂ側が視認不可となる第１回動規制位置Ａ（第１位置、図１４（ａ）参照）と、遊技制御基板４０の裏面４０ｂ側が視認可能となる第２回動規制位置Ｂ（第２位置、図１４（ｂ）参照）と、の間で回動可能に設けられている。尚、基板ケース２００の詳細な構造については後述することとする。
【００３２】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３３】
電源ボックス１００の前面には、後述のビッグボーナス終了時に打止状態（リセット操作がなされるまでゲームの進行が規制される状態）に制御する打止機能の有効／無効を選択するための打止スイッチ３６ａ、後述のビッグボーナス終了時に自動精算処理（クレジットとして記憶されているメダルを遊技者の操作によらず精算（返却）する処理）に制御する自動精算機能の有効／無効を選択するための自動精算スイッチ３６ｂ、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をＯＮ／ＯＦＦする際に操作される電源スイッチ３９が設けられている。
【００３４】
本実施例のスロットマシン１においてゲームを行う場合には、まず、メダルをメダル投入部４から投入するか、あるいはクレジットを使用して賭数を設定する。クレジットを使用するには１枚ＢＥＴスイッチ５またはＭＡＸＢＥＴスイッチ６を操作すれば良い。遊技状態に応じて定められた規定数の賭数が設定されると、入賞ラインＬ１〜Ｌ５（図１参照）が有効となり、スタートスイッチ７の操作が有効な状態、すなわち、ゲームが開始可能な状態となる。本実施例では、規定数の賭数として遊技状態がレギュラーボーナス（ビッグボーナス）では１枚、通常遊技状態では３枚が定められている。尚、遊技状態に対応する規定数のうち最大数を超えてメダルが投入された場合には、その分はクレジットに加算される。
【００３５】
入賞ラインとは、各リール２Ｌ，２Ｃ，２Ｒの透視窓３に表示された図柄の組合せが入賞図柄の組合せであるかを判定するために設定されるラインである。本実施例では、図１に示すように、各リール２Ｌ，２Ｃ，２Ｒの中段に並んだ図柄に跨って設定された入賞ラインＬ１、各リール２Ｌ，２Ｃ，２Ｒの上段に並んだ図柄に跨って設定された入賞ラインＬ２、各リール２Ｌ，２Ｃ，２Ｒの下段に並んだ図柄に跨って設定された入賞ラインＬ３、リール２Ｌの上段、リール２Ｃの中段、リール２Ｒの下段、すなわち右下がりに並んだ図柄に跨って設定された入賞ラインＬ４、リール２Ｌの下段、リール２Ｃの中段、リール２Ｒの上段、すなわち右上がりに並んだ図柄に跨って設定された入賞ラインＬ５の５種類が入賞ラインとして定められている。
【００３６】
ゲームが開始可能な状態でスタートスイッチ７を操作すると、各リール２Ｌ，２Ｃ，２Ｒが回転し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回転が停止し、透視窓３に表示結果が導出表示される。
【００３７】
そして全てのリール２Ｌ，２Ｃ，２Ｒが停止されることで１ゲームが終了し、有効化されたいずれかの入賞ラインＬ１〜Ｌ５上に予め定められた図柄の組合せ（以下、役とも呼ぶ）が各リール２Ｌ，２Ｃ，２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。尚、有効化された複数の入賞ライン上にメダルの払出を伴う図柄の組合せが揃った場合には、有効化された入賞ラインに揃った図柄の組合せそれぞれに対して定められた払出枚数を合計し、合計した枚数のメダルが遊技者に対して付与されることとなる。ただし、１ゲームで付与されるメダルの払出枚数には、上限（本実施例では１５枚）が定められており、合計した払出枚数が上限を超える場合には、上限枚数のメダルが付与されることとなる。また、有効化されたいずれかの入賞ラインＬ１〜Ｌ５上に、遊技状態の移行を伴う図柄の組合せが各リール２Ｌ，２Ｃ，２Ｒの表示結果として停止した場合には図柄の組合せに応じた遊技状態に移行するようになっている。
【００３８】
図３は、スロットマシン１の構成を示すブロック図である。スロットマシン１には、図３に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００３９】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４０】
また、電源基板１０１には、前述したホッパーモータ３４ｂ、払出センサ３４ｃ、満タンセンサ３５ａ、打止スイッチ３６ａ、自動精算スイッチ３６ｂ、設定キースイッチ３７、リセット／設定スイッチ３８、電源スイッチ３９が接続されている。
【００４１】
遊技制御基板４０には、前述した１枚ＢＥＴスイッチ５、ＭＡＸＢＥＴスイッチ６、スタートスイッチ７、ストップスイッチ８Ｌ，８Ｃ，８Ｒ、精算スイッチ１０、リセットスイッチ２３、投入メダルセンサ３１、ドア開放検出スイッチ２５、リールセンサ３３Ｌ，３３Ｃ，３３Ｒが接続されているとともに、電源基板１０１を介して前述した払出センサ３４ｃ、満タンセンサ３５ａ、打止スイッチ３６ａ、自動精算スイッチ３６ｂ、設定キースイッチ３７、リセット／設定スイッチ３８が接続されており、これら接続されたスイッチ類の検出信号が入力されるようになっている。
【００４２】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、設定値表示器２４、流路切替ソレノイド３０、リールモータ３２Ｌ，３２Ｃ，３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４３】
遊技制御基板４０には、メインＣＰＵ４１ａ、ＲＯＭ４１ｂ、ＲＡＭ４１ｃ、Ｉ／Ｏポート４１ｄを備えたマイクロコンピュータからなり、遊技の制御を行うメイン制御部４１、所定範囲（本実施例では０〜６５５３５）の乱数を生成する乱数回路４２、一定周波数のクロック信号を乱数回路４２に供給するパルス発振器４３、遊技制御基板４０に直接または電源基板１０１を介して接続されたスイッチ類から入力された検出信号を検出するスイッチ検出回路４４、リールモータ３２Ｌ，３２Ｃ，３２Ｒの駆動制御を行うモータ駆動回路４５、流路切替ソレノイド３０の駆動制御を行うソレノイド駆動回路４６、遊技制御基板４０に接続された各種表示器やＬＥＤの駆動制御を行うＬＥＤ駆動回路４７、スロットマシン１に供給される電源電圧を監視し、電圧低下を検出したときに、その旨を示す電圧低下信号をメイン制御部４１に対して出力する電断検出回路４８、電源投入時またはメインＣＰＵ４１ａからの初期化命令が入力されないときにメインＣＰＵ４１ａにリセット信号を与えるリセット回路４９、その他各種デバイス、回路等の電子部品が搭載されている。
【００４４】
メインＣＰＵ４１ａは、計時機能、タイマ割込などの割込機能（割込禁止機能を含む）を備え、ＲＯＭ４１ｂに記憶されたプログラム（後述）を実行して、遊技の進行に関する処理を行うととともに、遊技制御基板４０に搭載された制御回路の各部を直接的または間接的に制御する。ＲＯＭ４１ｂは、メインＣＰＵ４１ａが実行するプログラムや各種テーブル等の固定的なデータを記憶する。ＲＡＭ４１ｃは、メインＣＰＵ４１ａがプログラムを実行する際のワーク領域等として使用される。Ｉ／Ｏポート４１ｄは、メイン制御部４１が備える信号入出力端子を介して接続された各回路との間で制御信号を入出力する。
【００４５】
また、メイン制御部４１には、停電時においてもバックアップ電源が供給されており、バックアップ電源が供給されている間は、ＲＡＭ４１ｃに記憶されているデータが保持されるようになっている。
【００４６】
メインＣＰＵ４１ａは、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メインＣＰＵ４１ａは、前述のように割込機能を備えており、割込の発生により基本処理に割り込んで割込処理を実行できるようになっており、電断検出回路４８から出力された電圧低下信号の入力に応じて電断割込処理（メイン）を実行し、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
【００４７】
メインＣＰＵ４１ａは、Ｉ／Ｏポート４１ｄを介して演出制御基板９０に、各種のコマンドを送信する。遊技制御基板４０から演出制御基板９０へ送信されるコマンドは一方向のみで送られ、演出制御基板９０から遊技制御基板４０へ向けてコマンドが送られることはない。遊技制御基板４０から演出制御基板９０へ送信されるコマンドの伝送ラインは、ストローブ（ＩＮＴ）信号ライン、データ伝送ライン、グラウンドラインから構成されているとともに、演出中継基板８０を介して接続されており、遊技制御基板４０と演出制御基板９０とが直接接続されない構成とされている。
【００４８】
演出制御基板９０には、スロットマシン１の前面扉１ｂに配置された液晶表示器５１（図１参照）、演出効果ＬＥＤ５２、スピーカ５３、５４、前述したリールＬＥＤ５５等の演出装置が接続されており、これら演出装置は、演出制御基板９０に搭載された後述のサブ制御部９１による制御に基づいて駆動されるようになっている。
【００４９】
尚、本実施例では、演出制御基板９０に搭載されたサブ制御部９１により、液晶表示器５１、演出効果ＬＥＤ５２、スピーカ５３、５４、リールＬＥＤ５５等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００５０】
また、本実施例では、演出装置として液晶表示器５１、演出効果ＬＥＤ５２、スピーカ５３、５４、リールＬＥＤ５５を例示しているが、演出装置は、これらに限られず、例えば、機械的に駆動する表示装置や機械的に駆動する役モノなどを演出装置として適用しても良い。
【００５１】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００５２】
サブＣＰＵ９１ａは、メインＣＰＵ４１ａと同様に、割込機能（割込禁止機能を含む）を備える。サブ制御部９１の割込端子の１つは、コマンド伝送ラインのうち、メイン制御部４１がコマンドを送信する際に出力するストローブ（ＩＮＴ）信号線に接続されており、サブＣＰＵ９１ａは、ストローブ信号の入力に基づいて割込を発生させて、メイン制御部４１からのコマンドを取得し、バッファに格納するコマンド受信割込処理を実行する。また、サブＣＰＵ９１ａは、クロック入力数が一定数に到達する毎、すなわち一定間隔毎に割込を発生させて後述するタイマ割込処理（サブ）を実行する。また、サブ制御部９１の割込端子の１つは、電断検出回路９８と接続されており、サブＣＰＵ９１ａは、電断検出回路９８から出力された電圧低下信号の入力に応じて電断割込処理（サブ）を実行する。また、サブＣＰＵ９１ａにおいても未使用の割込が発生した場合には、もとの処理に即時復帰させる未使用割込処理を実行するようになっている。
【００５３】
また、サブ制御部９１にも、停電時においてバックアップ電源が供給されており、バックアップ電源が供給されている間は、ＲＡＭ９１ｃに記憶されているデータが保持されるようになっている。
【００５４】
本実施例のスロットマシン１では、前述のように遊技の制御を行うメイン制御部４１が設けられた遊技制御基板４０などの各種基板が搭載されており、これらの基板には、図４に示すように、遊技者による遊技の進行操作が可能なスイッチ類等からなる電気部品がケーブルを介して接続されている。
【００５５】
遊技制御基板４０には、前述したように、１枚ＢＥＴスイッチ５、ＭＡＸＢＥＴスイッチ６、スタートスイッチ７、ストップスイッチ８Ｌ，８Ｃ，８Ｒ、投入メダルセンサ３１、リールモータ３２Ｌ，３２Ｃ，３２Ｒ、リールセンサ３３Ｌ，３３Ｃ，３３Ｒ、ホッパーモータ３４ｂ、払出センサ３４ｃ、演出制御基板９０が接続されている。
【００５６】
具体的には、図４に示すように、スタートスイッチ７は遊技制御基板４０と配線接続され、１枚ＢＥＴスイッチ５、ＭＡＸＢＥＴスイッチ６、ストップスイッチ８Ｌ，８Ｃ，８Ｒ、投入メダルセンサ３１、ドア開放検出スイッチ２５は、操作部中継基板１１０を経由して遊技制御基板４０と配線接続され、リールモータ３２Ｌ，３２Ｃ，３２Ｒ及びリールセンサ３３Ｌ，３３Ｃ，３３Ｒは、リール中継基板１２０を経由して遊技制御基板４０と配線接続され、ホッパーモータ３４ｂ及び払出センサ３４ｃは、電源基板１０１を経由して遊技制御基板４０と配線接続され、演出制御基板９０は、演出中継基板８０を経由して遊技制御基板４０と配線接続されている。
【００５７】
操作部中継基板１１０、リール中継基板１２０、電源基板１０１、演出制御基板９０には、遊技制御基板４０と各電気部品とを接続するための配線パターン（図示略）が設けられており、各電気部品から遊技制御基板４０に対して出力される検出信号または遊技制御基板４０から供給（入力）される電力や信号等を中継可能とされている。
【００５８】
このようにスタートスイッチ７を除く各種電気部品と遊技制御基板４０とを、スロットマシン１の本体（本実施例では、筐体１ａ）所定箇所に取り付けた各中継基板１１０、１２０、１００、８０を経由して配線接続することで、遊技制御基板４０からスロットマシン１の本体所定箇所に個々に配設される複数の電気部品との配線の取りまとめが容易になるとともに、コネクタ接続部が常に中継基板または遊技制御基板４０に設けられることになり、これにより各電気部品それぞれのコネクタ接続部が固定されるため、配線接続作業時においてコネクタ接続部を探したり、接続する配線の種類を間違うこと等が防止される。
【００５９】
１枚ＢＥＴスイッチ５、ＭＡＸＢＥＴスイッチ６、スタートスイッチ７、ストップスイッチ８Ｌ，８Ｃ，８Ｒ、投入メダルセンサ３１、リールモータ３２Ｌ，３２Ｃ，３２Ｒ、リールセンサ３３Ｌ，３３Ｃ，３３Ｒ、ホッパーモータ３４ｂ、払出センサ３４ｃは、ゲームの進行に関わる信号を遊技制御基板４０に入出力する電気部品である。ゲームの進行に関わる信号とは、例えば、ゲームを開始可能な状態とするための賭数の設定操作、ゲームを開始させるための操作、リール２Ｌ，２Ｃ，２Ｒの表示結果を導出させるための操作等、ゲームの進行操作に応じて遊技制御基板４０に出力される信号や、投入メダルの検出、リールの基準位置の検出、払出メダルの検出等、ゲームの進行に応じて遊技用電気部品から出力されて遊技制御基板４０に入力される信号と、スタート操作の検出に応じてリール２Ｌ，２Ｃ，２Ｒを駆動させるための駆動信号や、入賞の発生に伴いメダルを払い出すホッパーを駆動するための駆動信号等、ゲームの進行に応じて遊技制御基板４０から出力されて遊技用電気部品に入力される信号と、を含む。
【００６０】
そして、これら遊技用電気部品は、ゲームの進行に応じて遊技制御基板４０に信号を出力する第１の電気部品と、ゲームの進行に応じて遊技制御基板４０からの信号が入力される第２の電気部品と、からなる。
【００６１】
遊技用電気部品と基板とはケーブルを介して接続されており、遊技用電気部品と基板とを接続するケーブルは、スロットマシンの製造時における組み付け作業や配線作業を容易にするため、コネクタ同士の接続を解除することで分離可能とされている。また、これら遊技用電気部品は、基本的には複数の機種に共通して継続使用される電気部品であり、故障等が発生しない限り本体から取り外して交換する機会は少ないので、スロットマシンの本体所定箇所に固設されている。これに対して遊技制御基板４０や演出制御基板９０等は、機種変更の際には交換が必要となるため、その際には本体から取り外される。つまり、遊技制御基板４０を取り外す際には遊技用電気部品や演出制御基板９０との接続を解除する必要があるため、これら基板同士及び基板と遊技用電気部品とを接続するケーブルと基板とは、ケーブルの端部に設けられたケーブル側コネクタと基板の配線パターンと電気的に接続された基板側コネクタとの接続により電気的に接続されており、基板側コネクタからケーブル側コネクタを抜脱して接続を解除することで、遊技制御基板４０を本体から容易に取り出して交換できるようになっている。
【００６２】
しかし、このように遊技制御基板４０と遊技用電気部品との配線接続をコネクタの抜脱により容易に解除できる状態のままスロットマシンをメーカーから遊技店に出荷すると、例えば遊技店において、基板側コネクタからケーブル側コネクタを抜脱し、これに替えていわゆる打ち込み器具等の不正な器具に接続されたケーブル側コネクタを基板側コネクタに容易に接続することが可能となってしまう。
【００６３】
打ち込み器具とは、例えば遊技用電気部品から遊技制御基板４０に入出力される信号を擬似的に再現した信号を遊技制御基板４０に入出力させることで、スロットマシンに設けられた各種スイッチ等を操作することなく、ゲームを自動的に進行させることができるものである。従って、例えば遊技店等において、遊技制御基板４０に設けられた基板側コネクタに接続されている正規なコネクタを抜脱し、これに替えて打ち込み器具に接続された不正なコネクタを接続して、各種信号を適宜タイミングで遊技制御基板４０に入出力して遊技を自動的に進行させることで、例えば特別役が当選した状態等を容易に設定することができる。よって、このような不正な打ち込み器具を使用して特別役が当選した状態に設定したスロットマシン、さらにはＲＢ（レギュラーボーナス）、ＢＢ（ビッグボーナス）のうちより有利度の高いＢＢが当選している可能性が高い状態に設定したスロットマシンを、例えば遊技店の営業開始時等において遊技客に提供するといった不正営業が実施された場合、遊技の公平性が損なわれる虞がある。
【００６４】
このため本実施例では、前述したように、遊技用電気部品のうちスタートスイッチ７のみを遊技制御基板４０に直接配線接続するとともに、遊技制御基板４０とスタートスイッチ７との間のコネクタ接続、すなわち遊技制御基板４０の基板側コネクタ６２０ｂとケーブル６００ｂのケーブル側コネクタ６１０ｂとの接続及びスタートスイッチ７の部品側コネクタ６４０ｂとケーブル側コネクタ６３０ｂとの接続について、コネクタ同士の接続の解除をコネクタ規制部材６５０によって規制できるようになっている。
【００６５】
ここで、基板側コネクタ６２０ｂとケーブル６００ｂのケーブル側コネクタ６１０ｂとの接続の解除を規制するコネクタ規制部材６５０は、一面が開口する箱形状に形成され（図５参照）、基板側コネクタ６２０ｂに接続されたケーブル側コネクタ６１０ｂの上方から覆った状態で後述するカバー部材２０２の係合筒２３７内に嵌合することで、該係合筒２３７内に設けられた弾性爪２３７ａが係合穴（図示略）に係合されてカバー部材２０２に取り付けられるようになっている。
【００６６】
このようにコネクタ規制部材６５０を係合筒２３７に嵌合することで、その内部で弾性爪２３７ａが係合穴（図示略）に係合され、これにより、カバー部材２０２を開封するか係合部を破壊しない限り係合状態を外部から解除することができなくなるので、遊技制御基板４０とスタートスイッチ７との間のコネクタ接続を解除するためには、解除規制部位を破壊しなければならず、これにより、遊技制御基板４０とスタートスイッチ７との間のコネクタ接続が解除されると、その痕跡が残るとともに、その痕跡を消すことはきわめて困難であるため、上記不正営業をより効果的に抑制することができる。
【００６７】
尚、スタートスイッチ７の部品側コネクタ６４０ｂとケーブル側コネクタ６３０ｂとの接続の解除を規制するコネクタ規制部材６５０ａは特に図示しないが、接続の解除に関連する所定の解除規制部位を破壊しない限り取り外すことができない取付状態で取り付け可能に構成されていればよい。
【００６８】
尚、本実施例では、遊技制御基板４０とスタートスイッチ７とは中継基板を経由することなく接続され、コネクタ接続を遊技制御基板４０及び電気部品（スタートスイッチ７）側でのみ行えば済むため、配線接続が簡素化されているが、１つまたは複数の中継基板を経由して接続される場合には、その間に存在するコネクタ接続全てについて抜脱を規制することが好ましく、このようにすることで遊技制御基板４０とスタートスイッチ７との間のいずれかのコネクタの接続を解除することが困難となるため、上記不正営業をより効果的に防止できる。
【００６９】
また、本実施例では、ゲームの進行に応じて遊技制御基板４０に対して信号を入力する第１の電気部品５、６、７、８、３１、３３Ｌ，３３Ｃ，３３Ｒ、３５及びゲームの進行に応じて遊技制御基板４０から信号が出力される第２の電気部品３２Ｌ，３２Ｃ，３２Ｒ、３４のうち、スタートスイッチ７と遊技制御基板４０との間のコネクタ接続のみコネクタ規制部材６５０を設けてコネクタ同士の接続の解除を規制している。すなわちその信号がなければ遊技を進行させることができない電気部品の一つであるスタートスイッチ７（スタートスイッチ７からの信号が入力されなければゲームを開始することが不可能となる）と遊技制御基板４０との間のコネクタ接続のみコネクタ規制部材６５０を設けてコネクタ同士の接続の解除を規制しており、他の電気部品と遊技制御基板４０との間でコネクタ同士の接続を解除して打ち込み器具のコネクタに差し替えた場合でも、実質的に遊技を自動的にゲームを進行させることができなくなるため、最小限の規制で不正行為を防止することが可能となり、これらコネクタ同士の接続を解除するための部品点数を減らすことができる。
【００７０】
尚、本実施例では、スタートスイッチ７と遊技制御基板４０との間のコネクタ接続のみコネクタ規制部材６５０を設けてコネクタ同士の接続の解除を規制しているが、投入メダルセンサ３１と遊技制御基板４０との間のコネクタ接続のみコネクタ規制部材を設けてコネクタ同士の接続の解除を規制するようにしても同様の効果が得られる。また、本実施例のようにリールの回転開始後、リールの停止操作がなされるまでリールが停止する構成でないものであれば、ストップスイッチ８Ｌ，８Ｃ，８Ｒのいずれかと遊技制御基板４０との間のコネクタ接続のみコネクタ規制部材を設けてコネクタ同士の接続の解除を規制するようにしても同様の効果が得られる。
【００７１】
また、本実施例では、ドア開放検出スイッチ２５がケーブルを介して遊技制御基板４０と接続されているが、ドア開放検出スイッチ２５と遊技制御基板４０との間に設けられるケーブルのコネクタのうちいずれかのコネクタでの接続が解除されると、前面扉１ｂが開放された際に、その旨を遊技制御基板に搭載されたメイン制御部４１が検出することができず、ドア開放報知やドア開放信号の出力が行われなくなるため、前面扉１ｂが開放されて不正行為がなされてもその発見が遅れてしまう虞があるため、遊技制御基板４０とドア開放検出スイッチ２５との間のコネクタ接続にコネクタ規制部材を設けてコネクタ同士の接続の解除を規制するようにしてもよく、このようにすることで、遊技制御基板４０とドア開放検出スイッチ２５との間のいずれかのコネクタ同士の接続を解除することが困難となるため、前面扉１ｂの開放された旨の報知がされない状態で、前面扉１ｂが開放されてしまうことを効果的に防止できる。
【００７２】
また、本実施例では、メイン制御部４１とゲームの進行上必要な信号の入出力が行われるスタートスイッチ７を除く複数の電気部品及びドア開放検出スイッチ２５とを接続する複数の信号線が、遊技制御基板４０と操作部中継基板１１０との間では１本のケーブル６００ａで接続されているため、遊技制御基板４０の基板側コネクタ６２０ａとケーブル側コネクタ６１０ａとのコネクタ接続、すなわち１カ所のコネクタ接続のみ接続の解除を規制することで、複数の信号線同士の接続の解除を規制することが可能となり、これらコネクタ接続の解除を規制するための部品を複数用意する必要がなく、これらの部品点数を削減できる。
【００７３】
尚、メイン制御部４１とゲームの進行上必要な信号の入出力が行われる複数の電気部品及びドア開放検出スイッチ２５とを接続する複数の信号線が、複数のケーブルを介して接続される場合でも、基板側コネクタを近接する位置に配置するとともに、１つの部品でこれら複数の基板側コネクタと複数のケーブル側コネクタとの接続の解除を規制することで、これらコネクタ接続の解除を規制するための部品を複数用意する必要がなく、これらの部品点数を削減できる。
【００７４】
本実施例のスロットマシン１は、遊技状態やエラーの発生状況などを示す外部出力信号を出力する。これら外部出力信号は、メインＣＰＵ４１ａの制御により遊技制御基板４０より出力され、外部出力基板１０００、スロットマシン１が設置される遊技店（ホール）の情報提供端子板（図示略）を介してホールコンピュータ（図示略）などのホール機器に出力されるようになっている。
【００７５】
遊技制御基板４０から外部出力基板１０００に対しては、賭数の設定に用いられたメダル数を示すメダルＩＮ信号、入賞の発生により遊技者に付与されたメダル数を示すメダルＯＵＴ信号、遊技状態が後述するＲＢ中の旨を示すＲＢ中信号、遊技状態が後述するＢＢ中の旨を示すＢＢ中信号、前面扉１ｂが開放中の旨を示すドア開放信号、後述する設定変更モードに移行している旨を示す設定変更信号、メダルセレクタの異常を示す投入エラー信号、ホッパーユニット３４の異常を示す払出エラー信号がそれぞれ出力される。
【００７６】
本実施例のスロットマシン１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００７７】
設定値を変更するためには、設定キースイッチ３７をＯＮ状態としてからスロットマシン１の電源をＯＮする必要がある。設定キースイッチ３７をＯＮ状態として電源をＯＮすると、設定値表示器２４にＲＡＭ４１ｃから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定６からさらに操作されたときは、設定１に戻る）。そして、スタートスイッチ７が操作されると表示値を設定値として確定する。そして、設定キースイッチ３７がＯＦＦされると、確定した表示値（設定値）がメイン制御部４１のＲＡＭ４１ｃに格納され、遊技の進行が可能な状態に移行する。
【００７８】
また、設定値を確認するためには、ゲーム終了後、賭数が設定されていない状態で設定キースイッチ３７をＯＮ状態とすれば良い。このような状況で設定キースイッチ３７をＯＮ状態とすると、設定値表示器２４にＲＡＭ４１ｃから読み出された設定値が表示されることで設定値を確認可能な設定確認状態に移行する。設定確認状態においては、ゲームの進行が不能であり、設定キースイッチ３７をＯＦＦ状態とすることで、設定確認状態が終了し、ゲームの進行が可能な状態に復帰することとなる。
【００７９】
本実施例のスロットマシン１においては、メインＣＰＵ４１ａが電断検出回路４８からの電圧低下信号を検出した際に、電断割込処理（メイン）を実行する。電断割込処理（メイン）では、レジスタを後述するＲＡＭ４１ｃのスタックに退避し、ＲＡＭ４１ｃにいずれかのビットが１となる破壊診断用データ（本実施例では、５ＡＨ）、すなわち０以外の特定のデータを格納するとともに、ＲＡＭ４１ｃの全ての領域に格納されたデータに基づくＲＡＭパリティが０となるようにＲＡＭパリティ調整用データを計算し、ＲＡＭ４１ｃに格納する処理を行うようになっている。尚、ＲＡＭパリティとはＲＡＭ４１ｃの該当する領域（本実施例では、全ての領域）の各ビットに格納されている値の排他的論理和として算出される値である。このため、ＲＡＭ４１ｃの全ての領域に格納されたデータに基づくＲＡＭパリティが０であれば、ＲＡＭパリティ調整用データは０となり、ＲＡＭ４１ｃの全ての領域に格納されたデータに基づくＲＡＭパリティが１であれば、ＲＡＭパリティ調整用データは１となる。
【００８０】
そして、メインＣＰＵ４１ａは、その起動時においてＲＡＭ４１ｃの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭ４１ｃに記憶されているデータに基づいてメインＣＰＵ４１ａの処理状態を電断前の状態に復帰させるが、ＲＡＭパリティが０でない場合（１の場合）や破壊診断用データの値が正しくない場合には、ＲＡＭ異常と判定し、ＲＡＭ異常エラーコードをレジスタにセットしてＲＡＭ異常エラー状態に制御し、遊技の進行を不能化させるようになっている。尚、ＲＡＭ異常エラー状態は、他のエラー状態と異なり、リセットスイッチ２３やリセット／設定スイッチ３８を操作しても解除されないようになっており、前述した設定変更状態において新たな設定値が設定されるまで解除されることがない。
【００８１】
尚、本実施例では、ＲＡＭ４１ｃに格納されている全てのデータが停電時においてもバックアップ電源により保持されるとともに、メインＣＰＵ４１ａは、電源投入時においてＲＡＭ４１ｃのデータが正常であると判定した場合に、ＲＡＭ４１ｃの格納データに基づいて電断前の制御状態に復帰する構成であるが、ＲＡＭ４１ｃに格納されているデータのうち停電時において制御状態の復帰に必要なデータのみをバックアップし、電源投入時においてバックアップされているデータに基づいて電断前の制御状態に復帰する構成としても良い。
【００８２】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、例えば、入力ポートの状態などを全て電断前の状態に復帰させる必要はない。
【００８３】
また、サブＣＰＵ９１ａも電断検出回路９８からの電圧低下信号を検出した際に、電断割込処理（サブ）を実行する。電断割込処理（サブ）では、レジスタを後述するＲＡＭ９１ｃのスタックに退避し、ＲＡＭ９１ｃにいずれかのビットが１となる破壊診断用データを格納するとともに、ＲＡＭ９１ｃの全ての領域に格納されたデータに基づくＲＡＭパリティが０となるようにＲＡＭパリティ調整用データを計算し、ＲＡＭ９１ｃに格納する処理を行うようになっている。
【００８４】
そして、サブＣＰＵ９１ａは、その起動時においてＲＡＭ９１ｃの全ての領域に格納されたデータに基づいてＲＡＭパリティを計算し、ＲＡＭパリティが０であることを条件に、ＲＡＭ９１ｃに記憶されているデータに基づいてサブＣＰＵ９１ａの処理状態を電断前の状態に復帰させるが、ＲＡＭパリティが０でない場合（１の場合）には、ＲＡＭ異常と判定し、ＲＡＭ９１ｃを初期化するようになっている。この場合、メインサブＣＰＵ９１ａと異なり、ＲＡＭ９１ｃが初期化されるのみで演出の実行が不能化されることはない。
【００８５】
尚、本実施例では、ＲＡＭ９１ｃに格納されている全てのデータが停電時においてもバックアップ電源により保持されるとともに、サブＣＰＵ９１ａは、電源投入時においてＲＡＭ９１ｃのデータが正常であると判定した場合に、ＲＡＭ９１ｃの格納データに基づいて電断前の制御状態に復帰する構成であるが、ＲＡＭ９１ｃに格納されているデータのうち停電時において制御状態の復帰に必要なデータのみをバックアップし、電源投入時においてバックアップされているデータに基づいて電断前の制御状態に復帰する構成としても良い。
【００８６】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、入力ポートの状態や、演出が途中で中断された場合の途中経過などを全て電断前の状態に復帰させる必要はない。例えば、ビッグボーナス中か、通常遊技状態か、などの遊技状態を示すデータのみをバックアップするとともに、遊技状態に対応する演出（ビッグボーナス中であればビッグボーナス中演出、通常遊技状態であれば通常演出）以外の特定の演出（小役告知など）の実行中に電断が発生した場合に、次回電源投入時において電断時に実行されていた特定の演出を再開するのではなく、電源投入時においてバックアップされている遊技状態に対応する演出を最初から実行するようにしても良い。
【００８７】
次に、メイン制御部４１のＲＡＭ４１ｃの初期化について説明する。メイン制御部４１のＲＡＭ４１ｃの格納領域は、重要ワーク、一般ワーク、特別ワーク、設定値ワーク、非保存ワーク、未使用領域、スタック領域に区分されている。
【００８８】
重要ワークは、各種表示器やＬＥＤの表示用データ、Ｉ／Ｏポート４１ｄの入出力データ、遊技時間の計時カウンタ等、ビッグボーナス終了時に初期化すると不都合があるデータが格納されるワークである。一般ワークは、停止制御テーブル、停止図柄、メダルの払出枚数、ビッグボーナス中のメダル払出総数等、ビッグボーナス終了時に初期化可能なデータが格納されるワークである。特別ワークは、演出制御基板９０へコマンドを送信するためのデータ、各種ソフトウェア乱数（後述する判定値加算用乱数、初期値変更用乱数）等、設定変更前にも初期化されないデータが格納されるワークである。設定値ワークは、内部抽選処理で抽選を行う際に用いる設定値が格納されるワークである。非保存ワークは、各種スイッチ類の状態を保持するワークであり、起動時にＲＡＭ４１ｃのデータが破壊されているか否かに関わらず必ず値が設定されることとなる。未使用領域は、ＲＡＭ４１ｃの格納領域のうち使用していない領域であり、後述する複数の初期化条件のいずれか１つでも成立すれば初期化されることとなる。スタック領域は、メインＣＰＵ４１ａのレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【００８９】
本実施例においてメインＣＰＵ４１ａは、ＲＡＭ異常エラー発生時、設定キースイッチ３７がＯＮの状態での起動時、ビッグボーナス終了時、設定キースイッチ３７がＯＦＦの状態での起動時においてＲＡＭ４１ｃのデータが破壊されていないとき、１ゲーム終了時の５つからなる初期化条件が成立した際に、各初期化条件に応じて初期化される領域の異なる５種類の初期化を行う。
【００９０】
初期化０は、ＲＡＭ異常エラー発生時に行う初期化であり、初期化０では、ＲＡＭ４１ｃの格納領域のうち、使用中スタック領域を除く全ての領域（未使用領域及び未使用スタック領域を含む）が初期化される。初期化１は、起動時において設定キースイッチ３７がＯＮの状態であり、設定変更状態へ移行する場合において、その前に行う初期化であり、初期化１では、ＲＡＭ４１ｃの格納領域のうち、特別ワーク、非保存ワーク及び使用中スタック領域以外の領域（未使用領域及び未使用スタック領域を含む）が初期化される。初期化２は、ビッグボーナス終了時に行う初期化であり、初期化２では、ＲＡＭ４１ｃの格納領域のうち、一般ワーク、未使用領域及び未使用スタック領域が初期化される。初期化３は、起動時において設定キースイッチ３７がＯＦＦの状態であり、かつＲＡＭ４１ｃのデータが破壊されていない場合において行う初期化であり、初期化３では、非保存ワーク、未使用領域及び未使用スタック領域が初期化される。初期化４は、１ゲーム終了時に行う初期化であり、初期化４では、ＲＡＭ４１ｃの格納領域のうち、未使用領域及び未使用スタック領域が初期化される。
【００９１】
尚、本実施例では、初期化１を設定変更状態の移行前に行っているが、設定変更状態の終了時に行ったり、設定変更状態移行前、設定変更状態終了時の双方で行うようにしても良い。この場合、設定値ワークを初期化してしまうと確定した設定値が失われてしまうこととなるので、設定変更状態終了時の初期化では、設定値ワークの初期化は行われない。
【００９２】
本実施例のスロットマシン１は、前述のように遊技状態に応じて設定可能な賭数の規定数が定められており、遊技状態に応じて定められた規定数の賭数が設定されたことを条件にゲームを開始させることが可能となる。本実施例では、遊技状態として、レギュラーボーナス（以下ではＲＢと称す）（ビッグボーナス（以下ではＢＢと称す））、ＲＴ（０）〜（６）があり、このうちＲＢ（ＢＢ）では賭数の規定数として１が定められており、ＲＴ（０）〜（６）では賭数の規定数として３が定められている。このため、遊技状態がＲＢ（ＢＢ）であれば、賭数として１が設定されるとゲームを開始させることが可能となり、ＲＴ（０）〜（６）であれば、賭数として３が設定されるとゲームを開始させることが可能となる。尚、本実施例では、遊技状態に応じた規定数の賭数が設定された時点で、入賞ラインＬが有効化されるようになっており、ＲＢ（ＢＢ）では賭数として１が設定された時点で全ての入賞ラインＬ１〜Ｌ５が有効化されることなり、ＲＴ（０）〜（４）では賭数として３が設定された時点で全ての入賞ラインＬ１〜Ｌ５が有効化されることとなる。
【００９３】
本実施例のスロットマシン１は、全てのリール２Ｌ，２Ｃ，２Ｒが停止した際に、有効化された入賞ライン（以下では、有効化された入賞ラインを単に入賞ラインと呼ぶ）上に役と呼ばれる図柄の組合せが揃うと入賞となる。役は、同一図柄の組合せであっても良いし、異なる図柄を含む組合せであっても良い。入賞となる役の種類は、遊技状態に応じて定められているが、大きく分けて、メダルの払い出しを伴う小役と、賭数の設定を必要とせずに次のゲームを開始可能となる再遊技役と、遊技状態の移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭ４１ｃに設定されている必要がある。
【００９４】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組合せが揃うまで有効とされ、許容された役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。
【００９５】
内部抽選は、上記した各役への入賞を許容するか否かを、全てのリール２Ｌ，２Ｃ，２Ｒの表示結果が導出表示される以前に（実際には、スタートスイッチ７の検出時）決定するものである。内部抽選では、まず、内部抽選用の乱数（０〜６５５３５の整数）が取得される。そして、遊技状態及び特別役の持ち越しの有無に応じて定められた各役について、取得した内部抽選用の乱数と、遊技状態、賭数及び設定値に応じて定められた各役の判定値数に応じて行われる。
【００９６】
本実施例では、遊技状態が、ＲＴ（０）（１）（特別役の非持越中）であるか、ＲＴ（２）（４）（５）（特別役の非持越中）であるか、ＲＴ（３）（特別役の非持越中）であるか、ＲＴ（６）（特別役の持越中）であるか、ＲＢ（ＢＢ）であるか、によって内部抽選の対象となる役が異なる。
【００９７】
内部抽選では、内部抽選の対象となる役、現在の遊技状態及び設定値に対応して定められた判定値数を、内部抽選用の乱数に順次加算し、加算の結果がオーバーフローしたときに、当該役に当選したものと判定される。このため、判定値数の大小に応じた確率（判定値数／６５５３６）で役が当選することとなる。
【００９８】
そして、いずれかの役の当選が判定された場合には、当選が判定された役に対応する当選フラグをＲＡＭ４１ｃに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。尚、いずれの役及び役の組合せにも当選しなかった場合には、一般役格納ワークのみクリアする。
【００９９】
次に、リール２Ｌ，２Ｃ，２Ｒの停止制御について説明する。
【０１００】
メインＣＰＵ４１ａは、リールの回転が開始したとき、及びリールが停止し、かつ未だ回転中のリールが残っているときに、ＲＯＭ４１ｂに格納されているテーブルインデックス及びテーブル作成用データを参照して、回転中のリール別に停止制御テーブルを作成する。そして、ストップスイッチ８Ｌ，８Ｃ，８Ｒのうち、回転中のリールに対応するいずれかの操作が有効に検出されたときに、該当するリールの停止制御テーブルを参照し、参照した停止制御テーブルの滑りコマ数に基づいて、操作されたストップスイッチ８Ｌ，８Ｃ，８Ｒに対応するリール２Ｌ，２Ｃ，２Ｒの回転を停止させる制御を行う。
【０１０１】
テーブルインデックスには、内部抽選による当選フラグの設定状態（以下、内部当選状態と呼ぶ）別に、テーブルインデックスを参照する際の基準アドレスから、テーブル作成用データが格納された領域の先頭アドレスを示すインデックスデータが格納されているアドレスまでの差分が登録されている。これにより内部当選状態に応じた差分を取得し、基準アドレスに対してその差分を加算することで該当するインデックスデータを取得することが可能となる。尚、役の当選状況が異なる場合でも、同一の制御が適用される場合においては、インデックスデータとして同一のアドレスが格納されており、このような場合には、同一のテーブル作成用データを参照して、停止制御テーブルが作成されることとなる。
【０１０２】
テーブル作成用データは、停止操作位置に応じた滑りコマ数を示す停止制御テーブルと、リールの停止状況に応じて参照すべき停止制御テーブルのアドレスと、からなる。
【０１０３】
リールの停止状況に応じて参照される停止制御テーブルは、全てのリールが回転しているか、左リールのみ停止しているか、中リールのみ停止しているか、右リールのみ停止しているか、左、中リールが停止しているか、左、右リールが停止しているか、中、右リールが停止しているか、によって異なる場合があり、更に、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。尚、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【０１０４】
停止制御テーブルは、停止操作が行われたタイミング別の滑りコマ数を特定可能なデータである。本実施例では、リールモータ３２Ｌ，３２Ｃ，３２Ｒに、１６８ステップ（０〜１６７）の周期で１周するステッピングモータを用いている。すなわちリールモータ３２Ｌ，３２Ｃ，３２Ｒを１６８ステップ駆動させることでリール２Ｌ，２Ｃ，２Ｒが１周することとなる。そして、リール１周に対して８ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の滑りコマ数が所定のルールで圧縮して格納されており、停止制御テーブルを展開することによって領域番号別の滑りコマ数を取得できるようになっている。
【０１０５】
前述のようにテーブルインデックス及びテーブル作成用データを参照して作成される停止制御テーブルは、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ，８Ｃ，８Ｒの操作が検出された場合の滑りコマ数がそれぞれ設定されたテーブルである。
【０１０６】
次に、停止制御テーブルの作成手順について説明すると、まず、リール回転開始時においては、そのゲームの内部当選状態に応じたテーブル作成用データの先頭アドレスを取得する。具体的には、まずテーブルインデックスを参照し、内部当選状態に対応するインデックスデータを取得し、そして取得したインデックスデータに基づいてテーブル作成用データを特定し、特定したテーブル作成用データから全てのリールが回転中の状態に対応する各リールの停止制御テーブルのアドレスを取得し、取得したアドレスに格納されている各リールの停止制御テーブルを展開して全てのリールについて停止制御テーブルを作成する。
【０１０７】
また、いずれか１つのリールが停止したとき、またはいずれか２つのリールが停止したときには、リール回転開始時に取得したインデックスデータ、すなわちそのゲームの内部当選状態に応じたテーブル作成用データの先頭アドレスに基づいてテーブル作成用データを特定し、特定したテーブル作成用データから停止済みのリール及び当該リールの停止位置の領域番号に対応する未停止リールの停止制御テーブルのアドレスを取得し、取得したアドレスに格納されている各リールの停止制御テーブルを展開して未停止のリールについて停止制御テーブルを作成する。
【０１０８】
次に、メインＣＰＵ４１ａがストップスイッチ８Ｌ，８Ｃ，８Ｒのうち、回転中のリールに対応するいずれかの操作を有効に検出したときに、該当するリールに表示結果を導出させる際の制御について説明すると、ストップスイッチ８Ｌ，８Ｃ，８Ｒのうち、回転中のリールに対応するいずれかの操作を有効に検出すると、停止操作を検出した時点のリール基準位置からのステップ数に基づいて停止操作位置の領域番号を特定し、停止操作が検出されたリールの停止制御テーブルを参照し、特定した停止操作位置の領域番号に対応する滑りコマ数を取得する。そして、取得した滑りコマ数分リールを回転させて停止させる制御を行う。具体的には、停止操作を検出した時点のリール基準位置からのステップ数から、取得した滑りコマ数引き込んで停止させるまでのステップ数を算出し、算出したステップ数分リールを回転させて停止させる制御を行う。これにより、停止操作が検出された停止操作位置の領域番号に対応する領域から滑りコマ数分先の停止位置となる領域番号に対応する領域が停止基準位置（本実施例では、透視窓３の下段図柄の領域）に停止することとなる。
【０１０９】
本実施例のテーブルインデックスには、一の遊技状態における一の内部当選状態に対応するインデックスデータとして１つのアドレスのみが格納されており、更に、一のテーブル作成用データには、一のリールの停止状況（及び停止済みのリールの停止位置）に対応する停止制御テーブルの格納領域のアドレスとして１つのアドレスのみが格納されている。すなわち一の遊技状態における一の内部当選状態に対応するテーブル作成用データ、及びリールの停止状況（及び停止済みのリールの停止位置）に対応する停止制御テーブルが一意的に定められており、これらを参照して作成される停止制御テーブルも、一の遊技状態における一の内部当選状態、及びリールの停止状況（及び停止済みのリールの停止位置）に対して一意となる。このため、遊技状態、内部当選状態、リールの停止状況（及び停止済みのリールの停止位置）の全てが同一条件となった際に、同一の停止制御テーブル、すなわち同一の制御パターンに基づいてリールの停止制御が行われることとなる。
【０１１０】
また、本実施例では、滑りコマ数として０〜４の値が定められており、停止操作を検出してから最大４コマ図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０１１１】
本実施例では、いずれかの役に当選している場合には、当選役をいずれかの入賞ライン上に４コマの範囲で最大限引き込み、当選していない役がいずれの入賞ライン上に揃わないように引き込む滑りコマ数が定められた停止制御テーブルを作成し、リールの停止制御を行う一方、いずれの役にも当選していない場合には、いずれの役も入賞ライン上に揃わない滑りコマ数が定められた停止制御テーブルを作成し、リールの停止制御を行う。これにより、停止操作が行われた際に、いずれかの入賞ライン上に最大４コマの引込範囲で当選している役を揃えて停止させることができれば、これを揃えて停止させる制御が行われ、当選していない役は、最大４コマの引込範囲でハズシて停止させる制御が行われることとなる。
【０１１２】
特別役が前ゲーム以前から持ち越されている状態で小役が当選した場合や特別役が持ち越されていない状態で特別役と小役が同時に当選した場合など、特別役と小役が同時に当選している場合には、当選した小役を入賞ラインに４コマの範囲で最大限に引き込むように滑りコマ数が定められているとともに、当選した小役を入賞ラインに最大４コマの範囲で引き込めない停止操作位置については、当選した特別役を入賞ラインに４コマの範囲で最大限に引き込むように滑りコマ数が定められた停止制御テーブルを作成し、リールの停止制御を行う。これにより、停止操作が行われた際に、入賞ライン上に最大４コマの引込範囲で当選している小役を揃えて停止させることができれば、これを揃えて停止させる制御が行われ、入賞ライン上に最大４コマの引込範囲で当選している小役を引き込めない場合には、入賞ライン上に最大４コマの引込範囲で当選している特別役を揃えて停止させることができれば、これを揃えて停止させる制御が行われ、当選していない役は、４コマの引込範囲でハズシて停止させる制御が行われることとなる。すなわちこのような場合には、特別役よりも小役を入賞ライン上に揃える制御が優先され、小役を引き込めない場合にのみ、特別役を入賞させることが可能となる。
【０１１３】
尚、本実施例では、特別役と小役が同時に当選している場合に、特別役よりも小役を入賞ライン上に揃える制御が優先され、小役を引き込めない場合にのみ、特別役を入賞させることが可能となる構成であるが、小役よりも特別役を入賞ライン上に揃える制御が優先され、特別役を引き込めない場合にのみ、小役を入賞させることが可能となる構成としても良い。
【０１１４】
特別役が前ゲーム以前から持ち越されている状態で再遊技役が当選した場合や特別役が持ち越されていない状態で特別役と再遊技役が同時に当選した場合など、特別役と再遊技役が同時に当選している場合には、停止操作が行われた際に、入賞ライン上に最大４コマの引込範囲で再遊技役の図柄を揃えて停止させる制御が行われる。尚、この場合、再遊技役を構成する図柄は、リール２Ｌ，２Ｃ，２Ｒのいずれについても５図柄以内、すなわち４コマ以内の間隔で配置されており、４コマの引込範囲で必ず任意の位置に停止させることができるので、特別役と再遊技役が同時に当選している場合には、遊技者によるストップスイッチ８Ｌ，８Ｃ，８Ｒの操作タイミングに関わらずに、必ず再遊技役が揃って入賞することとなる。すなわちこのような場合には、特別役よりも再遊技役を入賞ライン上に揃える制御が優先され、必ず再遊技役が入賞することとなる。
【０１１５】
本実施例においてメインＣＰＵ４１ａは、リール２Ｌ，２Ｃ，２Ｒの回転が開始した後、ストップスイッチ８Ｌ，８Ｃ，８Ｒの操作が検出されるまで、停止操作が未だ検出されていないリールの回転を継続し、ストップスイッチ８Ｌ，８Ｃ，８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ，８Ｃ，８Ｒの操作が検出されるまで、停止操作が未だ検出されていないリールの回転を継続し、ストップスイッチ８Ｌ，８Ｃ，８Ｒの操作が検出されたことを条件に、対応するリールに表示結果を停止させる制御を行うようになっている。
【０１１６】
尚、本実施例では、ストップスイッチ８Ｌ，８Ｃ，８Ｒの操作が検出されたことを条件に、対応するリールに表示結果を停止させる制御を行うようになっているが、リールの回転が開始してから、予め定められた自動停止時間が経過した場合に、リールの停止操作がなされない場合でも、停止操作がなされたものとみなして自動的に各リールを停止させる自動停止制御を行うようにしても良い。この場合には、遊技者の操作を介さずにリールが停止することとなるため、例え、いずれかの役が当選している場合でもいずれの役も構成しない表示結果を導出させることが好ましい。
【０１１７】
本実施例では、メインＣＰＵ４１ａが演出制御基板９０に対して、ＢＥＴコマンド、クレジットコマンド、内部当選コマンド、リール回転開始コマンド、リール停止コマンド、入賞判定コマンド、払出開始コマンド、払出終了コマンド、遊技状態コマンド、待機コマンド、打止コマンド、エラーコマンド、復帰コマンド、設定開始コマンド、確認開始コマンド、確認終了コマンド、操作検出コマンドを含む複数種類のコマンドを送信する。
【０１１８】
これらコマンドは、コマンドの種類を示す１バイトの種類データとコマンドの内容を示す１バイトの拡張データとからなり、サブＣＰＵ９１ａは、種類データからコマンドの種類を判別できるようになっている。
【０１１９】
次に、遊技制御基板４０を収納する基板ケース２００の構造及び基板ケース２００の筐体１ａに対する取付構造について説明する。尚、以下の説明においては、図２に示すように筐体１ａの背板１ｃに取り付けられた状態の基板ケース２００を筐体１ａの正面から見た場合を基準として、基板ケース２００の上下、左右、前後方向を示すものとする。
【０１２０】
図５に示すように、遊技制御基板４０が収容された基板ケース２００は、筐体１ａの背板１ｃ内面上部に取り付けられる固定ベース３０１及び係止部材３０３と、固定ベース３０１に回動可能に支持される可動ベース３０２と、から主に構成されるケース支持装置３００における可動ベース３０２の前面側に取り付けることにより、背板１ｃの内面上部に、上下方向を向く軸周りに回動可能に取り付けられる。
【０１２１】
（基板ケース）
基板ケース２００は、図６に示すように、回路基板の一例である遊技制御基板４０の裏面（他面）４０ｂ側を覆う第１被覆体としてのベース部材２０１と、遊技制御基板４０の実装面（一面）４０ａ側を覆う第２被覆体としてのカバー部材２０２と、から構成され、遊技制御基板４０を挟持するように組み付けられるものである。尚、遊技制御基板４０の実装面４０ａには、特に詳細な図示はしないが、ＣＰＵ４１ａ、ＲＯＭ４１ｂ、ＲＡＭ４１ｃ、Ｉ／Ｏポート４１ｄを備えたマイクロコンピュータ（制御用マイクロコンピュータ）からなるメイン制御部４１や、他の基板からのケーブルの一端に設けられたケーブル側コネクタ等が接続される基板側コネクタ６２０ａ〜６２０ｄ等が多数実装されている。
【０１２２】
（ベース部材）
ベース部材２０１は、図６及び図７に示すように、透明な熱可塑性合成樹脂からなり、略長方形状に形成されるベース板２０１ａを有し、該ベース板２０１ａの上下長辺には、前向きに立設された一対の側壁２０１ｂ，２０１ｂがそれぞれ長手方向に沿って延設されている。側壁２０１ｂ，２０１ｂには、カバー部材２０２に設けられた後述する係合片２２０が摺動自在に挿通される係合溝２５０が、長手方向の中央及び左右位置にそれぞれ形成されている。これら係合溝２５０は、側面視略Ｌ字形に形成され、その前端は側壁２０１ｂの前端にて前方に開放され、後述するように各係止片２０３，２０３を前方から挿通し、ベース板２０１ａに沿って右側に移動させることで、カバー部材２０２を封止位置に係止できるようになっている。
【０１２３】
また、各側壁２０１ｂ，２０１ｂの外面後部位置には、カバー部材２０２の下端が当接する当接片２０４，２０４が長手方向に沿って延設されているとともに、各側壁２０１ｂ，２０１ｂの内側近傍位置には、遊技制御基板４０の裏面４０ｂの上下辺部を当接支持する支持片２０５，２０５が側壁２０１ｂ，２０１ｂに沿って延設されている。
【０１２４】
ベース部材２０１の左側の短辺２０１ｃには、後述するカバー部材２０２に形成される挿通穴２２２，２２２に挿通可能な係止片２０３，２０３が、長手方向の両側からそれぞれ外向きに突設されている。また、短辺２０１ｃに対向する短辺２０１ｄの中央部には、ベース板２０１ａの一部を前面側に向けて隆起させてなる隆起部２０６が形成されており、該隆起部２０６の前面には第１被覆体側封止部としてのベース側溶着部２０７が形成されている。このベース側溶着部２０７は、ベース部材２０１とカバー部材２０２とが位置合わせ（合体）されたときに後述するカバー部材２０２の第２被覆体側溶着部としてのカバー側溶着部２２３の後面側に対向するようになっている。
【０１２５】
短辺２０１ｄにおける隆起部２０６上側方部には、後述する閉鎖ネジ２２６が取り付けられるネジ孔２０９が形成されたベース側封印部２２９が設けられており、隆起部２０６下側方部には、後述するワンウェイネジ２４０ｃが取り付けられるネジ孔２１０が設けられた予備用封止片２１１が外向きに突設されている。尚、ベース側封印部２２９の詳細な構造は後述することとする。
【０１２６】
（カバー部材）
カバー部材２０２は、図６及び図８に示すように、透明な熱可塑性合成樹脂からなり、中央が外向きに膨出する略長方形状のカバー板２０２ａと、該カバー板２０２ａの長辺に沿って後向きに立設された一対の側壁２０２ｂ，２０２ｂと、短辺に沿って後向きに立設された一対の側壁２０２ｃ，２０２ｄとにより、後面側が開放するとともに、下長辺側に横長の凹部２０２ｅが形成された凸型の箱状に成形されている。側壁２０２ｂ，２０２ｂの内面における中央位置及び左右側には、ベース部材２０１の係合溝２５０に係合可能な係合片２２０（図６参照）が内向きに突設されている。
【０１２７】
また、カバー板２０２ａの前面周囲には、カバー板２０２ａの前面から突設するリブ２０２ｇが四角枠状に形成され、カバー板２０２ａの前面側を設置面に向けて設置した状態において該カバー板２０２ａの前面が設置面と接触することが回避されている。これにより、例えば後述する溶着部を溶着する際において、カバー板２０２ａの前面が治具の設置面と摺接して傷が付くことや、該前面に貼付される管理シール等の損傷が防止されるようになっている。また、カバー板２０２ａの角部（実装面４０ａに搭載されたメインＣＰＵ４１ａやＲＯＭ４１ｂ等から極力離れた位置）には、放熱用の小孔２０２ｆが複数形成されている。
【０１２８】
カバー部材２０２の一方の短辺の側壁２０２ｃ外面の長手方向の両端部には、後述する回動軸３３３に当接し、該回動軸３３３の軸支溝３２０からの離脱を規制するとともに、回動軸３３３を前面側から被覆可能な一対の板状片２２１，２２１が外向きに突設されているとともに、その後面側には、ベース部材２０１の係止片２０３，２０３が挿通可能な長方形状の挿通穴２２２，２２２が形成されている。
【０１２９】
他方の短辺の側壁２０２ｄの長手方向の中央部には、第２被覆体側封止部としての板状のカバー側溶着部２２３が外向きに延設され、ベース部材２０１とカバー部材２０２とが位置合わせされたときに、ベース部材２０１のベース側溶着部２０７の上面側に対向するとともに、カバー側溶着部２２３の右端部が規制片２０８に当接して移動規制されるようになっている。
【０１３０】
側壁２０２ｄの長手方向の上側方位置には、ベース部材２０１とカバー部材２０２とが位置合わせされたときに、ベース部材２０１のネジ孔２０９の前面側に対向して配置されるカバー側封印部２２４が形成されている。カバー側封印部２２４の前面は、後述する封印シール４００（図６参照）を貼付可能な平坦状の封印シール貼付面とされているとともに、ネジ孔２０９に対向する位置には、閉鎖ネジ２２６（図６参照）を取り付け可能な取付穴２２７が底面に形成された円筒状の凹部２２７ａが形成されており、該凹部２２７ａ内に閉鎖ネジ２２６の頭部を収容できるようになっている。尚、カバー側封印部２２４の詳細な構造については後述することとする。
【０１３１】
側壁２０２ｄの長手方向の下側方位置には、取付封止片２３０、予備用取付封止片２３１、予備用封止片２３２がそれぞれ側壁２０２ｄの外面から外向きに突設されている。取付封止片２３０及び予備用取付封止片２３１は、後述する可動ベース３０２に基板ケース２００を設置したときに、該可動ベース３０２に取り付けられる後述する取付台座３１５に対向する位置に設けられている。予備用封止片２３２は、ベース部材２０１とカバー部材２０２とが位置合わせされたときに、ベース部材２０１の予備用封止片２１１に対向する位置に設けられている。
【０１３２】
取付封止片２３０、予備用取付封止片２３１、予備用封止片２３２は、特に図１０（ａ）に示すように、後述するワンウェイネジ２４０ａ〜２４０ｃを収容可能な筒状部と、筒状部と側壁２０２ｄとを連接する切断片（カバー部材２０２の一部）２３３とで構成されている。そして、切断片２３３を介して筒状部が側壁２０２ｄから所定距離離間した状態で配置されている。よって、切断片２３３は、ニッパ等の工具で切断（破壊）できるとともに、カバー部材２０２の一側縁である側壁２０２ｄの外面から外方に向けて複数突設され、各切断片２３３の先端に筒状部である取付封止片２３０、予備用取付封止片２３１、予備用封止片２３２が設けられている。
【０１３３】
取付封止片２３０、予備用取付封止片２３１、予備用封止片２３２の筒状部は、上面が開口する有底四角筒状に形成され、内部にワンウェイネジ２４０ａ〜２４０ｃを収納可能な大きさを有し、ワンウェイネジ２４０ａ〜２４０ｃの上部を収納可能な大きさに形成されているとともに、底部には、ワンウェイネジ２４０ａ〜２４０ｃの頭部の直径よりも小径の取付孔２３４、２３５が形成されている。取付孔２３４は、封止状態において、ネジ孔２１０の対向位置に配置される。取付穴２３５，２３５は、後述する取付状態において、取付穴３１６ａ，３１６ｂの対向位置に配置される。
【０１３４】
尚、特に図示はしないが、取付封止片２３０、予備用取付封止片２３１、予備用封止片２３２の上面にはキャップが装着可能とされており、例えばキャップと各封止片２３０〜２３２とを接着剤で接着したり、各筒状部の内面上端に形成した段部に係止することによって、キャップにより各封止片２３０〜２３２の上面開口を閉塞してもよい。
【０１３５】
凹部２０２ｅには、当該カバー部材２０２の裏面側に取り付けられる遊技制御基板４０に設けられた複数の基板側コネクタ６２０それぞれを外方に挿通するためのコネクタ用開口２３６ａ〜２３６ｇがそれぞれ形成されている。また、前述したスタートスイッチ７が接続される基板側コネクタ６２０ｂに対応するコネクタ用開口２３６ｃの側部には、前述したコネクタ規制部材６５０に設けられた係合穴（図示略）に係合する弾性爪２３７ａが内部に形成された係合筒２３７が突設されている。
【０１３６】
また、カバー部材２０２の裏面側には、図６に示すように、遊技制御基板４０が、４つの取付ネジ２３８によって四隅を止着することにより取り付けられる。遊技制御基板４０は、電子部品等が実装（搭載）される実装面４０ａ（搭載面）をカバー部材２０２の裏面に対向させた状態で、カバー部材２０２の裏面側に取り付けられ、取り付けられた状態において、実装面４０ａの裏面４０ｂが側壁２０２ｂ〜２０２ｄの下端よりも上方に位置するように収容される。
【０１３７】
（基板ケースの封止）
次に、ベース部材２０１とカバー部材２０２との封止状況について説明する。まず、図６に示されるように、カバー部材２０２の裏面側に取付ネジ２３８を介して遊技制御基板４０を取り付ける。この際、遊技制御基板４０の実装面４０ａをカバー部材２０２の裏面に対向させた状態で、遊技制御基板４０をカバー部材２０２内に嵌め込んで位置決めし、遊技制御基板４０の四隅に取付ネジ２３８を取り付け、カバー部材２０２のネジ穴（図示略）に取り付ける。
【０１３８】
このように、カバー部材２０２の裏面側に、実装面４０ａが被覆されるように遊技制御基板４０を取り付けた状態で収容することで、万が一カバー部材２０２が不正に開放された場合でも、カバー部材２０２から遊技制御基板４０を取り外さない限り、実装面４０ａに実装されたメインＣＰＵ４１ａやＲＯＭ４１ｂ等の電子部品に不正行為を施すことができなくなるので、手間がかかるようになる。
【０１３９】
次いで、カバー部材２０２の裏面側に取り付けられた遊技制御基板４０の裏面４０ｂをベース部材２０１のベース板２０１ａの前面と対向させ、ベース部材２０１の短辺２０１ｃからカバー部材２０２の側壁２０２ｃがはみ出すようにカバー部材２０２をベース部材２０１に近接し、カバー部材２０２の各係合片２２０をベース部材２０１の各係合溝２５０の開放端部から挿通する。このとき、カバー部材２０２の側壁２０２ｃによりベース部材２０１の側壁２０１ｂの外面が覆われる。そしてこの状態で、カバー部材２０２を右側に向けて長手方向（図６中右側に向けて）にスライドさせる。
【０１４０】
そして、各係合片２２０が各係合溝２５０の端部に当接するとともに、カバー側溶着部２２３の右端部が規制片（図示略）に当接してスライド移動が規制されると、左側の短辺では、ベース部材２０１の係止片２０３，２０３がカバー部材挿通穴２２２，２２２内に挿通される。このように、各係合片２２０が各係合溝２５０に係合され、カバー側溶着部２２３の右端部が規制片（図示略）に係止され、係止片２０３，２０３がカバー部材挿通穴２２２，２２２内に挿通されることによりベース部材２０１にカバー部材２０２が組み付けられ、ベース部材２０１に対するカバー部材２０２の組付位置が決定し、ベース部材２０１とカバー部材２０２とが位置合わせ（合体）されてベース部材２０１の開口が閉鎖された閉鎖状態（係止状態）となり、後述する封止が可能な状態となる（図９及び図１０参照）。
【０１４１】
このように本実施例の基板ケース２００は、前記閉鎖状態からカバー部材２０２を開放するためには、まずベース部材２０１のベース板２０１ａに沿ってカバー部材２０２をスライド移動させなければ、ベース部材２０１に対してカバー部材２０２を係止または係止状態を解除することができず、係止作用によりベース部材２０１からのカバー部材２０２の離脱、つまり浮き上がりが効果的に規制される。
【０１４２】
また、閉鎖状態において、予備用封止片２３２の取付孔２３４がネジ孔２１０の対向位置に配置されるとともに、取付穴２２７がネジ孔２０９の対向位置に配置され、また、カバー側溶着部２２３がベース側溶着部２０７の対向位置に配置される（図１０（ａ）参照）。
【０１４３】
ここで、例えばメーカー等により、遊技制御基板４０を基板ケース２００内に収納して遊技店等に出荷する際等においては、溶着部であるカバー側溶着部２２３とベース側溶着部２０７とを例えば超音波溶着機等を用いて超音波溶着（かしめ）する（第１封止状態とも言う）。また、閉鎖ネジ２２６は、外周に雄ネジ部（取付部）が形成された棒状部と、該棒状部の一端に形成され凹部２２７ａに収納される頭部と、からなる一般的なネジであり、凹部２２７ａの開口２２７ｂから取付穴２２７に閉鎖ネジ２２６の棒状部を挿通してネジ孔２０９に螺入した後、カバー側封印部２２４とベース側封印部２２９とに跨るように封印シール４００を貼付して封止状態（第２封止状態または封印状態とも言う）を構成するとともに、該貼付した封印シール４００を覆うように、合成樹脂材からなるコ字形のシール保護カバー２２８をカバー部材２０２とベース部材２０１とを挟み込むように装着し、封印シール４００を保護した状態で出荷する。
【０１４４】
（封印構造）
次に、封印部及び封印シールの詳細な構造について説明する。図１５は、（ａ）は封印シールの構成を示す正面図、（ｂ）は（ａ）のＫ−Ｋ断面図である。図１６は、（ａ）は溶剤Ａにより第１溶剤使用表示部のインクが溶解した状態を示す封印シールの正面図、（ｂ）は溶剤Ｂにより第２溶剤使用表示部のインクが溶解した状態を示す封印シールの正面図である。図１７は、経年劣化により発色した状態を示す封印シールの正面図である。図１８は、溶剤Ａ、溶剤Ｂを使用した場合及び経年劣化による第１溶剤使用表示部、第２溶剤使用表示部及びシール基材の変化を示す説明図である。図１９は、（ａ）は封印部を前側から見た状態を示す斜視図、（ｂ）は封印部を後側から見た状態を示す斜視図である。図２０は、（ａ）は封印シール周辺を拡大して示す正面図、（ｂ）は封印シール周辺を拡大して示す側面図、（ｃ）は封印シール周辺を拡大して示す背面図である。図２１は、図２０（ａ）のＲ−Ｒ断面図である。図２２は、図２１のＴ−Ｔ断面図である。
【０１４５】
封印シール４００は、図１５（ａ）に示す封印シール４００の正面視において左右幅方向を向く長辺Ｌ１０と上下方向を向く短辺Ｌ２０とを有する略長方形状に形成されており、図１５（ｂ）に示すように、封印シール４００は、封印シール４００を貼付可能とするための粘着剤層４０２と、該粘着剤層４０２が形成されるシール基材４０１と、から構成されており、粘着剤層４０２の表面には離型紙４０４が貼付されている。この剥離紙４０４は封印シール４００を基板ケース２００に貼り付ける際に剥離される。尚、粘着剤層４０２は、シール基材４０１の全域にわたり設けられている。
【０１４６】
シール基材４０１は、可撓性基材により形成すれば良い。これら可撓性基材は、剥離に使用される後述する溶剤Ａや溶剤Ｂを浸透不能なポリエステル系フィルムなどの樹脂フィルムを使用しても良いが、これらポリエステル系フィルム等の樹脂フィルムは、いずれも高価であるとともに、加熱等による寸法変化等が大きく、通常の紙等に比較して印刷等の加工がし難い等の点から、安価であって加工が比較的容易であるが、溶剤Ａ及び溶剤Ｂが浸透しやすい紙材等を使用しても良く、本実施例では、紙材を使用している。尚、樹脂フィルムであっても、紙と同様に溶剤が浸透可能なものを使用しても良い。本実施例に用いたシール基材４０１は、図１５（ｂ）に示すように、青色染料（顔料でも良い）が内封された無数のマイクロカプセル４０１ａ，４０１ｂが予め混入された溶剤発色紙で構成されている。尚、図１５（ｂ）においては、区別ができるように、便宜上、マイクロカプセル４０１ｂを黒色の点で記載しているが、実際には、マイクロカプセル４０１ａ，４０１ｂともに、白色のマイクロカプセルであり、該マイクロカプセルを含む溶剤発色紙も、通常の紙と同じく白色である。
【０１４７】
これらマイクロカプセル４０１ａ，４０１ｂのうちマイクロカプセル４０１ａは、代表的な非極性溶剤であるトルエン、キシレン、ソルベントナフサ等の石油系溶剤の含有量が高く、極性溶剤の１つであるメタノール、エタノール、ブタノール等のアルコール系溶剤の含有量が低い（含有量０％でも良い）非極性型の溶剤Ａには溶解し易いが、石油系溶剤の含有量が低く（含有量０％でも良い）、アルコール系溶剤の含有量が高い極性型の溶剤Ｂには溶解し難い合成樹脂（例えば、ポリスチレン等）により形成されており、非極性型の溶剤Ａに接触することにより、カプセルが溶解して内封されている青色染料が流出するようになっている。
【０１４８】
一方、マイクロカプセル４０１ｂは、マイクロカプセル４０１ａとは逆に、極性型の溶剤Ｂには溶解し易いが、非極性型の溶剤Ａには溶解し難い合成樹脂（例えば、ポリビニルアルコール等）により形成されており、極性型の溶剤Ｂに接触することにより、カプセルが溶解して内封されている青色染料が流出するようになっている。
【０１４９】
よって、本実施例のシール基材４０１は、図１８に示すように、溶剤Ａ，Ｂのいずれか一方でも使用された場合には、マイクロカプセル４０１ａ，４０１ｂのどちらかが溶解し、マイクロカプセル４０１ａ，４０１ｂに内封されている青色インクが流出してシール基材４０１が青く発色するようになっている。尚、マイクロカプセル４０１ａ，４０１ｂに封入されている青色染料は、溶剤Ａ及び溶剤Ｂと接触しても、色が変色したり退色したりしないものを使用すれば良い。また、マイクロカプセル４０１ａ，４０１ｂとで異なる色の染料を内封してもよい。
【０１５０】
尚、本実施例では、青色染料が内封されたマイクロカプセル４０１ａ，４０１ｂを用いた形態を例示したが、本発明はこれに限定されるものではなく、これらマイクロカプセル４０１ａ，４０１ｂには、顕色剤を内封するとともに、シール基材４０１にロイコ染料を含むようにし、溶剤Ａ，Ｂのいずれか一方が使用されることで顕色剤がマイクロカプセル４０１ａ，４０１ｂから流出してロイコ染料が発色するようにしても良い。
【０１５１】
また、本実施例のシール基材４０１は、図１７及び図１８に示すように、通常の感圧発色紙等を同様に、空気中の酸素等による酸化により、経時変化（経年劣化）が進むことで、赤色や赤褐色に発色する（特に、上記したロイコ染料を用いた場合には顕著である）ので、これら経時変化（経年劣化）による発色とは異なる色である、例えば青色とすることで、封印シール４００に溶剤Ａまたは溶剤Ｂが使用された状態を、シール基材４０１が経年劣化した状態と混同してしまうことを容易に防止することが可能となっている。
【０１５２】
尚、これらシール基材４０１としては、粘着剤層４０２の粘着力が低下する温度（例えば、５０℃）以上の熱が加えられた場合に溶解するマイクロカプセル内に青色染料を封入することで、粘着剤層４０２の粘着力が低下する温度以上の熱が加えられた場合に発色する等の機能を持たせるようにしても良く、このようにすることで、封印シール４００を不正に剥がそうとして熱が加えられた場合にも、シール基材４０１が青く発色することで当該不正行為の痕跡を残すことができるようになる。
【０１５３】
また、シール基材４０１は、粘着剤層４０２の粘着力よりも強度が低い素材にて形成されている、または粘着剤層４０２よりも薄肉に形成されていることで、基板ケース２００に貼付した後に剥離した場合、粘着剤層４０２の粘着力に負けてシール基材４０１が破断しやすいようになっている。
【０１５４】
シール基材４０１の表面のうち、粘着剤層４０２が形成されていない表面には、図１５（ａ）に示すように、「開封禁止」の文字及び枠線が、封印シール４００を基板ケース２００に所定態様にて貼付したときに、該基板ケース２００を構成するカバー部材２０２とベース部材２０１との境界部Ｚ（図２０（ｂ）参照）や、後述する封印シール貼付部における角部Ｃ１，Ｃ２に位置しない部分に配置されるように印刷形成されている。
【０１５５】
このうち「開封禁止」の文字は、前述した溶剤Ａ等の非極性型の溶剤に溶解し易い一方、前述した溶剤Ｂ等の極性型の溶剤には溶解し難い非極性溶解型の特殊インクにて印刷されており（図１８参照）、該非極性溶解型の特殊インクによる「開封禁止」の文字が、例えば、溶剤Ａに接触すると、該「開封禁止」の文字を構成するインク層が溶剤Ａに溶解して、文字のコントラストが低下するようになっており（例えば、図１６（ａ）参照）、これら「開封禁止」の文字によって本発明の第１溶剤使用表示部が形成されている。
【０１５６】
尚、これら非極性溶解型の特殊インクとしては、例えば、前述したマイクロカプセル４０１ａを形成する樹脂をバインダーに使用した石油系インクやエマルジョンインクを使用すれば良いが、これら石油系インクやエマルジョンインクを使用した場合には、印刷にて形成された「開封禁止」に対応するシール基材４０１の表面が、印刷時に特殊インクに含まれる溶剤により青色に変化して、「開封禁止」の文字が溶剤Ａに接触して溶解しても、下地が青色に変化していることで、コントラストの低下が解り難くなってしまうことから、例えば、「開封禁止」の文字を転写フィルムに印刷しておき、該転写フィルムを用いて「開封禁止」の文字をシール基材４０１表面に熱転写にて形成したり、通常のコピー機のように、ポリスチレンを主成分とするトナーを使用して「開封禁止」の文字を形成することで、「開封禁止」の文字が形成されたシール基材４０１の部分が青色に変化しないようにしても良い。
【０１５７】
第１溶剤使用表示部は、「開封禁止」の「開」の文字を表す第１溶剤使用表示部４５０Ａと、「封」の文字を表す第１溶剤使用表示部４５０Ｂと、「禁」の文字を表す第１溶剤使用表示部４５０Ｃと、「止」の文字を表す第１溶剤使用表示部４５０Ｄと、から構成されている。また、図１５（ａ）に示すように封印シール４００の正面視において、「開封禁止」の「開」を示す第１溶剤使用表示部４５０Ａは角部Ｃ１の左方に配置され、「封」を示す第１溶剤使用表示部４５０Ｂは角部Ｃ１と境界部Ｚの間に配置され、「禁」を示す第１溶剤使用表示部４５０Ｃは境界部Ｚと角部Ｃ２の間に配置され、「止」を示す第１溶剤使用表示部４５０Ｄは角部Ｃ２右方に配置されている。
【０１５８】
一方、枠線は、前述した溶剤Ｂ等の非極性型の溶剤に溶解し易い一方、前述した溶剤Ａ等の極性型の溶剤には溶解し難い極性溶解型の特殊インクにて印刷されており（図１８参照）、該極性溶解型の特殊インクによる枠線が、例えば、溶剤Ｂに接触すると、該枠線を構成するインク層が溶剤Ｂに溶解して、枠線のコントラストが低下するようになっており（例えば、図１６（ｂ）参照）、この枠線によって本発明の第２溶剤使用表示部が形成されている。尚、これら極性溶解型の特殊インクは、例えば、前述したマイクロカプセル４０１ｂを形成する樹脂をバインダーに使用したアルコール系インク等を使用すれば良いが、これらアルコール系インクを使用した場合には、印刷にて形成された枠線に対応するシール基材４０１の表面が「開封禁止」の文字と同様に青色に変化して、枠線が溶剤Ｂに接触して溶解しても、下地が青色に変化していることで、コントラストの低下が解り難くなってしまうことから、例えば、枠線を「開封禁止」の文字とともに転写フィルムに印刷しておき、該転写フィルムを用いて枠線をシール基材４０１表面に熱転写にて形成することで、枠線が形成されたシール基材４０１の部分が青色に変化しないようにしても良い。
【０１５９】
第２溶剤使用表示部は、図１５（ａ）に示すように、封印シール４００の正面視における封印シール４００の右部において、第１溶剤使用表示部４５０Ｄと右方の短辺Ｌ２０の間に配置され該短辺Ｌ２０に沿って封印シール４００の上下方向に延びる第２溶剤使用表示部４６０Ａと、該第２溶剤使用表示部４６０Ａの下端部から長辺Ｌ１０に沿って角部Ｃ２に向けて延びる第２溶剤使用表示部４６０Ｂと、該第２溶剤使用表示部４６０Ａの上端部から長辺Ｌ１０に沿って角部Ｃ２に向けて延びる第２溶剤使用表示部４６０Ｃと、封印シール４００の上端部及び下端部において境界部Ｚと角部Ｃ２の間で長辺Ｌ１０に沿って延びる第２溶剤使用表示部４６０Ｄと、を含む。
【０１６０】
更に、第２溶剤使用表示部は、図１５（ａ）に示すように、封印シール４００の正面視における封印シール４００の左部において、第１溶剤使用表示部４５０Ａと左方の短辺Ｌ２０の間に配置され該短辺Ｌ２０に沿って封印シール４００の上下方向に延びる第２溶剤使用表示部４６０Ａと、該第２溶剤使用表示部４６０Ａの下端部から長辺Ｌ１０に沿って角部Ｃ１に向けて延びる第２溶剤使用表示部４６０Ｂと、該第２溶剤使用表示部４６０Ａの上端部から長辺Ｌ１０に沿って角部Ｃ１に向けて延びる第２溶剤使用表示部４６０Ｃと、封印シール４００の上端部及び下端部において境界部Ｚと角部Ｃ１の間で長辺Ｌ１０に沿って延びる第２溶剤使用表示部４６０Ｄと、を含む。
【０１６１】
つまり、これら第２溶剤使用表示部４６０Ａ〜４６０Ｄは、封印シール４００が基板ケース２００に貼付されたときに境界部Ｚや角部Ｃ１，Ｃ２に位置しない部分に配置されるように、境界部Ｚや角部Ｃ１，Ｃ２に対応する位置に隙間が形成されるように設けられている。
【０１６２】
このように第２溶剤使用表示部４６０Ａ〜４６０Ｄは、封印シール４００の縁部としての長辺Ｌ１０及び短辺Ｌ２０の近傍位置に沿うように、第１溶剤使用表示部４５０Ａ〜４５０Ｄを囲む四角枠状（枠線）に構成されている。尚、第２溶剤使用表示部４６０Ａ，４６０Ｂ，４６０Ｃの一部は、ホログラム表示部４５３Ａ、４５３Ｂにより分断されている。
【０１６３】
また、封印シール４００の表面４００ａには、前述した第１溶剤使用表示部４５０Ａ〜４５０Ｄ、第２溶剤使用表示部４６０Ａ〜４６０Ｄに加えて、各々の封印シール４００を識別可能な識別情報であるシリアル番号が目視にて読み取り可能に表示された第１識別情報表示部４５１と、各々の封印シール４００を識別可能な識別情報が符号化されることにより所定の読取装置にて読み取り可能な２次元コードが表示された第２識別情報表示部４５２とが、例えば、紫外線硬化インク等の硬化性インクから成ることで溶剤Ａ及び溶剤Ｂに溶解し難い耐性インクにて印刷形成されている。
【０１６４】
第１識別情報表示部４５１は、例えば、１桁の固定文字と９桁の英数字からなる識別情報が印刷されており、第１識別情報表示部４５１に印刷されている英数字はスロットマシン１毎に異なっており、遊技店等において各基板ケース２００を管理するための識別情報とされている。また、第２識別情報表示部４５２は、所謂２次元コードからなる識別情報が印刷されており、第１識別情報表示部４５１に印刷されている識別情報とは異なっている。
【０１６５】
また、封印シール４００の表面には、偽造を防止するためのホログラム表示部４５３Ａ、４５３Ｂが、封印シール４００の対角の隅部近傍位置を斜め方向に横断するように貼付されており、１の封印シール４００の複数の位置にホログラム表示部４５３Ａ、４５３Ｂが貼付されていることで、より偽造がし難くなっている。
【０１６６】
粘着剤層４０２は、一般に使用されている公知の粘着剤、例えば、アクリル系粘着材や、シリコーン系粘着材や、改質澱粉等の水溶性やアルコール溶性の粘着材等を使用することができる。但し、これらの粘着剤としては、非極性型溶剤である溶剤Ａや極性型溶剤である溶剤Ｂ等の剥離に使用される溶剤によって、できるだけ剥離が困難な溶剤耐性が高いものを用いるようにすることが好ましい。
【０１６７】
基板ケース２００は、内部に収納される基板を視認にて確認できるように、通常において透明であって機械強度が高い樹脂であるポリカードネート樹脂やアクリル樹脂が使用されるが、これらポリカードネート樹脂やアクリル樹脂は、トルエンやキシレン等の芳香族系溶剤やメチルエチルケトン（ＭＥＫ）や酢酸エチル等の単体やこれらの溶剤が混合された一般溶剤に容易に溶解してしまうので、これら一般溶剤で剥離できる粘着剤を使用すると、溶剤の使用により、基板ケース２００自体が溶解して透明性が低下してしまうため、基板ケース自体を交換しなければならなくなってしまう。
【０１６８】
このため、例えば、遊技機のメーカー等において間違って封印シール４００を貼付してしまった場合等に、これら間違って貼付した封印シール４００を基板ケース２００に悪影響を与えることなく剥離できるようにするためには、これら基板ケース２００を構成するポリカードネート樹脂やアクリル樹脂を不透明化しない溶剤、例えば、水等の極性溶剤やアルコール系溶剤や脂肪酸系溶剤等の単一または混合液に、粘着剤と基板ケース２００の貼付面との間に侵入して粘着力を低下するための界面活性剤等を添加したもの、つまり、基板ケース２００を構成する樹脂に悪影響を与えることのない特定の溶剤にて剥離することのできるものであって、粘着力が高く、劣化の少ないものを使用すれば良い。
【０１６９】
よって、「開封禁止」の文字形成に使用される特殊インク及び枠線の形成に使用される特殊インクとしては、これら基板ケース２００を構成する樹脂に悪影響を与えることのない特定の溶剤（例えば、溶剤Ｂ）と接触することで、溶解したり反応したりして目視の状態が変化するものを使用すれば良く、具体的には、使用される粘着剤と同様の樹脂成分を有することで、特定の溶剤により溶解し易い樹脂をワニスの主成分とするインクや、特定の溶剤に含まれる脂肪酸等に反応して呈色するマイクロカプセル等を混合したインク等を好適に使用することができる。
【０１７０】
このようにすることで、遊技機のメーカー等において間違って封印シール４００を貼付しても、特定の溶剤を使用することで基板ケース２００を取り替えることなく封印シール４００を剥離することができるようになるとともに、例え、これら特定の溶剤が、第３者により不正に取得されて使用されたとしても、特定の溶剤が使用されたことが第１溶剤使用表示部４５０Ａ〜４５０Ｄからなる「開封禁止」の文字や第２溶剤使用表示部４６０Ａ〜４６０Ｄからなる枠線が変化することで特定できるため、特定の溶剤が不正に使用された場合に基板ケース２００が不透明化せず、しかも第１溶剤使用表示部４５０Ａ〜４５０Ｄ及び第２溶剤使用表示部４６０Ａ〜４６０Ｄのいずれも溶解しないことで封印シール４００が剥離された痕跡が残らなくなることが防止される。
【０１７１】
加えて、本実施例では、溶剤Ａが使用された場合はシール基材４０１内のマイクロカプセル４０１ａが溶解することでシール基材４０１が青色に発色し、溶剤Ｂが使用された場合はシール基材４０１内のマイクロカプセル４０１ｂが溶解することでシール基材４０１が青色に発色し、該シール基材４０１の青色発色と、第１溶剤使用表示部４５０Ａ〜４５０Ｄからなる「開封禁止」の文字の変化または第２溶剤使用表示部４６０Ａ〜４６０Ｄからなる枠線の変化により溶剤Ａまたは溶剤Ｂが使用されたこと、つまり、封印シール４００が剥離された可能性があることが特定できるようになっている（図１８参照）。
【０１７２】
尚、本実施例のシール基材４０１は、図１７及び図１８に示すように、遊技制御基板４０から発生するオゾンによる酸化等により経年劣化が進むことで、溶剤Ａまたは溶剤Ｂに接触することによる青色の発色とは異なる赤色に発色するようになっている。このため、シール基材４０１の発色が溶剤により発色したものか経年劣化により発色したものかを判別しやすくなっている。
【０１７３】
尚、本実施例における経年劣化とは、前述した遊技制御基板４０から発生するオゾンによるシール基材４０１の酸化の他、例えば、各種ランプの発光によるシール基材４０１の光劣化等を含む。
【０１７４】
このように、第１溶剤使用表示部４５０Ａ〜４５０Ｄ及び第２溶剤使用表示部４６０Ａ〜４６０Ｄは、シール基材４０１の表面に印刷形成されている。すなわち、第１溶剤使用表示部４５０Ａ〜４５０Ｄ及び第２溶剤使用表示部４６０Ａ〜４６０Ｄは、封印シール４００の経時変化（経年劣化）により発色する赤色とは異なる青色に発色する発色層、つまり、シール基材４０１にて構成される発色層を含んでいることで、溶剤Ａまたは溶剤Ｂに接触することにより第１溶剤使用表示部４５０Ａ〜４５０Ｄ及び第２溶剤使用表示部４６０Ａ〜４６０Ｄを構成する印刷層が溶解するだけでなく、シール基材４０１における第１溶剤使用表示部４５０Ａ〜４５０Ｄ及び第２溶剤使用表示部４６０Ａ〜４６０Ｄに対応する部分が少なくとも発色するため、溶剤Ａまたは溶剤Ｂが使用されたことを第１溶剤使用表示部４５０Ａ〜４５０Ｄ及び第２溶剤使用表示部４６０Ａ〜４６０Ｄの溶解だけでなく、シール基材４０１の発色によっても溶剤Ａまたは溶剤Ｂが使用されたことが判るようになる。
【０１７５】
尚、本実施例では、第１溶剤使用表示部４５０Ａ〜４５０Ｄ及び第２溶剤使用表示部４６０Ａ〜４６０Ｄが印刷形成されるシール基材４０１自体が発色層を構成していたが、シール基材４０１の表面に発色層を設け、さらに該発色層の表面に第１溶剤使用表示部４５０Ａ〜４５０Ｄ及び第２溶剤使用表示部４６０Ａ〜４６０Ｄが印刷形成されていてもよい。
【０１７６】
また、本実施例では、シール基材４０１全域に発色層が形成されていたが、少なくとも第１溶剤使用表示部４５０Ａ〜４５０Ｄまたは第２溶剤使用表示部４６０Ａ〜４６０Ｄの少なくとも一部が発色層を有していれば、他の領域は発色層を有していなくてもよい。また、本実施例では、青色に発色するようになっているが、経時変化による赤色とも異なる色であれば、発色する色は種々に変更可能である。
【０１７７】
また、複数種類の溶剤（例えば、溶剤Ａ，Ｂ）それぞれに溶解する特殊インクにて溶剤使用表示部を構成することで、一の種類の溶剤が使用されなかった場合でも他の種類の溶剤が使用されたときには変化が生じる可能性があるので、複数種類の溶剤に対応することが可能となる。
【０１７８】
すなわち、本実施例の封印シール４００は、溶剤使用表示部として、溶剤として所定比率にて所定の溶剤成分（例えば、トルエン、キシレン、ソルベントナフサ等の非極性型溶剤）を含む第１溶剤（例えば、溶剤Ａ）が用いられたときに該第１溶剤（例えば、溶剤Ａ）が使用された痕跡を示す第１溶剤使用表示部４５０Ａ〜４５０Ｄと、前記所定の溶剤成分の比率が第１溶剤（例えば、溶剤Ａ）とは異なる第２溶剤（例えば、溶剤Ｂ）が用いられたときに該第２溶剤（例えば、溶剤Ｂ）が使用された痕跡を示す第２溶剤使用表示部４６０Ａ〜４６０Ｄと、を含むことで、第１溶剤使用表示部４５０Ａ〜４５０Ｄには痕跡が残らない第２溶剤（例えば、溶剤Ｂ）が用いられたときには、第２溶剤使用表示部４６０Ａ〜４６０Ｄに痕跡が残るため、多様な溶剤の使用に対応することができる。
【０１７９】
尚、第１溶剤と該第１溶剤とは種類が異なる第２溶剤とは、例えば、溶剤として所定比率にて所定の溶剤成分を含む第１溶剤（例えば、トルエンの含有率１００％の溶剤）と、前記所定の溶剤成分の比率が前記第１溶剤とは異なる第２溶剤（例えば、メタノールの含有率１００％の溶剤）と、を含む。具体的には、例えば、所定の溶剤成分として非極性型のトルエンを１００％含有する第１溶剤と、前記所定の溶剤成分を含まない、つまり、トルエンの含有率が０％で極性型のメタノールの含有率が１００％の第２溶剤と、は種類が異なる溶剤である。
【０１８０】
また、同じ溶剤成分を含む溶剤であっても、例えば、所定成分として非極性型のトルエンの含有率が約８０％、他の溶剤成分の含有率が約２０％の第１溶剤と、所定成分として極性型のメタノールの含有率が約８０％、他の溶剤成分（溶剤成分としてトルエン約５％を含む）の含有率が約２０％の第２溶剤とは、それぞれ所定成分であるトルエンの比率が異なる溶剤であるため、第１溶剤と第２溶剤とは種類が異なる溶剤である。
【０１８１】
また、本実施例では、溶剤Ａが使用されたときには第１溶剤使用表示部４５０Ａ〜４５０Ｄのみが溶解し、第２溶剤使用表示部４６０Ａ〜４６０Ｄが使用されたときには溶剤Ｂが溶解するようになっていたが、例えば、溶剤Ａに第２溶剤使用表示部４６０Ａ〜４６０Ｄが溶解する溶剤成分が溶剤Ｂよりも小さい比率で含有されている場合、溶剤Ａが使用されたときに溶剤Ｂが使用されたときよりも溶解しにくいものの第２溶剤使用表示部４６０Ａ〜４６０Ｄも溶解するようにしてもよいし、溶剤Ｂに第１溶剤使用表示部４５０Ａ〜４５０Ｄが溶解する溶剤成分が溶剤Ａよりも小さい比率で含有されている場合、溶剤Ｂが使用されたときに溶剤Ａが使用されたときよりも溶解しにくいものの第１溶剤使用表示部４５０Ａ〜４５０Ｄも溶解してもよい。
【０１８２】
尚、上記した樹脂や溶剤等は一例に過ぎず、上記した特性を満たすものであれば、例示した以外の他の樹脂や溶剤を使用するようにしても良い。また、本実施例では、２種類の溶剤Ａ，Ｂそれぞれに溶解する第１溶剤使用表示部４５０Ａ〜４５０Ｄ及び第２溶剤使用表示部４６０Ａ〜４６０Ｄが設けられていたが、３種類以上の溶剤各々に対応する溶剤使用表示部を設けてもよい。
【０１８３】
また、「開封禁止」の文字形成に使用される特殊インク及び枠線の形成に使用される特殊インクが特定の溶剤Ａまたは溶剤Ｂと接触することで、溶解したり反応したりして目視の状態が変化するとは、図１６（ａ）及び図１６（ｂ）に示すように、例えば、第１溶剤使用表示部４５０Ｃ，４５０Ｄの文字形成に使用される特殊インクまたは第２溶剤使用表示部４６０Ａ，４６０Ｂ，４６０Ｄの枠線形成に使用される特殊インクが、特定の溶剤Ａまたは溶剤Ｂと接触することにより溶解して文字が消えることによる変化だけでなく、消えないまでも薄くなることを含む。
【０１８４】
すなわち、封印シール４００の粘着力を低下させるために所定の溶剤Ａまたは溶剤Ｂが用いられたときに該溶剤Ａまたは溶剤Ｂが使用された痕跡を示す第１溶剤使用表示部４５０Ａ〜４５０Ｄ及び第２溶剤使用表示部４６０Ａ〜４６０Ｄは、上記のように、視認可能に印刷された文字または枠線が消えること、視認可能に印刷された文字または枠線が薄くなる（コントラストが低下する）ことで溶剤Ａまたは溶剤Ｂが使用された痕跡を示すものを含む。
【０１８５】
尚、溶剤Ａまたは溶剤Ｂが使用された痕跡は、第１溶剤使用表示部４５０Ａ〜４５０Ｄまたは第２溶剤使用表示部４６０Ａ〜４６０Ｄの目視の状態が変化することにより示されるものであれば、上記のように、目視可能な状態に印刷された文字または枠線が消えて目視不能な状態に変化することにより、溶剤Ａまたは溶剤Ｂが使用された痕跡が示されるものを含む。さらに、目視不能な状態に印刷された文字や枠線（例えば、シール基材４０１の色と同色のインクなどにより印刷された文字や枠線など）が溶剤Ａまたは溶剤Ｂに反応して目視可能な状態に変化する、つまり、発色することにより溶剤が使用された痕跡が示されるものも含む。
【０１８６】
また、第１溶剤使用表示部４５０Ａ〜４５０Ｄまたは第２溶剤使用表示部４６０Ａ〜４６０Ｄの目視の状態が変化するとは、「開封禁止」の文字形成に使用される特殊インクまたは枠線形成に使用される特殊インクが溶解して第１溶剤使用表示部４５０Ａ〜４５０Ｄまたは第２溶剤使用表示部４６０Ａ〜４６０Ｄが消えるまたは薄くなる、発色するものだけでなく、例えば、特殊インクに反応することにより文字の色が変化するものであってもよいし、特殊インクが滲むもの等であってもよい。
【０１８７】
また、第１溶剤使用表示部及び第２溶剤使用表示部は、所定の溶剤が用いられたときに該溶剤が使用された痕跡を示すものであれば、上記のように、第１溶剤使用表示部の文字形成または第２溶剤使用表示部の枠線形成に使用される特殊インクに溶剤が接触することにより溶解または反応するものだけでなく、特殊インクに溶剤が接触せずに溶解または反応するものであってもよい。
【０１８８】
また、本実施例では、第１溶剤使用表示部の一例として、特殊インクにより印刷形成された「開封禁止」の文字を記載したが、文字の種類、文字数、配置位置は任意であり、種々に変更可能である。また、第１溶剤使用表示部は文字に限定されるものではなく、数字、記号、絵柄、装飾等により形成されていてもよい。また、第１溶剤使用表示部は複数箇所に配設されていなくても、１箇所にのみ配設されていてもよい。
【０１８９】
また、本実施例では、第２溶剤使用表示部の一例として、特殊インクにより印刷形成された枠線を記載したが、第２溶剤使用表示部は枠線に限定されるものではなく、文字、数字、記号、絵柄、装飾等により形成されていてもよい。また、第２溶剤使用表示部は封印シールの長辺Ｌ１０及び短辺Ｌ２０に沿って延設されているが、第２溶剤使用表示部は、封印シール４００の縁部としての長辺Ｌ１０または短辺Ｌ２０のいずれか一辺のみに沿って延設されていてもよい。さらに、長辺Ｌ１０及び短辺Ｌ２０に沿って連続的に延設されているものに限定されるものではなく、例えば、長辺Ｌ１０及び短辺Ｌ２０の近傍の所定箇所に部分的に配設されていても良い。
【０１９０】
このように、溶剤使用表示部は、封印シール４００の所定位置に配置された所定溶剤使用表示部（例えば、第１溶剤使用表示部４５０Ａ〜４５０Ｄ）よりも縁部である長辺Ｌ１０や短辺Ｌ２０に近い位置に配置されている方が好ましい。つまり、例えば、第３者が溶剤を使用して封印シール４００を破断しないように基板ケース２００から剥離しようとする場合、封印シール４００の角部や縁辺から剥離するために溶剤を封印シール４００の角部や縁辺に浸透させる可能性が高いため、この縁辺近傍に第２溶剤使用表示部４６０Ａ〜４６０Ｄを配置しておくことで溶剤が使用された痕跡を残しやすくなる。
【０１９１】
図１５（ａ）に示すように、封印シール４００には、シール基材４０１の表面側から粘着剤層４０２の背面側まで貫通する脆弱部としての切り込み４０８Ａ，４０８Ｂが複数個所に形成されている。切り込み４０８Ａは、封印シール４００の角部近傍位置に正面視Ｌ字形に形成され、切り込み４０８Ｂは、封印シール４００の複数個所に正面視Ｘ字形に形成される。
【０１９２】
尚、本実施例では、脆弱部の一例として切り込み４０８Ａ，４０８Ｂが記載されているが、脆弱部は、封印シール４００のシール基材４０１の機械強度が他の部分よりも低い部分とされていれば、必ずしもシール基材４０１の表面側から粘着剤層４０２の背面側まで貫通するものでなくてもよく、例えば、シール基材４０１の一部を薄肉とすることで他の部分よりも脆弱になっている部分であってもよいし、シール基材４０１の一部に他の部分よりも強度が低い素材を使用することで脆弱になっていてもよい。
【０１９３】
また、封印シール４００の４隅は斜めに切り欠かれることにより切欠辺４１０がそれぞれ形成されている。これら各切欠辺４１０は、後述する位置決め面４１２ａ，４２２ａ（図２０（ｃ）参照）に合致させることで、封印シール４００の貼付位置及び貼付方向が決定されるようになっている。このように互いに隣り合う一対の切欠辺４１０，４１０が互いに異なる方向を向くため、該一対の切欠辺４１０，４１０をそれぞれに対応する位置決め面４１２ａ，４２２ａに合わせて配置するだけで、封印シール４００の貼付位置及び貼付方向を確実に決定できるばかりか、封印シール４００の角部外側に位置決め面４１２ａ，４２２ａが配置されることで、封印シール４００を角部から捲り上げて剥離することが困難になるため、封印シール４００を容易に剥離できないようになっている。よって、封印シール４００をその隅角から剥がそうとする場合、剥がす力に伴う応力が切り込み４０８Ａ，４０８Ｂに集中するため、封印シール４００の破断が生じ易い。
【０１９４】
図１９〜図２２に示すように、ベース側封印部２２９は、短辺２０１ｄから右方に向けて突出するように形成される略長方形状の後貼付面２２９ａ及び該後貼付面２２９ａの右端から後面側に向けて屈曲形成される右下貼付面２２９ｂとから構成されるベース側貼付面を有している。後貼付面２２９ａ及び右下貼付面２２９ｂの上下には、後貼付面２２９ａ及び右下貼付面２２９ｂから外向きに突出する上下一対の位置決め凸条４１１，４１１が各上下辺に沿って延設されている。位置決め凸条４１１，４１１は、後述するように後貼付面２２９ａ及び右下貼付面２２９ｂに封印シール４００が貼付された状態において、該封印シール４００の表面４００ａよりも外方に向けて突出する所定高さを有しており、後貼付面２２９ａ及び右下貼付面２２９ｂから垂設される内面は封印シール４００の位置決め面４１１ａとされている。
【０１９５】
また、位置決め凸条４１１，４１１における短辺２０１ｄ側の端部には、互いに内向きに突出する三角形状の位置決め角部４１２，４１２がそれぞれ形成され、これら位置決め角部４１２，４１２の内面は、封印シール４００の角部の切欠辺４１０に対向する位置決め面４１２ａとされている。
【０１９６】
位置決め凸条４１１，４１１及び位置決め角部４１２，４１２の端面は、後述するシール保護カバー２２８の内面に当接する当接規制面４１３とされており、当接規制面４１３における位置決め角部４１２，４１２の近傍には、シール保護カバー２２８に形成された係合凹部２２８ａに係合する係合凸部４１４，４１４がそれぞれ形成されている。
【０１９７】
また、ベース側封印部２２９の前面側における略中央位置には、後述する閉鎖ネジ２２６が取り付けられるネジ孔２０９が形成されている。このベース側封印部２２９の前面側には、ベース部材２０１にカバー部材２０２が組み付けられて閉鎖状態となった場合にカバー側封印部２２４の後面側が対向配置されることで、ネジ孔２０９は取付穴２２７と合致するようになっている。
【０１９８】
一方、カバー側封印部２２４は、側壁２０２ｄから右方に向けて突出するように形成される略長方形状の前貼付面２２４ａ及び該前貼付面２２４ａの右端から前面側に向けて屈曲形成される右上貼付面２２４ｂとから構成されるカバー側貼付面を有している。前貼付面２２４ａ及び右上貼付面２２４ｂの上下には、前貼付面２２４ａ及び右上貼付面２２４ｂから外向きに突出する上下一対の位置決め凸条４２１，４２１が各上下辺に沿って延設されている。位置決め凸条４２１，４２１は、後述するように前貼付面２２４ａ及び右上貼付面２２４ｂに封印シール４００が貼付された状態において、該封印シール４００の表面４００ａよりも外方に向けて突出する所定高さを有しており、前貼付面２２４ａ及び右上貼付面２２４ｂから垂設される内面は封印シール４００の位置決め面４２１ａとされている。
【０１９９】
また、位置決め凸条４２１，４２１における側壁２０２ｄ側の端部には、互いに内向きに突出する三角形状の位置決め角部４２２，４２２がそれぞれ形成され、これら位置決め角部４２２，４２２の内面は、封印シール４００の角部の切欠辺４１０に対向する位置決め面４２２ａとされている。
【０２００】
位置決め凸条４２１，４２１及び位置決め角部４２２，４２２の端面は、後述するシール保護カバー２２８の内面に当接する当接規制面４２３とされており、当接規制面４２３における位置決め角部４２２，４２２の近傍には、シール保護カバー２２８に形成された係合凹部２２８ａに係合する係合凸部４１４，４１４がそれぞれ突設されている。
【０２０１】
また、カバー側封印部２２４の略中央位置には、前述した閉鎖ネジ２２６が取り付けられる取付穴２２７が底面に形成されるとともに、閉鎖ネジ２２６の頭部を収容可能な有底円筒状の凹部２２７ａ（開口部）が形成されている。この凹部２２７ａの一端側の開口２２７ｂ（図２１参照）は、前貼付面２２４ａの略中央位置に臨むように開口形成されており、該開口２２７ｂから閉鎖ネジ２２６の取付穴２２７及びネジ孔２０９への取り付け、取り外しを行うことができるようになっている。
【０２０２】
このように、ベース側封印部２２９は、背面側を向く後貼付面２２９ａと右側方を向く右下貼付面２２９ｂとから構成され、カバー側封印部２２４は、前面側を向く前貼付面２２４ａと右側方を向く右上貼付面２２４ｂとから構成されている。このように、基板ケース２００は、互いに異なる方向を向く複数の貼付面（後貼付面２２９ａ、右下貼付面２２９ｂ）を有するベース側封印部２２９と、互いに異なる方向を向く複数の貼付面（前貼付面２２４ａ、右上貼付面２２４ｂ）を有するカバー側封印部２２４と、からなる封印シール貼付部を有する。
【０２０３】
次に、このように構成されたベース側封印部２２９及びカバー側封印部２２４に封印シール４００を貼付するには、図２０〜図２２に示すように、封印シール４００の上部領域Ｒ１または下部領域Ｒ３の角部に形成された一対の切欠辺４１０，４１０を、一対の位置決め面４１２ａ，４１２ａまたは位置決め面４２２ａ，４２２ａに沿うように合致させて配置する。
【０２０４】
このように切欠辺４１０を位置決め面４１２ａに合致させて配置することで、切欠辺４１０と位置決め面４１２ａとが線接触するため、封印シール４００の貼付位置を確実に決定できるばかりか、封印シール４００の角部外側に位置決め面４１２ａ，４１２ａが立設されていることで、封印シール４００を角部から捲り上げて剥離することが困難になるため、封印シール４００を剥離して不正に開封することを防止できる。また、これら隣り合う一対の位置決め面４１２ａ，４１２ａまたは位置決め面４２２ａ，４２２ａは、互いに「ハ」の字形、つまり非平行に配置されているため、一対の切欠辺４１０，４１０を一対の位置決め面４１２ａ，４１２ａまたは位置決め面４２２ａ，４２２ａに合わせて配置するだけで、封印シール４００の貼付位置及び貼付方向（向き）を容易に決定することができる。
【０２０５】
また、封印シール４００の長辺部の長さ寸法は、ベース側貼付面及びカバー側貼付面双方の長辺部の長さ寸法の合計値とほぼ一致するため、４つの切欠辺４１０のうち上部領域Ｒ１または下部領域Ｒ３の切欠辺４１０，４１０の貼付位置を決定してしまえば、４つの切欠辺４１０全てが位置決め面４１２ａ，４２２ａに合致することになる。
【０２０６】
尚、本実施例では、ベース側貼付面及びカバー側シール貼付面における一対の長辺部間の幅寸法及び一対の短辺部間の幅寸法が合致しているが、ベース側貼付面及びカバー側シール貼付面における一対の長辺部間の幅寸法または一対の短辺部間の幅寸法のうちいずれかが合致していれば、上記したような効果を得ることができる。
【０２０７】
さらに本実施例では、位置決め面４１２ａ，４２２ａが封印シール４００の角部に配置されるだけでなく、封印シール４００の長辺部に沿って位置決め面４１１ａ，４２１ａが配置されているとともに、短辺部に沿ってベース部材２０１及びカバー部材２０２の側壁が位置決め面として機能するため、封印シール４００の貼付位置を正確に決定できるようになっている。また、これら位置決め面４１２ａ，４２２ａ、４１１ａ，４２１ａ及び側壁は、ベース側貼付面及びカバー側貼付面から垂設されており、かつ、封印シール４００の表面４００ａよりも外側に突出する長さを有していることから、ベース側貼付面及びカバー側貼付面と封印シール４００との対向面間にカッター等を差し込むことが困難とされているため、封印シール４００を一度貼付した後は、封印シール４００を破損しないように剥離することは極めて困難となる。
【０２０８】
シール保護カバー２２８は、図６及び図２０〜図２２に示すようにコ字形に形成され、基板ケース２００の側面から外方に向けて突出する板状の封印部２２４，２２９を前後から挟み込むように装着される。シール保護カバー２２８の前後幅寸法は、前後一対の位置決め凸条４１１，４１１、４２１，４２１の離間幅寸法よりも幅広に形成されており、封印部２２４，２２９に装着した際において、シール保護カバー２２８の内面における前後側の端縁部が、位置決め凸条４１１，４１１、４２１，４２１の当接規制面４１３，４２３にそれぞれ当接するようになっている。
【０２０９】
このようにシール保護カバー２２８の内面における前後側の端縁部が当接規制面４１３，４２３にそれぞれ当接することで、封印シール４００の表面４００ａとシール保護カバー２２８の内面との対向面が互いに離間配置されて非接触状態に維持される。つまり、封印シール４００の表面４００ａとシール保護カバー２２８の内面との対向面間に所定の隙間ＳＰが設けられるため、シール保護カバー２２８を当接規制面４１３，４２３に当接した状態で左右にスライドさせて封印部２２４，２２９に対して着脱する際においても、封印シール４００に接触することがないとともに、装着した状態において、シール保護カバー２２８に何らかの外力が付与されても、封印シール４００に直接伝わることがないので、封印シール４００の破損が防止される。
【０２１０】
また、シール保護カバー２２８を封印部２２４，２２９に嵌め込むことで、シール保護カバー２２８の内面に形成された係合凹部２２８ａに係合凸部４１４，４１４が係合することで、一度装着した後は係合を解除しない限り取り外すことができない。このようにカバー部材２０２を不正に開放する際に時間がかかるようにすることで、不正行為を行うことを極力困難としている。
【０２１１】
このように封印シール４００の外面がシール保護カバー２２８により被覆されることにより、封印状態において封印シール４００の表面４００ａがシール保護カバー２２８により保護され、封印シール４００に直接触れることができなくなるため、封印シール４００に対する不正行為を極力防止できるとともに、基板ケース２００の筐体１ａへの取り付け、取り外し作業時や使用時等において、封印シール４００に何らかの外力が加わって破損が生じることを回避することができる。
【０２１２】
さらに、封印シール４００の周縁に突設された位置決め凸条４１１，４１１、４２１，４２１の当接規制面４１３，４２３によりシール保護カバー２２８が当接支持されることで、封印シール４００とシール保護カバー２２８との対向面を非接触状態に維持することができ、シール保護カバー２２８に加わった外力が封印シール４００に直接伝わることがないので、封印シール４００に破損が生じることを防止できる。
【０２１３】
また、本実施例では、ベース部材２０１にカバー部材２０２を組み付ける組付手段としての溶着部と、ベース側封印部２２９及びカバー側封印部２２４とは、基板ケース２００の左側辺側、つまり後述する可動ベース３０２の回動軸３３３側に配置される左側辺と対向する右側辺（対向側辺）に並設されている。
【０２１４】
また、カバー部材２０２は、位置合わせされた状態からベース部材２０１に対して係止解除方向にスライド移動させなければベース部材２０１から離脱させることができない構造とされている。すなわち、ベース部材２０１に対するカバー部材２０２の離脱方向に対して略直交する方向に向けてスライド移動案内するスライド移動案内手段を備え、このスライド移動案内手段によりスライド移動案内されている状態で係止されるようになっていることで、カバー側溶着部２２３とベース側溶着部２０７とを互いに反対側に向けて引き離そうとする際に係止作用が働くため、カバー側溶着部２２３とベース側溶着部２０７とを剥離させることが極めて困難となる。
【０２１５】
また、従来のように基板ケース２００と同種の２つの基板ケースを入手したとしても、いずれもカバー部材２０２を開放する際に、ベース部材２０１及びカバー部材２０２双方に傷が残り、傷のないベース部材２０１とカバー部材２０２とを得ることができないので、新規な基板ケース２００を不正に構成することが極めて困難となる。
【０２１６】
このように、カバー側溶着部２２３とベース側溶着部２０７とが互いに溶着（固着）されることで、ベース部材２０１に対するカバー部材２０２のスライド移動が規制されることになる。すなわち、ベース部材２０１の一方の短辺に形成された係止片２０３，２０３がカバー部材２０２の挿通穴２２２，２２２に係止された状態で、他方の短辺のカバー側溶着部２２３とベース側溶着部２０７とが固着されることで、ベース部材２０１の上面がカバー部材２０２により閉鎖される第１封止状態が構成される。この第１封止状態は、カバー部材２０２のカバー側溶着部２２３及びベース部材２０１のベース側溶着部２０７の溶着部双方を切断（破壊）しない限り解除することができなくなるので、カバー部材２０２が開放された場合にはその痕跡、つまり基板ケース２００の一部が破壊された痕跡が確実に残り、これにより、基板ケース２００内に収納された遊技制御基板４０に対して何らかの不正行為が行われた可能性があることを発見することが可能となる。
【０２１７】
尚、本実施例では、ベース部材２０１とカバー部材２０２とが閉鎖位置に位置合わせされたときに、カバー側溶着部２２３とベース側溶着部２０７とが当接するようになっていたが、互いに溶着可能に配置されていれば、カバー側溶着部２２３とベース側溶着部２０７とが互いに離間して配置されてもよい。
【０２１８】
尚、本実施例では、ベース部材２０１とカバー部材２０２とが閉鎖位置に位置合わせされたときに、カバー側溶着部２２３とベース側溶着部２０７とが当接するようになっていたが、互いに溶着可能に配置されていれば、カバー側溶着部２２３とベース側溶着部２０７とが互いに離間して配置されてもよい。
【０２１９】
次に、ケース支持装置３００は、図５に示すように、筐体１ａの背板１ｃ内面上部に取り付けられる固定ベース３０１と、固定ベース３０１の右側方に取り付けられる係止部材３０３と、固定ベース３０１に回動可能に支持される可動ベース３０２と、から主に構成される。可動ベース３０２は、前面側に基板ケース２００が取り付けられるとともに、固定ベース３０１に対して上下方向を向く回動軸周りに回動可能に支持されている。
【０２２０】
そして可動ベース３０２の前面側に基板ケース２００を取り付けることにより、基板ケース２００が、遊技制御基板４０の裏面４０ｂ側が背板１ｃに対向配置されて視認不可となる第１回動規制位置Ａ（図１４（ａ）参照）と、遊技制御基板４０の裏面４０ｂ側が視認可能となる第２回動規制位置Ｂ（図１４（ｂ）参照）と、の間で回動可能となるように、背板１ｃ内面上部にて支持されるため、基板ケース２００を背板１ｃに取り付けた状態でも、基板ケース２００に収容された遊技制御基板４０の実装面４０ａ及び裏面４０ｂを、透明な基板ケース２００及び可動ベース３０２を通して視認できるようになっている。
【０２２１】
図１１〜図１４に示すように、可動ベース３０２は、透明な熱可塑性合成樹脂からなり、略長方形状の底板３１０ａを有し、該底板３１０ａの上下長辺には、前向きに立設された一対の側壁３１０ｂ，３１０ｂがそれぞれ長手方向に延設され、左側短辺部の長手方向両側には短辺の側壁３１０ｃ，３１０ｃが側壁３１０ｂ，３１０ｂの端部から連設され、右側短辺部には短辺の側壁３１０ｄが長手方向に延設されている。
【０２２２】
上方の側壁３１０ｂの右側端部には、底板３１０ａの前面側に取り付けられる基板ケース２００におけるカバー部材２０２の所定箇所を係止可能な弾性係止爪３１１が内向きに形成されており、基板ケース２００を係止できるようになっている。
【０２２３】
下方の側壁３１０ｂの左側端部には、遊技制御基板４０の基板側コネクタ６２０ｃ（図４参照）及び該基板側コネクタ６２０ｃに接続されるケーブル側コネクタ６１０ｃ、ケーブル６００ｃを保護する保護部材６６０を取り付けるための取付用スリット３１２が形成されている。取付用スリット３１２は、側壁３１０ｂの一部を膨出させることにより形成され、保護部材６６０の取付片６６０ａを挿通可能とされている。また、取付用スリット３１２の外面には、取付片６６０ａに形成された外向きの弾性係止爪６６０ｂが係止される係止穴３１２ａが形成されており、挿通される取付片６６０ａの逸脱を規制できるようになっている。
【０２２４】
このように取付用スリット３１２に取付片６６０ａを挿通して弾性係止爪６６０ｂが係止穴３１２ａに係止されることで、取付片６６０ａに対して屈曲形成されたガード片６６０ｃ及びガード側片６６０ｄにより、基板側コネクタ６２０ｃ及び該基板側コネクタ６２０ｃに接続されるケーブル側コネクタ６１０ｃ、ケーブル６００ｃの周囲が覆われて保護されるようになっている。
【０２２５】
底板３１０ａにおける右側の短辺部近傍には、基板ケース２００の取付封止片２３０及び予備用取付封止片２３１に挿通されるワンウェイネジ２４０ａ，２４０ｂが取り付けられる取付穴３１６ａ，３１６ｂが形成された取付台座３１５が装着される台座装着穴３１７が形成されている。取付台座３１５は、底面板３１０ａの裏面側から台座装着穴３１７内に嵌合により装着されるようになっている。装着時においては、図１３（ａ）に示すように、取付穴３１６ａ，３１６ｂは底板３１０ａの前面よりも前方に突出した状態で取付封止片２３０及び予備用取付封止片２３１の取付穴２３５，２３５に対向配置されるようになっている。
【０２２６】
このように取付台座３１５は、可動ベース３０２に対して着脱可能に装着されていることで、後述するように例えば取付封止片２３０や予備用取付封止片２３１が基板ケース２００から切断されて可動ベース３０２側に取り残された場合等において、取付台座３１５のみを新規なものに交換できるようになっている。
【０２２７】
可動ベース３０２の右側の短辺部には、該可動ベース３０２の遊端部を背板１ｃの前面側に係止するための係止部材３０３の係止ピン３０３ａ，３０３ａ（図５参照）が挿通可能な挿通穴３１８，３１８が形成されているとともに、各挿通穴３１８，３１８の近傍には、係止ピン３０３ａ，３０３ａの先端に係止可能な係止フック３１９，３１９が、前後方向を向く軸周りに回動可能に取り付けられている。
【０２２８】
可動ベース３０２の左側の短辺部の長手方向両側からは、後述する固定ベース３０１に形成される回動軸３３３を受支する略Ｕ字形状をなす軸支溝３２０が形成された板状の軸支板３２１，３２１が、短辺部に対して直交する方向に外向きに突設されている。軸支溝３２０は、軸支板３２１，３２１の前端辺から後方に向けて延設され、前側の開放部から回動軸３３３を取り付け、取り外しできるようになっている。
【０２２９】
可動ベース３０２の左側の短辺部の長手方向中央位置には、後述する固定ベース３０１を背板１ｃに取り付けるためのベース取付ネジ３３５を被覆する被覆部３２２が形成されている。この被覆部３２２は、底板３１０ａの短辺部から前方に向けて垂直に立設される垂直片３２２ｂと、該垂直片３２２ｂの先端から外方に向けて屈曲される底板３１０ａに対して平行な屈曲片３２２ａと、これら屈曲片３２２ａ及び垂直片３２２ｂの側方を覆う側片３２２ｃ，３２２ｃと、屈曲片３２２ａの先端から外側に向けて傾斜する外片３２２ｄと、から形成されている。また、屈曲片３２２ａは、固定ベース３０１の回動軸３３３に軸支溝３２０を軸支した状態において、ベース取付ネジ３３５（図１３参照）の直上を被覆可能な長さを有している。
【０２３０】
上下の側片３２２ｃと軸支板３２１とは所定距離離間して配置されており、これら側片３２２ｃと軸支板３２１との間に、カバー部材２０２の板状片２２１を挿通可能な挿通部３２４，３２４が形成されている。挿通部３２４，３２４は、板状片２２１，２２１の上下幅寸法よりも若干長寸の上下幅寸法に形成されているため、後述するように可動ベース３０２の前面側に基板ケース２００を取り付けた状態において、挿通部３２４，３２４に挿通された板状片２２１，２２１の上下側部が側片３２２ｃと軸支板３２１とによりガイドされるようになっている。また、垂直片３２２ｂは、カバー部材２０２の側壁２０２ｃと当接し、可動ベース３０２に対する基板ケース２００の左右方向の位置を決定する。
【０２３１】
挿通部３２４，３２４の先端部には、該挿通部３２４，３２４に挿通される板状片２２１，２２１の先端部前面側を係止する帯板状の係止板３２３，３２３が、軸支板３２１と側片３２２ｃとの間に架設されている。つまり、上下の軸支板３２１と側片３２２ｃとは、それぞれ係止板３２３，３２３により連結されている。また、係止板３２３，３２３は、軸支溝３２０，３２０よりも外側に配置されているため、軸支溝３２０，３２０に回動軸３３３，３３３を着脱する際に干渉することがない。
【０２３２】
固定ベース３０１は、図５に示すように、背板１ｃの内面に取り付けられる上下方向を向く帯板状の取付片３３０ａと、取付片３３０ａの上下端部からそれぞれ前方に向けて屈曲される上下一対の軸片３３０ｂ、３３０ｂと、取付片３３０ａの左側辺から前方に向けて屈曲される保護片３３０ｃと、から構成される板状の金属材からなる本体部と、軸片３３０ｂ，３３０ｂそれぞれの対向面から、互いの軸心Ｐ１（図１３（ｂ）参照）が同一線上に位置するようにそれぞれ内向きに突設される、上下方向を向く円柱状の回動軸３３３，３３３と、から構成されている。
【０２３３】
これら上下一対の回動軸３３３，３３３は、互いの先端部間が所定距離離間するように、取付片３３０ａの前方位置に該取付片３３０ａに対して平行に配置される。尚、ベース取付ネジ３３５は、ドライバーの先端をネジ溝に嵌合して正逆回転することで、取り付け、取り外しが可能な所謂一般的なネジである。このように構成された固定ベース３０１は、背板１ｃの内面にベース取付ネジ３３５により取り付けられる。また、カバー部材３３６は、ベース取付ネジ３３５の頭部を収容可能に形成されている。
【０２３４】
可動ベース３０２を固定ベース３０１に取り付ける場合、可動ベース３０２の左右端部を前後方向に向けて、背板１ｃに対して直交するように縦向き姿勢とする。これにより軸支溝３２０，３２０の開放部が回動軸３３３，３３３に対向するため、この姿勢のまま可動ベース３０２を固定ベース３０１に接近させ、軸支溝３２０，３２０を回動軸３３３，３３３に差し込んだ後、回動軸３３３，３３３を中心に可動ベース３０２の手前側を背板１ｃに向けて押し込む。
【０２３５】
そして可動ベース３０２が、その後面が背板１ｃの内面に対向する横向き姿勢、つまり第１回動規制位置Ａに配置されると、係止部材３０３の係止ピン３０３ａ，３０３ａが可動ベース３０２の挿通穴３１８，３１８に挿通され、該係止ピン３０３ａ，３０３ａの先端が挿通穴３１８，３１８から前方に突出した係止ピン３０３ａ，３０３ａの先端に、係止フック３１９，３１９を回転して係止する。これにより、可動ベース３０２の左側端部が回動軸３３３，３３３に軸支され、右側端部が係止ピン３０３ａ，３０３ａに係止されることにより、可動ベース３０２の背板１ｃからの離脱及び回動軸３３３，３３３周りの回動が規制され、背板１ｃと略平行な第１回動規制位置Ａに仮止めされる。
【０２３６】
このように固定ベース３０１の回動軸３３３，３３３に可動ベース３０２の軸支溝３２０，３２０を軸支して該可動ベース３０２を第１回動規制位置Ａに配置すると、軸支溝３２０，３２０は前後方向を向いて前方に開放するが、可動ベース３０２の後面に背板１ｃが近接していることにより、回動軸３３３，３３３に対する軸支溝３２０，３２０の後方移動が規制されるので、回動軸３３３，３３３から軸支溝３２０，３２０が離脱することはない。
【０２３７】
また、図１３に示すように、固定ベース３０１を背板１ｃに取り付けるベース取付ネジ３３５の前面側が可動ベース３０２の被覆部３２２により覆われるとともに、左外側方が保護片３３０ｃにより覆われることで、ベース取付ネジ３３５に対してドライバーや指を接触させようとしても接触が困難となるだけでなく、ベース取付ネジ３３５の軸心Ｐ２の延長線上にドライバーを配置することはできなくなる。
【０２３８】
次に、第１回動規制位置Ａに仮止めされた可動ベース３０２に、前述したように封止状態とされた基板ケース２００を取り付けるには、図５に示すように、ベース部材２０１の裏面側を可動ベース３０２の前面に対向させるように配置した状態で左側にスライドさせて、カバー部材２０２の左側短辺に設けられた一対の板状片２２１，２２１を、回動軸３３３，３３３と係止板３２３，３２３との間に形成された隙間（図１３（ａ）参照）に差し込んだ後、基板ケース２００の右側短辺を可動ベース３０２に向けて押し込む。
【０２３９】
このとき、板状片２２１，２２１の先端が係止板３２３，３２３に係止されるとともに（図１３（ｂ）参照）、カバー部材２０２の右端部側の上方が可動ベース３０２の弾性係止爪３１１に係止される。そして基板ケース２００は、可動ベース３０２の側壁３１０ｂ、３１０ｃ、３１０ｄにより覆われることで、可動ベース３０２の底板３１０ａ上でのスライド移動が規制されることで、可動ベース３０２からの離脱が規制される。但しこの仮止め状態では、弾性係止爪３１１によるカバー部材２０２の係止状態を解除すれば、可動ベース３０２から簡単に基板ケース２００を取り出すことができる。
【０２４０】
また、仮止め状態としたときに、カバー部材２０２における取付封止片２３０及び予備用取付封止片２３１が取付台座３１５に対向配置され、取付封止片２３０及び予備用取付封止片２３１の取付穴２３５，２３５が取付台座３１５の取付穴３１６ａ，３１６ｂに合致する。ここで、図１３（ａ）に示すように、取付封止片２３０内に収容されていたワンウェイネジ２４０ａをドライバーによりネジ孔３１６ａに螺入すると、可動ベース３０２に対して基板ケース２００が離脱不能に取り付けられる。
【０２４１】
すなわち、ワンウェイネジ２４０ａは、一度ネジ孔３１６ａに取り付けられると、ドライバー等の工具を操作溝に差し込んでも、ワンウェイネジ２４０ａを逆回転させることができない、つまり二度とネジ孔３１６ａから取り外すことはできない取付部材であるため、基板ケース２００は、該基板ケース２００または可動ベース３０２等の所定部位（例えば取付封止片２３０の切断片２３３等）を切断（破壊）しない限り可動ベース３０２から取り外すことができない取付状態で取り付けられる。
【０２４２】
また、遊技制御基板４０の検査等のために基板ケース２００を可動ベース３０２から取り外す場合、取付封止片２３０の切断片２３３を切断する必要があるばかりか、ネジ孔３１６ａにねじ込まれたワンウェイネジ２４０ａ及び基板ケース２００から切断された取付封止片２３０を取付台座３１５から取り外すことができず、可動ベース３０２に保持されて残存するため、当該取付封止片２３０にワンウェイネジ２４０ａを取り付け、同じように可動ベース３０２に取り付けることはできない。すなわち、一度可動ベース３０２に対する基板ケース２００の取付状態を解除した後は、一度取付に使用した取付封止片２３０とは別の予備用取付封止片２３１に予備のワンウェイネジ２４０ｂを取り付け、別のネジ孔３１６ｂに取り付けることになる。
【０２４３】
また、この取付状態において、図１３（ｂ）に示すように、板状片２２１，２２１が回動軸３３３，３３３と係止板３２３，３２３との間に形成された隙間に差し込まれていることで、回動軸３３３，３３３の軸支溝３２０，３２０からの離脱が、可動ベース３０２に取り付けられた基板ケース２００の板状片２２１，２２１により規制されることになる。これにより、固定ベース３０１に対する可動ベース３０２の軸支状態を解除できなくなる。
【０２４４】
そして、基板ケース２００を可動ベース３０２から取り外さない限り、回動軸３３３，３３３と係止板３２３，３２３との間に形成された隙間に差し込まれた板状片２２１，２２１を該隙間から取り出すこと、つまり回動軸３３３，３３３からの軸支溝３２０，３２０の離脱規制を解除することはできないため、可動ベース３０２から基板ケース２００を取り外すことだけでなく、可動ベース３０２を固定ベース３０１から取り外すことができなくなる。
【０２４５】
また、回動軸３３３，３３３と係止板３２３，３２３との間に形成された隙間に差し込まれた板状片２２１，２２１により、回動軸３３３，３３３が被覆される。詳しくは、係止板３２３，３２３は、軸支板３２１と側片３２２ｃとの離間幅よりも若干小寸の幅寸法を有していることで、回動軸３３３，３３３と係止板３２３，３２３との間に形成された隙間に差し込まれた状態において、回動軸３３３，３３３の長手方向にわたり被覆するため、回動軸３３３，３３３を切断することにより可動ベース３０２を固定ベース３０１から取り外すといった不正行為が防止される。
【０２４６】
このように背板１ｃに取り付けられたケース支持装置３００に取り付けられた基板ケース２００は、図１４に示すように、遊技制御基板４０の電子部品の実装面４０ａが前面側を向くとともに裏面４０ｂ側が背板１ｃの内面に対向して筐体１ａの前面側から視認不可となる第１回動規制位置Ａと、実装面４０ａが筐体１ａの左側板の内面に対向して遊技制御基板４０の裏面４０ｂ側が筐体１ａの前面側から視認可能となる第２回動規制位置Ｂと、の間の回動可能範囲（約８３度）内で回動可能に支持される。
【０２４７】
従って、図１４（ａ）に示すように、基板ケース２００を第１回動規制位置Ａに位置させている場合には、遊技制御基板４０の実装面４０ａが前面側を向くため、基板ケース２００を可動ベース３０２から取り外さなくても、筐体１ａの前面側から透明なカバー部材２０２を通して実装面４０ａを視認することが可能となる。
【０２４８】
また、図１４（ｂ）に示すように、基板ケース２００を第２回動規制位置Ｂ付近に位置させている場合には、遊技制御基板４０の裏面４０ｂが背板１ｃから離れて右側方を向くため、基板ケース２００を可動ベース３０２から取り外さなくても、筐体１ａの前面側から透明なベース部材２０１及び透明な可動ベース３０２を通して裏面４０ｂを視認することが可能となる。よって、基板ケース２００を筐体１ａに取り付けた状態でも、基板ケース２００を回動させるだけで内部に収容された遊技制御基板４０の実装面４０ａ及び裏面４０ｂに不正な改造等が施された痕跡があるか否かを目視により簡単に確認することが可能となる。
【０２４９】
また、図１４（ａ）に示すように、基板ケース２００は、通常、第１回動規制位置Ａに配置されている。この状態において、カバー部材２０２に形成された各コネクタ用開口２３６ａ〜２３６ｇに臨むように配置された各基板側コネクタには、各種ケーブルのケーブル側コネクタが接続される。
【０２５０】
カバー部材２０２に形成された各コネクタ用開口２３６ａ〜２３６ｇのうち、基板側コネクタ６２０ａ〜６２０ｃが臨むコネクタ用開口２３６ｄ〜２３６ｃは、図８に示すように、カバー部材２０２の左右方向の中央位置よりも左側の領域、つまり回動軸３３３，３３３の配設位置側に設けられている。そしてこれらコネクタ用開口２３６ａ〜２３６ｃに臨む基板側コネクタ６２０ａ〜６２０ｃのうち、電源基板１０１に一端が接続されるケーブル側コネクタ６１０ｃと基板側コネクタ６２０ｃとの接続部は、前述した保護部材６６０により覆われるとともに、スタートスイッチ７に一端が接続されるケーブル側コネクタ６１０ｂと基板側コネクタ６２０ｂとの接続部は、前述したコネクタ規制部材６５０により覆われ、特にコネクタ規制部材６５０により覆われたケーブル側コネクタ６１０ｂは、基板側コネクタ６２０ｂからの抜脱が規制されている。
【０２５１】
このように、カバー部材２０２の左右方向の中央位置よりも左側の領域に設けられた基板側コネクタ６２０ａ〜６２０ｃに接続されるケーブル６００ａ〜６００ｃは、左側板内面にまとめて配線されている。そしてこれらケーブル６００ａ〜６００ｃに設けられるケーブル側コネクタ６１０ａ〜６１０ｃは、基板側コネクタ６２０ａ〜６２０ｃから抜脱しなくても、基板ケース２００を第２回動規制位置Ｂまで回動させることができるようになっている。また、カバー部材２０２の左右方向の中央位置よりも右側の領域に設けられた基板側コネクタに接続されるケーブル側コネクタは、基板側コネクタから抜脱しないと、基板ケース２００を第２回動規制位置Ｂまで回動させることができるようになっている。
【０２５２】
つまり、回動軸３３３に近い左側領域に配置される基板側コネクタ６２０ａ〜６２０ｃは、回動軸３３３を中心に基板ケース２００を回転させたときの移動距離が、回動軸３３３から遠い右側領域に配置される基板側コネクタに比べて小さいため、接続されるケーブル６００ａ〜６００ｃの余剰長さを、回動軸３３３から遠い右側領域に配置される基板側コネクタに接続されるケーブルに比べて短くて済む。
【０２５３】
よって、特に保護部材６６０やコネクタ規制部材６５０により覆われて抜脱に手間がかかる基板側コネクタ６２０ａ〜６２０ｃ等を、回動軸３３３に近い左側領域に配置しておけば、基板ケース２００を回動させるたびにケーブル側コネクタ６１０ａ〜６１０ｃを逐次基板側コネクタ６２０ａ〜６２０ｃから抜脱する必要がないので、遊技制御基板４０の確認作業を煩雑にすることがないとともに、ケーブルを基板側コネクタ６２０ａ〜６２０ｃから取り外さずに基板ケース２００を回動可能とする場合に、ケーブル６００ａ〜６００ｃを極力短くすることができる。
【０２５４】
また、本実施例では、基板ケース２００は、図２に示すように、筐体１ａの背板上部に取り付けられている。また、各種ケーブル６００ａ〜６００ｃ、６００ｋが接続される基板側コネクタ６２０ａ〜６２０ｃ等が臨むコネクタ用開口２３６ａ〜２３６ｇは、基板ケース２００の下辺部沿って配設されている。そして、遊技制御基板４０に接続されるこれらケーブル６００ａ〜６００ｃ、６００ｋのうち、ケーブル６００ａ〜６００ｃは、図１４に示すように、基板ケース２００の下方位置において筐体１ａの左側板内面に設けられた配線フックＨＦによりまとめて配線されている。また、他のケーブル６００ｋは下方に延設され、筐体１ａにおける基板ケース２００よりも下方位置に配設されたリール中継基板１２０等に接続されている。
【０２５５】
すなわち、遊技制御基板４０に一端が接続されたケーブル６００ａ〜６００ｃ、６００ｋは、基板ケース２００よりも下方位置に配設された配線フックＨＦやリール中継基板１２０等の配線保持部に保持（接続）されるため、基板ケース２００においてコネクタ用開口２３６ａ〜２３６ｇよりも上方位置に貼付された封印シール４００に、ケーブル６００ａ〜６００ｃ、６００ｋ等の配線が重なって封印シール４００が隠れることがないようになっている。よって、封印シール４００は、基板ケース２００に封印シール４００が貼付されたときにケーブル６００ａ〜６００ｃ、６００ｋなどの配線と重ならない部分に溶剤使用表示部４５０Ａ〜４５０Ｄが配置されている。
【０２５６】
言い換えると、封印シール４００は、基板ケース２００に貼付されたときに、遊技制御基板４０の基板側コネクタと配線フックＨＦやリール中継基板１２０等の配線保持部とを結ぶ直線に重ならない位置またはその近傍位置に配置されているため、溶剤使用表示部４５０Ａ〜４５０Ｄが配線により隠れて溶剤使用表示部４５０Ａ〜４５０Ｄの視認性が損なわれることが防止されている。
【０２５７】
以上説明したように、本発明の実施例１としてのスロットマシン１にあっては、基板ケース２００が開封されたときに破断するなどして該開封された痕跡が残るようにするために、ベース側封印部２２９とカバー側封印部２２４とに跨るように貼付されることで封止状態とすることができる封印シール４００を有することで、不正な改造が施されたメイン制御部４１を搭載する遊技制御基板４０にすり替えるために基板ケース２００が不正に開放されたときにはその痕跡が残るようになるため、不正行為が行われた可能性があることを発見しやすくなる。
【０２５８】
また、封印シール４００は、該封印シール４００の粘着力を低下させるために所定の溶剤（例えば、溶剤Ａや溶剤Ｂなど）が用いられたときに該溶剤が使用された痕跡を示す第１溶剤使用表示部４５０Ａ〜４５０Ｄや第２溶剤使用表示部４６０Ａ〜４６０Ｄを有することで、溶剤を使用して封印シール４００の粘着力を低下させようとした場合、該封印シール４００の第１溶剤使用表示部４５０Ａ〜４５０Ｄや第２溶剤使用表示部４６０Ａ〜４６０Ｄに該溶剤が使用された痕跡（例えば、第１溶剤使用表示部４５０Ａ〜４５０Ｄや第２溶剤使用表示部４６０Ａ〜４６０Ｄが薄くなる）が残ることで、溶剤を使用して封印シール４００の粘着力を低下させようとしたことがわかるようになるため、例えば、第３者が溶剤により封印シール４００を剥離して基板ケース２００を開封した後、不正な遊技制御基板４０を収納した基板ケース２００に、剥離した封印シール４００を再度貼付されても、基板ケース２００が開封されたことを容易に判別することが可能となる。
【０２５９】
また、溶剤使用表示部は、第１溶剤（例えば、溶剤Ａ）が用いられたときに該第１溶剤が使用された痕跡を示す第１溶剤使用表示部４５０Ａ〜４５０Ｄと、第１溶剤とは種類が異なる第２溶剤（例えば、溶剤Ｂ）が用いられたときに該第２溶剤が使用された痕跡を示す第２溶剤使用表示部４６０Ａ〜４６０Ｄと、を含むことで、第１溶剤使用表示部４５０Ａ〜４５０Ｄには痕跡が残らない溶剤Ｂが用いられたときには、第２溶剤使用表示部４６０Ａ〜４６０Ｄに痕跡が残るため、一の溶剤使用表示部では痕跡が残らない溶剤が使用された場合でも、他の溶剤使用表示部に痕跡が残るようになるため、多様な溶剤の使用に対応することができる。
【０２６０】
また、第１溶剤使用表示部４５０Ａ〜４５０Ｄまたは第２溶剤使用表示部４６０Ａ〜４６０Ｄのいずれが溶解しているかによって、不正に使用された溶剤成分を特定しやすくなるため、特定された溶剤では溶解しにくい粘着剤を採用するなど、以後の不正対策に役立たせることができる。
【０２６１】
また、第２溶剤使用表示部４６０Ａ〜４６０Ｄは、長辺Ｌ１０及び短辺Ｌ２０に沿って枠状に延設されていることで、封印シール４００のうち剥離されやすい縁部である長辺Ｌ１０及び短辺Ｌ２０に第２溶剤使用表示部４６０Ａ〜４６０Ｄが設けられることで、溶剤が使用された痕跡が残りやすい。
【０２６２】
また、封印シール４００は、該封印シール４００の粘着力を低下させるために所定の溶剤が用いられたときに発色する溶剤発色紙、つまり、予め混入されたマイクロカプセル４０１ａ，４０１ｂが溶剤Ａ，Ｂに接触することにより溶解して内封されている青色インクが流出することにより青色に発色するシール基材４０１からなり、該シール基材４０１は、該シール基材４０１の経時変化（例えば、経年劣化）により発色する色（例えば、赤色）とは異なる色（例えば、青色）に発色することで、溶剤を使用して封印シール４００の粘着力を低下させたときにシール基材４０１が発色する青色が、経時変化より発色する赤色とは異なることで、シール基材４０１が溶剤により発色したものか経時変化により発色したものかを判断しやすくなるため、誤認が防止できる。
【０２６３】
また、図１５に示すように、シール基材４０１の表面において、第１溶剤使用表示部４５０Ａ、シール基材４０１の左方側に配置された第２溶剤使用表示部４６０Ａ〜４６０Ｃ、第１識別情報表示部４５１、第２識別情報表示部４５２、ホログラム表示部４５３Ａが設けられた上部領域Ｒ１は、カバー側封印部２２４の前貼付面２２４ａに位置し、第１溶剤使用表示部４５０Ｂ、シール基材４０１の左方側に配置された第２溶剤使用表示部４６０Ｄ、４６０Ｄ、第１溶剤使用表示部４５０Ｃ、シール基材４０１の右方側に配置された第２溶剤使用表示部４６０Ｄ，４６０Ｄが設けられた中間領域Ｒ２は、右上貼付面２２４ｂ及び右下貼付面２２９ｂに位置し、第１溶剤使用表示部４５０Ｄ、シール基材４０１の右方側に配置された第２溶剤使用表示部４６０Ａ〜４６０Ｃ、ホログラム表示部４５３Ｂが設けられた下部領域Ｒ３は、ベース側封印部２２９の後貼付面２２９ａに位置する。
【０２６４】
封印シール４００は、該封印シール４００が基板ケース２００におけるベース側封印部２２９とカバー側封印部２２４とに跨るように貼付されたときにカバー部材２０２とベース部材２０１との境界部Ｚに位置しない部分に第１溶剤使用表示部４５０Ａ〜４５０Ｄが印刷形成されていることで、封止状態としたときに第１溶剤使用表示部４５０Ａ〜４５０Ｄ及び第２溶剤使用表示部４６０Ａ〜４６０Ｄが境界部Ｚに掛かることがないので、例えば、遊技店において遊技制御基板４０の検査等のために封印シール４００を破断して基板ケース２００を開放したことにより第１溶剤使用表示部４５０Ａ〜４５０Ｄ及び第２溶剤使用表示部４６０Ａ〜４６０Ｄが破断してしまうことで、それ以前に溶剤と接触した痕跡が表れていたことが判りにくくなってしまうことが防止される。
【０２６５】
具体的には、本実施例の基板ケース２００は、ベース部材２０１に対しカバー部材２０２をスライドさせることにより開放することができることで、封印シール４００が基板ケース２００におけるベース側封印部２２９とカバー側封印部２２４とに跨るように貼付された第２封止状態において基板ケース２００を開放すると、封印シール４００における境界部Ｚに対応する部分が破断しやすい。よって、封印シール４００において、ベース側封印部２２９とカバー側封印部２２４と貼付したときに境界部Ｚに掛かる（対応する）部分に第１溶剤使用表示部４５０Ａ〜４５０Ｄ及び第２溶剤使用表示部４６０Ａ〜４６０Ｄのいずれかが印刷されている場合、溶剤の使用により第１溶剤使用表示部４５０Ａ〜４５０Ｄ及び第２溶剤使用表示部４６０Ａ〜４６０Ｄが溶解されたとしても、例えば、遊技店において遊技制御基板４０の検査等のために基板ケース２００を開放することで、封印シール４００の境界部Ｚが破断してしまい、これに伴い第１溶剤使用表示部４５０Ａ〜４６０Ｄ及び第２溶剤使用表示部４６０Ａ〜４６０Ｄのいずれかが消えて見えなくなっているのか破断により見えなくなっているのか判断し難くなるため、溶剤と接触した痕跡が表れていたことが判りにくくなってしまう。よって、ベース側封印部２２９とカバー側封印部２２４とに跨るように貼付されたときにカバー部材２０２とベース部材２０１との境界部Ｚに位置しない部分に第１溶剤使用表示部４５０Ａ〜４５０Ｄ及び第２溶剤使用表示部４６０Ａ〜４６０Ｄが印刷形成されている。
【０２６６】
また、封印シール４００は、回路基板の一例である遊技制御基板４０において制御用マイクロコンピュータ（ＣＰＵ４１ａ、ＲＯＭ４１ｂ、ＲＡＭ４１ｃ、Ｉ／Ｏポート４１ｄを備えたマイクロコンピュータ）が実装される実装面４０ａと同方向（上方）を向く部分である上部領域Ｒ１に第１溶剤使用表示部４５０Ａ及びシール基材４０１の左方側に配置された第２溶剤使用表示部４６０Ａ〜４６０Ｃが配置されているため、第１溶剤使用表示部４５０Ａ、シール基材４０１の左方側に配置された第２溶剤使用表示部４６０Ａ〜４６０Ｃ及び制御用マイクロコンピュータの実装面４０ａの双方を一緒に視認することができることで（図１４（ａ）及び図２０（ａ）参照）、溶剤使用表示部４５０Ａ及び制御用マイクロコンピュータ（ＣＰＵ４１ａ、ＲＯＭ４１ｂ、ＲＡＭ４１ｃ、Ｉ／Ｏポート４１ｄを備えたマイクロコンピュータ）に対する不正行為の確認作業を容易に行うことが可能となるため、作業負担を軽減できる。
【０２６７】
尚、制御用マイクロコンピュータ（ＣＰＵ４１ａ、ＲＯＭ４１ｂ、ＲＡＭ４１ｃ、Ｉ／Ｏポート４１ｄを備えたマイクロコンピュータ）に対する不正行為の確認作業とは、例えば、ＣＰＵ４１ａ、ＲＯＭ４１ｂ、ＲＡＭ４１ｃ、Ｉ／Ｏポート４１ｄに不正な回路基板が接続されていたり、ＣＰＵ４１ａ、ＲＯＭ４１ｂ等が不正なＣＰＵ、ＲＯＭ等に交換されたりしていないかを確認する作業であるため、これらが搭載される実装面４０ａと溶剤使用表示部４５０Ａとが上方に向けて配置されていれば、基板ケース２００の前面側から双方の状況を一度に確認することが可能となる。
【０２６８】
また、封印シール４００は、基板ケース２００に貼付されたときに互いに同方向（上方）を向く部分である上部領域Ｒ１に第１溶剤使用表示部４５０Ａ及びシール基材４０１の左方側に配置された第２溶剤使用表示部４６０Ａ〜４６０Ｃと識別情報表示部としての第１識別情報表示部４５１及び第２識別情報表示部４５２とが配置されていることで、第、１溶剤使用表示部４５０Ａ、シール基材４０１の左方側に配置された第２溶剤使用表示部４６０Ａ〜４６０Ｃ、第１識別情報表示部４５１及び第２識別情報表示部４５２を一緒に視認することができることで、第１溶剤使用表示部４５０Ａ、シール基材４０１の左方側に配置された第２溶剤使用表示部４６０Ａ〜４６０Ｃ、第１識別情報表示部４５１及び第２識別情報表示部４５２の確認作業を容易に行うことが可能となるため、作業負担を軽減できる。
【０２６９】
また、本実施例では、封印シール４００は、これら第１溶剤使用表示部４５０Ａ、シール基材４０１の左方側に配置された第２溶剤使用表示部４６０Ａ〜４６０Ｃ、第１識別情報表示部４５１及び第２識別情報表示部４５２とが互いに同方向（上方）を向く部分である上部領域Ｒ１に配置されていることで、制御用マイクロコンピュータ（ＣＰＵ４１ａ、ＲＯＭ４１ｂ、ＲＡＭ４１ｃ、Ｉ／Ｏポート４１ｄを備えたマイクロコンピュータ）が実装される実装面４０ａと同方向（上方）を向くことになることで、第１溶剤使用表示部４５０Ａ、シール基材４０１の左方側に配置された第２溶剤使用表示部４６０Ａ〜４６０Ｃ、第１識別情報表示部４５１及び第２識別情報表示部４５２の確認作業と一緒に、制御用マイクロコンピュータに対する不正行為の確認作業を容易に行うことが可能となるため、作業負担を軽減できる。
【０２７０】
また、本実施例では、上部領域Ｒ１に第１溶剤使用表示部４５０Ａ、シール基材４０１の左方側に配置された第２溶剤使用表示部４６０Ａ〜４６０Ｃと識別情報表示部としての第１識別情報表示部４５１及び第２識別情報表示部４５２とが配置されているが、識別情報表示部として少なくとも第１識別情報表示部４５１及び第２識別情報表示部４５２のうちいずれか一方のみが配置されていればよい。また、他の識別情報も配置されていてもよい。
【０２７１】
また、複数の貼付面（後貼付面２２９ａ、右下貼付面２２９ｂ、前貼付面２２４ａ、右上貼付面２２４ｂ）に跨るように貼付されたときに一の貼付面と他の貼付面との間に形成される角部、具体的には、後貼付面２２９ａと右下貼付面２２９ｂとの間に形成される角部Ｃ１（図１５（ａ）参照）や、前貼付面２２４ａと右上貼付面２２４ｂとの間に形成される角部Ｃ２（図１５（ａ）参照）に位置しない部分に第１溶剤使用表示部４５０Ａ〜４５０Ｄ及び第２溶剤使用表示部４６０Ａ〜４６０Ｄが配置されていることで（図１５（ａ）参照）、基板ケース２００に貼付されたときに溶剤使用表示部４５０Ａ〜４５０Ｄが角部Ｃ１，Ｃ２に掛かることがないので、第１溶剤使用表示部４５０Ａ〜４５０Ｄの文字や第２溶剤使用表示部４６０Ａ〜４６０Ｄの枠線が屈曲することによって視認性が損なわれることを防止できる。
【０２７２】
尚、本実施例では、角部Ｃ１，Ｃ２は屈曲角度が約９０度の角部であったが、９０度以上の鈍角な角部または９０度未満の鋭角な角部であってもよい。また、本実施例では、基板ケース２００を可動ベース３０２に取り付けたときに角部Ｃ１は可動ベース３０２に近接して配置されるのに対し、角部Ｃ２は前面側に露呈されるため、特に第１溶剤使用表示部４５０Ａ〜４５０Ｄは角部Ｃ２に位置しない部分に配置されていることが好ましい。
【０２７３】
つまり、第１溶剤使用表示部４５０Ａ〜４５０Ｄの一部が一の貼付面に配置され、第１溶剤使用表示部４５０Ａ〜Ｄの他の部分が一の貼付面と向きが異なる他の貼付面に配置されることにより、第１溶剤使用表示部４５０Ａ〜４５０Ｄが一の貼付面と他の貼付面との間に形成される角部により屈曲しないようにすればよい。
【０２７４】
また、基板ケース２００に貼付された封印シール４００を被覆可能な封印シール被覆部材としてのシール保護カバー２２８をさらに備えることで、封印シール４００はシール保護カバー２２８により被覆されることで、封印シール４００を剥離するにはシール保護カバー２２８を取り外さなければならず手間がかかるようになるため、不正行為を抑制することができる。
【０２７５】
また、本実施例では、シール保護カバー２２８は透明な合成樹脂材にて構成されていることで、シール保護カバー２２８により被覆されている状態でも、該シール保護カバー２２８を透して、第１溶剤使用表示部４５０Ａ〜４５０Ｄ及び第２溶剤使用表示部４６０Ａ〜４６０Ｄが消えたり薄くなっているかを確認することができるため、容易に確認することができる。
【０２７６】
また、図１４に示すように、封印シール４００は、基板ケース２００に貼付されたときに、該基板ケース２００に収納された遊技制御基板４０に接続されるケーブル６００ａ〜６００ｃ、６００ｋ（配線）と重ならない部分に第１溶剤使用表示部４５０Ａ〜４５０Ｄ及び第２溶剤使用表示部４６０Ａ〜４６０Ｄが配置されていることで、第１溶剤使用表示部４５０Ａ〜４５０Ｄ及び第２溶剤使用表示部４６０Ａ〜４６０Ｄがケーブル６００ａ〜６００ｃ、６００ｋにより隠れてしまうことがないので、第１溶剤使用表示部４５０Ａ〜４５０Ｄ及び第２溶剤使用表示部４６０Ａ〜４６０Ｄの視認性が損なわれることが防止される。
【０２７７】
尚、本実施例では、筐体１ａに基板ケース２００が取り付けられたときに、封印シール４００がケーブル６００ａ〜６００ｃ、６００ｋよりも上方位置に配置されることにより、第１溶剤使用表示部４５０Ａ〜４５０Ｄ及び第２溶剤使用表示部４６０Ａ〜４６０Ｄがケーブル６００ａ〜６００ｃ、６００ｋ（配線）と重ならないようになっていたが、これら配線の一端が封印シール４００よりも上方位置にて保持されている場合でも、配線を保持する第１保持部と該第１保持部とは異なる第２保持部とを結ぶ直線上に重ならない位置またはその近傍位置に封印シール４００の溶剤使用表示部４５０Ａ〜４５０Ｄが配置されていればよい。
【０２７８】
尚、配線を保持する第１保持部と該第１保持部とは異なる第２保持部とは、配線の一端や他端を接続するコネクタ等であってもよいし、配線の一端と他端以外の箇所を保持する配線フック等であってもよい。
【０２７９】
また、本実施例１では、封印シール４００の所定箇所には、該封印シール４００の強度が他の部分よりも低い脆弱部としての隅側切り込み４０８が設けられていることで、封印シール４００を剥離する際に隅側切り込み４０８が破断しやすくなるので、溶剤により剥離した封印シール４００を再度貼付するといった不正行為を抑制できる。
【０２８０】
また、本実施例１では、封印シール４００は、各々の封印シール４００を識別可能な識別情報であるシリアル番号などが目視にて読み取り可能に表示された第１識別情報表示部４５１と、各々の封印シール４００を識別可能な識別情報である２次元バーコードなどが符号化されることにより所定の読取装置（図示略）にて読み取り可能な第２識別情報表示部４５２と、を有することで、第１識別情報表示部４５１とは別個に、所定の読取装置でしか読み取ることができない第２識別情報表示部４５２が設けられていることで、第２識別情報表示部４５２から識別情報を読み取ることが困難化され、封印シール４００の偽造に手間がかかるようになるため、セキュリティ性が向上する。
【０２８１】
また、本実施例１では、ベース側封印部２２９及びカバー側封印部２２４からなる封印部の周囲には、貼付された封印シール４００の周囲を囲むように周壁部である凸条４１１，４２１が形成されていることで、封印シール４００を剥離する際に周囲の凸条４１１，４２１が邪魔になって剥離しにくくなるため、溶剤により剥離した封印シール４００を再度貼付するといった不正行為を抑制できる。
【０２８２】
尚、本実施例１では、周壁部は凸条により形成されていたが、平面に形成された凹部を封印シール貼付部とすることで、該凹部の周面に周壁部を形成してもよい。
【０２８３】
また、本実施例１では、封印シール４００は、各々の封印シールを識別可能な識別情報（例えば、シリアル番号など）を所定の電磁波により読み取り可能な電子タグを備えていなかったが、このような電子タグを封印シール４００の例えば粘着剤層４０２に埋設して設けてもよい。このようにすることで、識別情報の管理が容易になるとともに、識別情報を読み取るには所定の電磁波を利用しなければならなくなるので、封印シールの偽造に手間がかかるようになるため、セキュリティ性が向上する。
【０２８４】
また、基板ケース２００を筐体１ａに取り付けた状態でも、固定ベース３０１に対して可動ベース３０２を回動させることで遊技制御基板４０の表裏面側を視認することができるだけでなく、組付手段としての溶着部及び封印シール４００を含む封印部双方が回動軸３３３の反対側の右側辺に配置されるため、カバー部材２０２が開封されたか否か、つまり遊技制御基板４０に不正な改造が施されているか否かの確認作業を簡単に行うことができる。また、組付状態においては、カバー部材２０２を開封した場合にはその痕跡が残ることになるため、不正な遊技制御基板４０を収容した基板ケース２００に掏りかえるといった不正行為が行われた可能性があることを発見することができる。
【０２８５】
また、本実施例では、ベース部材２０１にカバー部材２０２を組み付ける組付手段として溶着部が適用されていたが、このような溶着手段に限定されるものではなく、例えばワンウェイネジやラッチ等の組付部材により組み付ける手段であってもよい。
【０２８６】
また、本実施例１では、溶着部及び封印部が基板ケース２００の一方の短辺部に設けられていたが、一方の長辺部側に回動軸３３３が配置されている場合は、他方の長辺部側に溶着部及び封印部を設ければよい。
【０２８７】
また、基板ケース２００を背板１ｃに取り付けた状態でも、基板ケース２００を第１回動規制位置Ａから第２回動規制位置Ｂまで回転させることで遊技制御基板４０の裏面４０ｂ側を視認することができるため、遊技制御基板４０に不正な改造が施されているか否かの確認作業を簡単に行うことができる。また、可動ベース３０２に基板ケース２００が取り付けられた組付状態において、固定ベース３０１から可動ベース３０２を取り外したり、可動ベース３０２から基板ケース２００を取り外したりした場合には、切断片２３３や板状片２２１等が切断されるなどしてその痕跡が残るだけでなく、ベース取付ネジ３３５を取り外して背板１ｃから固定ベース３０１を取り外した場合、つまり基板ケース２００を可動ベース３０２から取り外すために切断片２３３を切断するあるいは可動ベース３０２の被覆部３２２やカバー部材３３６等を破壊した場合にもその痕跡が残るため、背板１ｃから基板ケース２００を取り外し、不正な遊技制御基板４０を収容した基板ケース２００に掏りかえるといった不正行為が行われた可能性があることを発見することができる。
【０２８８】
言い換えると、可動ベース３０２に対する基板ケース２００の取り付けや、可動ベース３０２に対する固定ベース３０１の取り付けや、背板１ｃに対する固定ベース３０１の取り付けは、それらの取り付けに関連する取付関連部位を破壊（切断や剥離等を含む）しない限り各々の取り付け状態を解除することができない取付手段にて行われることで、各々の取付状態を解除した場合には確実にその痕跡が残り、これにより不正行為が行われた可能性があることを確実に発見することができる。
【０２８９】
また、特に本実施例では、前面扉１ｂが筐体１ａの左側辺に回動可能に枢支されていることにより、前面扉１ｂを開放した状態において、基板ケース２００も前面扉１ｂと同様に左側辺を中心に回動するため、基板ケース２００の裏面４０ｂを視認する際に、裏面４０ｂが前面扉１ｂがない右方に開放するため、確認を行う際に前面扉１ｂが邪魔になることがない。
【０２９０】
また、可動ベース３０２は、固定ベース３０１に対して所定の着脱位置から取り付け、取り外しできるように構成されているため、固定ベース３０１をベース取付ネジ３３５により簡単に取り付け、取り外すことができるとともに、ワンウェイネジ２４０ａにより可動ベース３０２に基板ケース２００を取り付けることにより、該取り付けられた基板ケース２００に設けられている板状片２２１により軸支溝３２０からの回動軸３３３の離脱が規制され、固定ベース３０１から取り外すことができなくなった可動ベース３０２に設けられた被覆部３２２により、回動可能範囲内において常にベース取付ネジ３３５による取付状態を解除することができなくなるため、固定ベース３０１等が破壊されて交換の必要が生じた場合においても、筐体１ａ等を破壊して固定ベース３０１を背板１ｃから取り外したりする必要がないので、筐体１ａを使い回すことが可能となる。
【０２９１】
また、可動ベース３０２は、基板ケース２００が取り付けられなければ固定ベース３０１に対して着脱可能であるため、何らかの理由（例えば回動操作したり不正行為されることにより所定部位が破損もしくは破壊されたり、回動軸３３３との摩擦により軸支溝３２０が磨耗した場合等）により交換が必要になった場合において、簡単に固定ベース３０１から取り外すことができる。
【０２９２】
また、固定ベース３０１からの可動ベース３０２の離脱を、ワンウェイネジ２４０ａによる基板ケース２００の可動ベース３０２への取り付けを利用して規制できるので、基板ケース２００を可動ベース３０２から取り外すだけで可動ベース３０２を固定ベース３０１から取り外して交換することができるばかりか、可動ベース３０２に基板ケース２００を取り付けるためのワンウェイネジ２４０ａとは別個に、回動軸３３３の軸支溝３２０からの離脱を規制する手段を新たに設ける必要がないので、ケース支持装置３００の構造を簡素化できるばかりか、作業負荷を低減することができる。
【０２９３】
また、可動ベース３０２への基板ケース２００の取り付けを、一度取付台座３１５に取り付けると取り外すことができないワンウェイネジ２４０ａにて行うため、切断片２３３を切断して取付封止片２３０を基板ケース２００の本体部から分離するか、あるいは可動ベース３０２の一部である取付台座３１５等を破壊するなどしない限り、基板ケース２００を可動ベース３０２から取り外すことができないが、切断片２３３を切断して取付封止片２３０を基板ケース２００の本体部から分離することにより基板ケース２００を可動ベース３０２から取り外した場合には、基板ケース２００から切り離された取付封止片２３０がワンウェイネジ２４０ａとともに取付台座３１５に保持され、取付封止片２３０が単体の部材とはならずに可動ベース３０２の取付台座３１５に残存するので、取付台座３１５とともに廃棄することができる。
【０２９４】
尚、本実施例では、基板ケース２００の被取付部としての取付封止片２３０、予備用取付封止片２３１が取り付けられる可動ベース３０２の取付部としての取付穴３１６ａ，３１６ｂを有する取付台座３１５は、可動ベース３０２に対して取り付け、取り外し可能に設けられているため、基板ケース２００を２回取り外した場合でも、取付台座３１５のみを交換すれば、可動ベース３０２を交換せずに使いまわすことが可能であるが、これら取付穴３１６ａ，３１６ｂは可動ベース３０２に直接形成されていてもよい。
【０２９５】
また、本実施例では、可動ベース３０２に対して基板ケース２００がワンウェイネジ２４０ａ，２４０ｂにて取り付けられるようになっていたが、係止ピン等の取付部材や、接着剤等の取付部材、つまり一度取り付けると取り外すことができない取付部材を介して取り付けられるようにしてもよい。さらに、可動ベース３０２に対して基板ケース２００を取り付けるための係止ピン等が、予め基板ケース２００または可動ベース３０２に一体的に形成されていてもよい。
【０２９６】
また、本実施例では、カバー部材２０２とベース部材２０１との封止を、熱溶着及び封印シールにて行っているが、ワンウェイネジや係止ピン等の固着部材や、接着剤等の固着部材を介して固着されるようにしてもよい。
【０２９７】
また、本実施例では、基板ケース２００は、ケース支持装置３００を介して筐体１ａの背板１ｃの内面上部に回動可能に支持されていたが、背板１ｃに取り付けられるものに限定されるものではなく、筐体１ａの左右の側板内面等に取り付けられていてもよいし、あるいは前面扉１ｂの裏面等に取り付けられていてもよい。さらには、これら筐体１ａまたは前面扉１ｂに設けられる付属部材等に取り付けられていてもよい。
【０２９８】
また、本実施例では、基板ケース２００は、回路基板としての遊技制御基板４０の裏面４０ｂ側を被覆可能なベース部材２０１と、該ベース部材２０１の開口を開閉可能であり、遊技制御基板４０の実装面４０ａ側を被覆可能なカバー部材２０２と、から構成されていたが、遊技制御基板４０の表裏面を被覆可能に収容するケース体と蓋体とから構成されていてもよく、この場合、ケース体に実装面４０ａを透視可能な第１の透視部及び裏面４０ｂを透視可能な第２の透視部双方が設けられていればよい。
【０２９９】
また、本実施例では、カバー側溶着部２２３及びベース側溶着部２０７からなる溶着部と取付封止片２３０及びワンウェイネジ２４０ａからなる取付封止部とを含む組付手段と、ベース側封印部２２９及びカバー側封印部２２４からなる封印部とは、基板ケース２００におけるケース支持装置３００の回動軸３３３（軸部）側に配置される左側辺と対向する右側辺に並設されている。よって、基板ケース２００を可動ベース３０２に取り付けた状態において、可動ベース３０２を第２回動規制位置Ｂまで回動させることにより、溶着及びワンウェイネジ２４０ａ等の組付手段による封止状態及び封印シール４００による封印部の封印状態双方を一度に目視することができるため、封止状態が解除されてカバー部材２０２が開封された痕跡があるか否か、つまり遊技制御基板４０に不正な改造が施されているか否かの確認作業を簡単に行うことができる。
【０３００】
また、本実施例では、遊技機の一例であるスロットマシン１の筐体１ａの内部（前面扉１ｂの背面側）に、筐体１ａの前面側から遊技制御基板４０の実装面４０ａ及び裏面４０ｂを選択的に視認可能となるようにケース支持装置３００を介して可動ベース３０２が回動可能に支持されていたが、例えば上記パチンコ遊技機にケース支持装置３００を介して基板ケース２００を回動可能に支持する場合、パチンコ遊技機を開放したときに、該パチンコ遊技機の裏面側にケース支持装置３００を介して回動可能に支持された遊技制御基板４０の実装面４０ａ及び裏面４０ｂを選択的に視認可能となるようにしてもよい。
【実施例２】
【０３０１】
次に、本発明の実施例２としてのパチンコ遊技機１００１について、図２３〜図３４に基づいて説明する。
【０３０２】
まず、遊技機の他の一例であるパチンコ遊技機１００１の全体の構成について説明する。図２３及び図２４に示すように、パチンコ遊技機１００１は、縦長の方形状に形成された外枠１１１０と、外枠１１１０の内側に開閉可能に取り付けられた遊技枠１１００とで構成される。また、パチンコ遊技機１００１は、遊技枠１１００に開閉可能に設けられている額縁状に形成されたガラス扉枠１００２を有する。遊技枠１１００は、外枠１１１０に対して開閉自在に設置され、機構部品等が取り付けられる機構板（図示略）と、それらに取り付けられる種々の部品（後述する遊技盤１００６を除く）とを含む構造体である。
【０３０３】
ガラス扉枠１００２の下部表面には打球供給皿（上皿）１００３がある。打球供給皿１００３の下部には、打球供給皿１００３に収容しきれない遊技球を貯留する余剰球受皿１００４や、打球を発射する打球操作ハンドル（操作ノブ）１００５が設けられている。また、ガラス扉枠１００２の背面には、遊技盤１００６が着脱可能に取り付けられている。尚、遊技盤１００６は、それを構成する板状体と、その板状体に取り付けられた種々の部品とを含む構造体である。また、遊技盤１００６の前面には、打ち込まれた遊技球が流下可能な遊技領域１００７が形成されている。
【０３０４】
遊技領域１００７の中央付近には、液晶表示装置（ＬＣＤ）で構成された演出表示装置１００９が設けられている。演出表示装置１００９では、第１特別図柄または第２特別図柄の可変表示に同期した演出図柄（飾り図柄）の可変表示（変動）が行われる。よって、演出表示装置１００９は、識別情報としての演出図柄（飾り図柄）の可変表示を行う可変表示装置に相当する。演出表示装置１００９は、演出制御基板に搭載されている演出制御用マイクロコンピュータによって制御される。演出制御用マイクロコンピュータが、第１特別図柄表示器１００８ａで第１特別図柄の可変表示が実行されているときに、その可変表示に伴って演出表示装置１００９で演出表示を実行させ、第２特別図柄表示器１００８ｂで第２特別図柄の可変表示が実行されているときに、その可変表示に伴って演出表示装置で演出表示を実行させるので、遊技の進行状況を把握しやすくすることができる。
【０３０５】
遊技盤１００６における演出表示装置１００９の上部の左側には、識別情報としての第１特別図柄を可変表示する第１特別図柄表示器（第１可変表示手段）１００８ａが設けられている。この実施例では、第１特別図柄表示器１００８ａは、０〜９の数字を可変表示可能な簡易で小型の表示器（例えば７セグメントＬＥＤ）で実現されている。すなわち、第１特別図柄表示器１００８ａは、０〜９の数字（または、記号）を可変表示するように構成されている。遊技盤１００６における演出表示装置１００９の上部の右側には、識別情報としての第２特別図柄を可変表示する第２特別図柄表示器（第２可変表示手段）１００８ｂが設けられている。第２特別図柄表示器１００８ｂは、０〜９の数字を可変表示可能な簡易で小型の表示器（例えば７セグメントＬＥＤ）で実現されている。すなわち、第２特別図柄表示器１００８ｂは、０〜９の数字（または、記号）を可変表示するように構成されている。
【０３０６】
この実施例では、第１特別図柄の種類と第２特別図柄の種類とは同じ（例えば、ともに０〜９の数字）であるが、種類が異なっていてもよい。また、第１特別図柄表示器１００８ａおよび第２特別図柄表示器１００８ｂは、それぞれ、例えば、００〜９９の数字（または、２桁の記号）を可変表示するように構成されていてもよい。
【０３０７】
以下、第１特別図柄と第２特別図柄とを特別図柄と総称することがあり、第１特別図柄表示器１００８ａと第２特別図柄表示器１００８ｂとを特別図柄表示器と総称することがある。
【０３０８】
第１特別図柄または第２特別図柄の可変表示は、可変表示の実行条件である第１始動条件または第２始動条件が成立（例えば、遊技球が第１始動入賞口１０１３または第２始動入賞口１０１４に入賞したこと）した後、可変表示の開始条件（例えば、保留記憶数が０でない場合であって、第１特別図柄および第２特別図柄の可変表示が実行されていない状態であり、かつ、大当り遊技が実行されていない状態）が成立したことに基づいて開始され、可変表示時間（変動時間）が経過すると表示結果（停止図柄）を導出表示する。尚、入賞とは、入賞口などのあらかじめ入賞領域として定められている領域に遊技球が入ったことである。また、表示結果を導出表示するとは、図柄（識別情報の例）を最終的に停止表示させることである。
【０３０９】
演出表示装置１００９は、第１特別図柄表示器１００８ａでの第１特別図柄の可変表示時間中、および第２特別図柄表示器１００８ｂでの第２特別図柄の可変表示時間中に、装飾用（演出用）の図柄としての演出図柄（飾り図柄ともいう）の可変表示を行う。第１特別図柄表示器１００８ａにおける第１特別図柄の可変表示と、演出表示装置１００９における演出図柄の可変表示とは同期している。また、第２特別図柄表示器１００８ｂにおける第２特別図柄の可変表示と、演出表示装置１００９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器１００８ａにおいて大当り図柄が停止表示されるときと、第２特別図柄表示器１００８ｂにおいて大当り図柄が停止表示されるときには、演出表示装置１００９において大当りを想起させるような演出図柄の組み合わせが停止表示される。
【０３１０】
演出表示装置１００９の下方には、第１始動入賞口１０１３を有する入賞装置が設けられている。第１始動入賞口１０１３に入賞した遊技球は、遊技盤１００６の背面に導かれ、第１始動口スイッチ１０１３ａによって検出される。
【０３１１】
また、第１始動入賞口（第１始動口）１０１３を有する入賞装置の下方には、遊技球が入賞可能な第２始動入賞口１０１４を有する可変入賞球装置１０１５が設けられている。第２始動入賞口（第２始動口）１０１４に入賞した遊技球は、遊技盤１００６の背面に導かれ、第２始動口スイッチ１０１４ａによって検出される。可変入賞球装置１０１５は、ソレノイド１０１６によって開状態とされる。可変入賞球装置１０１５が開状態になることによって、遊技球が第２始動入賞口１０１４に入賞可能になり（始動入賞し易くなり）、遊技者にとって有利な状態になる。可変入賞球装置１０１５が開状態になっている状態では、第１始動入賞口１０１３よりも、第２始動入賞口１０１４に遊技球が入賞しやすい。また、可変入賞球装置１０１５が閉状態になっている状態では、遊技球は第２始動入賞口１０１４に入賞しない。尚、可変入賞球装置１０１５が閉状態になっている状態において、入賞はしづらいものの、入賞することは可能である（すなわち、遊技球が入賞しにくい）ように構成されていてもよい。
【０３１２】
以下、第１始動入賞口１０１３と第２始動入賞口１０１４とを総称して始動入賞口または始動口ということがある。
【０３１３】
可変入賞球装置１０１５が開放状態に制御されているときには可変入賞球装置１０１５に向かう遊技球は第２始動入賞口１０１４に極めて入賞しやすい。そして、第１始動入賞口１０１３は演出表示装置１００９の直下に設けられているが、演出表示装置１００９の下端と第１始動入賞口１０１３との間の間隔をさらに狭めたり、第１始動入賞口１０１３の周辺で釘を密に配置したり、第１始動入賞口１０１３の周辺での釘配列を、遊技球を第１始動入賞口１０１３に導きづらくして、第２始動入賞口１０１４の入賞率の方を第１始動入賞口１０１３の入賞率よりもより高くするようにしてもよい。
【０３１４】
第１特別図柄表示器１００８ａの下部には、第１始動入賞口１０１３に入った有効入賞球数すなわち第１保留記憶数（保留記憶を、始動記憶または始動入賞記憶ともいう。）を表示する４つの表示器（例えば、ＬＥＤ）からなる第１特別図柄保留記憶表示器１０１８ａが設けられている。第１特別図柄保留記憶表示器１０１８ａは、有効始動入賞がある毎に、点灯する表示器の数を１増やす。そして、第１特別図柄表示器１００８ａでの可変表示が開始される毎に、点灯する表示器の数を１減らす。
【０３１５】
第２特別図柄表示器１００８ｂの下部には、第２始動入賞口１０１４に入った有効入賞球数すなわち第２保留記憶数を表示する４つの表示器（例えば、ＬＥＤ）からなる第２特別図柄保留記憶表示器１０１８ｂが設けられている。第２特別図柄保留記憶表示器１０１８ｂは、有効始動入賞がある毎に、点灯する表示器の数を１増やす。そして、第２特別図柄表示器１００８ｂでの可変表示が開始される毎に、点灯する表示器の数を１減らす。
【０３１６】
また、演出表示装置１００９の表示画面には、第１保留記憶数を表示する第１保留記憶表示部１０１８ｃと、第２保留記憶数を表示する第２保留記憶表示部１０１８ｄとが設けられている。尚、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
【０３１７】
尚、この実施例では、図２３に示すように、第２始動入賞口１０１４に対してのみ開閉動作を行う可変入賞球装置１０１５が設けられているが、第１始動入賞口１０１３および第２始動入賞口１０１４のいずれについても開閉動作を行う可変入賞球装置が設けられている構成であってもよい。
【０３１８】
また、図２３に示すように、可変入賞球装置１０１５の下方には、特別可変入賞球装置１０２０が設けられている。特別可変入賞球装置１０２０は開閉板を備え、第１特別図柄表示器１００８ａに特定表示結果（大当り図柄）が導出表示されたとき、および第２特別図柄表示器１００８ｂに特定表示結果（大当り図柄）が導出表示されたときに生起する特定遊技状態（大当り遊技状態）においてソレノイド１０２１によって開閉板が開放状態に制御されることによって、入賞領域となる大入賞口が開放状態になる。大入賞口に入賞した遊技球はカウントスイッチ１０２３で検出される。
【０３１９】
遊技盤１００６の右側方下部には、普通図柄表示器１０１０が設けられている。普通図柄表示器１０１０は、普通図柄と呼ばれる複数種類の識別情報（例えば、「○」および「×」）を可変表示する。
【０３２０】
遊技球がゲート１０３２を通過しゲートスイッチ１０３２ａで検出されると、普通図柄表示器１０１０の表示の可変表示が開始される。この実施例では、上下のランプ（点灯時に図柄が視認可能になる）が交互に点灯することによって可変表示が行われ、例えば、可変表示の終了時に下側のランプが点灯すれば当りとなる。そして、普通図柄表示器１０１０における停止図柄が所定の図柄（当り図柄）である場合に、可変入賞球装置１０１５が所定回数、所定時間だけ開状態になる。すなわち、可変入賞球装置１０１５の状態は、普通図柄の停止図柄が当り図柄である場合に、遊技者にとって不利な状態から有利な状態（第２始動入賞口１０１４に遊技球が入賞可能な状態）に変化する。普通図柄表示器１０１０の近傍には、ゲート１０３２を通過した入賞球数を表示する４つの表示器（例えば、ＬＥＤ）を有する普通図柄保留記憶表示器１０４１が設けられている。ゲート１０３２への遊技球の通過がある毎に、すなわちゲートスイッチ１０３２ａによって遊技球が検出される毎に、普通図柄保留記憶表示器１０４１は点灯する表示器を１増やす。そして、普通図柄表示器１０１０の可変表示が開始される毎に、点灯する表示器を１減らす。さらに、通常状態に比べて大当りとすることに決定される確率が高い状態である確変状態では、普通図柄表示器１０１０における停止図柄が当り図柄になる確率が高められるとともに、可変入賞球装置１０１５の開放時間が長くなり、かつ、開放回数が増加される。すなわち、遊技球が始動入賞しやすくなる（つまり、特別図柄表示器１００８ａ，１００８ｂや演出表示装置１００９における可変表示の実行条件が成立しやすくなる）ように制御された遊技状態である高ベース状態に移行する。また、この実施例では、時短状態（特別図柄の可変表示時間が短縮される遊技状態）においても、可変入賞球装置１０１５の開放時間が長くなり、かつ、開放回数が増加される。
【０３２１】
尚、可変入賞球装置１０１５が開状態となる時間を延長する（開放延長状態ともいう）ことによって、遊技球が始動入賞口に進入しやすくなる（つまり、特別図柄表示器１０８ａ，１０８ｂや演出表示装置１００９における可変表示の実行条件が成立しやすくなる）ように制御された遊技状態である高ベース状態に移行してもよい。
【０３２２】
また、可変入賞球装置１０１５が開状態となる時間を延長するのでなく、普通図柄表示器１０１０における停止図柄が当り図柄になる確率が高められる普通図柄確変状態に移行することによって、高ベース状態に移行してもよい。普通図柄表示器１０１０における停止図柄が所定の図柄（当り図柄）となると、可変入賞球装置１０１５が所定回数、所定時間だけ開状態になる。この場合、普通図柄確変状態に移行制御することによって、普通図柄表示器１０１０における停止図柄が当り図柄になる確率が高められ、可変入賞球装置１０１５が開状態となる頻度が高まる。従って、普通図柄確変状態に移行すれば、可変入賞球装置１０１５の開放時間と開放回数が高められ、始動入賞しやすい状態（高ベース状態）となる。すなわち、可変入賞球装置１０１５の開放時間と開放回数は、普通図柄の停止図柄が当り図柄であったり、特別図柄の停止図柄が確変図柄である場合等に高められ、遊技者にとって不利な状態から有利な状態（始動入賞しやすい状態）に変化する。尚、開放回数が高められることは、閉状態から開状態になることも含む概念である。
【０３２３】
また、普通図柄表示器１０１０における普通図柄の変動時間（可変表示期間）が短縮される普通図柄時短状態に移行することによって、高ベース状態に移行してもよい。普通図柄時短状態では、普通図柄の変動時間が短縮されるので、普通図柄の変動が開始される頻度が高くなり、結果として普通図柄が当りとなる頻度が高くなる。従って、普通図柄が当りとなる頻度が高くなることによって、可変入賞球装置１０１５が開状態となる頻度が高くなり、始動入賞しやすい状態（高ベース状態）となる。
【０３２４】
また、特別図柄や演出図柄の変動時間（可変表示期間）が短縮される時短状態に移行することによって、特別図柄や演出図柄の変動時間が短縮されるので、有効な始動入賞が発生しやすくなり大当り遊技が行われる可能性が高まる。
【０３２５】
さらに、上記に示した全ての状態（開放延長状態、普通図柄確変状態、普通図柄時短状態および特別図柄時短状態）に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか複数の状態に移行させることによって、始動入賞しやすくなる（高ベース状態に移行する）ようにしてもよい。
【０３２６】
遊技盤１００６の遊技領域１００７の左右周辺には、遊技中に点滅表示される装飾ＬＥＤ１０２５が設けられ、下部には、入賞しなかった打球が取り込まれるアウト口１０２６がある。また、遊技領域１００７の外側の左右上部には、所定の音声出力として効果音や音声を発声する２つのスピーカ１０２７Ｒ，１０２７Ｌが設けられている。遊技領域１００７の外周上部、外周左部および外周右部には、前面枠に設けられた天枠ＬＥＤ１０２８ａ、左枠ＬＥＤ１０２８ｂおよび右枠ＬＥＤ１０２８ｃが設けられている。また、左枠ＬＥＤ１０２８ｂの近傍には賞球残数があるときに点灯する賞球ＬＥＤ１０５１が設けられ、右枠ＬＥＤ１０２８ｃの近傍には補給球が切れたときに点灯する球切れＬＥＤ１０５２が設けられている。天枠ＬＥＤ１０２８ａ、左枠ＬＥＤ１０２８ｂおよび右枠ＬＥＤ１０２８ｃおよび装飾ＬＥＤ１０２５は、パチンコ遊技機１００１に設けられている演出用の発光体の一例である。尚、上述した演出用（装飾用）の各種ＬＥＤの他にも演出のためのＬＥＤやランプが設置されている。
【０３２７】
また、打球供給皿１００３を構成する部材に、遊技者が操作可能な操作手段としての打球操作ハンドル１００５が設けられている。打球操作ハンドル１００５には、遊技者が押圧操作することが可能とされ、内部にＬＥＤ（図示略）を内在することで点灯可能な透明樹脂部材から成る押圧操作部が設けられ、その押圧操作部の下方には、押圧操作部の押圧操作を検出するための操作スイッチ（図示略）が設けられている。
【０３２８】
遊技機には、遊技者が打球操作ハンドル１００５を操作することに応じて駆動モータを駆動し、駆動モータの回転力を利用して遊技球を遊技領域１００７に発射する打球発射装置（図示略）が設けられている。打球発射装置から発射された遊技球は、遊技領域１００７を囲むように円形状に形成された打球レールを通って遊技領域１００７に入り、その後、遊技領域１００７を下りてくる。遊技球が第１始動入賞口１０１３に入り第１始動口スイッチ１０１３ａで検出されると、第１特別図柄の可変表示を開始できる状態であれば（例えば、特別図柄の可変表示が終了し、第１の開始条件が成立したこと）、第１特別図柄表示器１００８ａにおいて第１特別図柄の可変表示（変動）が開始されるとともに、演出表示装置１００９において演出図柄（飾り図柄）の可変表示が開始される。すなわち、第１特別図柄および演出図柄の可変表示は、第１始動入賞口１０１３への入賞に対応する。第１特別図柄の可変表示を開始できる状態でなければ、第１保留記憶数が上限値に達していないことを条件として、第１保留記憶数を１増やす。
【０３２９】
遊技球が第２始動入賞口１０１４に入り第２始動口スイッチ１０１４ａで検出されると、第２特別図柄の可変表示を開始できる状態であれば（例えば、特別図柄の可変表示が終了し、第２の開始条件が成立したこと）、第２特別図柄表示器１００８ｂにおいて第２特別図柄の可変表示（変動）が開始されるとともに、演出表示装置１００９において演出図柄（飾り図柄）の可変表示が開始される。すなわち、第２特別図柄および演出図柄の可変表示は、第２始動入賞口１０１４への入賞に対応する。第２特別図柄の可変表示を開始できる状態でなければ、第２保留記憶数が上限値に達していないことを条件として、第２保留記憶数を１増やす。
【０３３０】
主基板１０３１には、プログラムに従ってパチンコ遊技機１００１を制御する遊技制御用マイクロコンピュータ（制御用マイクロコンピュータ）１５６０が搭載されている。遊技制御用マイクロコンピュータ１５６０は、ゲーム制御（遊技進行制御）用のプログラム等を記憶するＲＯＭ１０５４、ワークメモリとして使用される記憶手段としてのＲＡＭ１０５５、プログラムに従って制御動作を行うＣＰＵ１０５６およびＩ／Ｏポート部１０５７を含む。この実施例では、ＲＯＭ１０５４およびＲＡＭ１０５５は遊技制御用マイクロコンピュータ１５６０に内蔵されている。すなわち、遊技制御用マイクロコンピュータ１５６０は、１チップマイクロコンピュータである。１チップマイクロコンピュータには、少なくともＣＰＵ１０５６のほかＲＡＭ１０５５が内蔵されていればよく、ＲＯＭ１０５４は外付けであっても内蔵されていてもよい。また、Ｉ／Ｏポート部１０５７は、外付けであってもよい。遊技制御用マイクロコンピュータ１５６０には、さらに、ハードウェア乱数（ハードウェア回路が発生する乱数）を発生する乱数回路１０５３が内蔵されている。
【０３３１】
尚、遊技制御用マイクロコンピュータ１５６０においてＣＰＵ１０５６がＲＯＭ１０５４に格納されているプログラムに従って制御を実行するので、以下、遊技制御用マイクロコンピュータ１５６０（またはＣＰＵ１０５６）が実行する（または、処理を行う）ということは、具体的には、ＣＰＵ１０５６がプログラムに従って制御を実行することである。このことは、主基板１０３１以外の他の基板に搭載されているマイクロコンピュータについても同様である。
【０３３２】
乱数回路１０５３は、特別図柄の可変表示の表示結果により大当りとするか否か判定するための判定用の乱数を発生するために用いられるハードウェア回路である。乱数回路１０５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることに基づいて、読出される数値データが乱数値となる乱数発生機能を有する。
【０３３３】
乱数回路１０５３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【０３３４】
また、遊技制御用マイクロコンピュータ１５６０は、乱数回路１０５３が更新する数値データの初期値を設定する機能を有している。例えば、ＲＯＭ１０５４等の所定の記憶領域に記憶された遊技制御用マイクロコンピュータ１５６０のＩＤナンバ（遊技制御用マイクロコンピュータ１５６０の各製品ごとに異なる数値で付与されたＩＤナンバ）を用いて所定の演算を行なって得られた数値データを、乱数回路１０５３が更新する数値データの初期値として設定する。そのような処理を行うことによって、乱数回路１０５３が発生する乱数のランダム性をより向上させることができる。
【０３３５】
遊技制御用マイクロコンピュータ１５６０は、第１始動口スイッチ１０１３ａまたは第２始動口スイッチ１０１４ａへの始動入賞が生じたときに乱数回路１０５３から数値データをランダムＲとして読み出し、特別図柄および演出図柄の変動開始時にランダムＲに基づいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【０３３６】
また、ＲＡＭ１０５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ１０５５の一部または全部の内容は保存される。特に、少なくとも、遊技状態すなわち遊技制御手段の制御状態に応じたデータ（特別図柄プロセスフラグや合算保留記憶数カウンタの値など）と未払出賞球数を示すデータは、バックアップＲＡＭに保存される。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。尚、この実施例では、ＲＡＭ１０５５の全部が、電源バックアップされているとする。
【０３３７】
遊技制御用マイクロコンピュータ１５６０のリセット端子には、電源基板からのリセット信号（図示略）が入力される。電源基板には、遊技制御用マイクロコンピュータ１５６０等に供給されるリセット信号を生成するリセット回路が搭載されている。尚、リセット信号がハイレベルになると遊技制御用マイクロコンピュータ１５６０等は動作可能状態になり、リセット信号がローレベルになると遊技制御用マイクロコンピュータ１５６０等は動作停止状態になる。従って、リセット信号がハイレベルである期間は、遊技制御用マイクロコンピュータ１５６０等の動作を許容する許容信号が出力されていることになり、リセット信号がローレベルである期間は、遊技制御用マイクロコンピュータ１５６０等の動作を停止させる動作停止信号が出力されていることになる。尚、リセット回路をそれぞれの電気部品制御基板（電気部品を制御するためのマイクロコンピュータが搭載されている基板）に搭載してもよい。
【０３３８】
さらに、遊技制御用マイクロコンピュータ１５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、遊技制御用マイクロコンピュータ１５６０の入力ポートには、ＲＡＭの内容をクリアすることを指示するためのクリアスイッチが操作されたことを示すクリア信号（図示略）が入力される。
【０３３９】
また、ゲートスイッチ１０３２ａ、第１始動口スイッチ１０１３ａ、第２始動口スイッチ１０１４ａおよびカウントスイッチ１０２３からの検出信号を遊技制御用マイクロコンピュータ１５６０に与える入力ドライバ回路１０５８も主基板１０３１に搭載されている。また、可変入賞球装置１０１５を開閉するソレノイド１０１６、および大入賞口を形成する特別可変入賞球装置１０２０を開閉するソレノイド１０２１を遊技制御用マイクロコンピュータ１５６０からの指令に従って駆動する出力回路１０５９も主基板１０３１に搭載されている。さらに、大当り遊技状態の発生を示す大当り情報等の情報出力信号をホールコンピュータ等の外部装置に対して出力する情報出力回路（図示略）も主基板１０３１に搭載されている。
【０３４０】
この実施例では、演出制御基板１０８０に搭載されている演出制御手段（演出制御用マイクロコンピュータで構成される。）が、中継基板１０７７を介して遊技制御用マイクロコンピュータ１５６０から演出内容を指示する演出制御コマンドを受信し、演出図柄を可変表示する演出表示装置１００９との表示制御を行う。
【０３４１】
演出制御基板１０８０は、演出制御用ＣＰＵおよびＲＡＭを含む演出制御用マイクロコンピュータ（図示略）を搭載している。尚、ＲＡＭは外付けであってもよい。演出制御基板１０８０において、演出制御用ＣＰＵは、内蔵または外付けのＲＯＭ（図示略）に格納されたプログラムに従って動作し、中継基板１０７７を介して入力される主基板１０３１からの取込信号（演出制御ＩＮＴ信号）に応じて、入力ドライバおよび入力ポートを介して演出制御コマンドを受信する。また、演出制御用ＣＰＵは、演出制御コマンドに基づいて、ＶＤＰ（ビデオディスプレイプロセッサ）に演出表示装置１００９の表示制御を行わせる。
【０３４２】
演出制御用ＣＰＵ１０１は、受信した演出制御コマンドに従ってキャラクタＲＯＭ（図示略）から必要なデータを読み出す。キャラクタＲＯＭは、演出表示装置１００９に表示されるキャラクタ画像データ、具体的には、人物、文字、図形または記号等（演出図柄を含む）をあらかじめ格納しておくためのものである。演出制御用ＣＰＵは、キャラクタＲＯＭから読み出したデータをＶＤＰ（図示略）に出力する。ＶＤＰは、演出制御用ＣＰＵ１０１から入力されたデータに基づいて表示制御を実行する。
【０３４３】
演出制御コマンドおよび演出制御ＩＮＴ信号は、演出制御基板１０８０において、まず、入力ドライバ（図示略）に入力する。入力ドライバは、中継基板１０７７から入力された信号を演出制御基板１０８０の内部に向かう方向にしか通過させない（演出制御基板１０８０の内部から中継基板１０７７への方向には信号を通過させない）信号方向規制手段としての単方向性回路でもある。
【０３４４】
中継基板１０７７には、主基板１０３１から入力された信号を演出制御基板１０８０に向かう方向にしか通過させない（演出制御基板１０８０から中継基板１０７７への方向には信号を通過させない）信号方向規制手段としての単方向性回路（図示略）が搭載されている。単方向性回路として、例えばダイオードやトランジスタが使用される。また、単方向性回路は、各信号毎に設けられる。さらに、単方向性回路であるＩ／Ｏポート部１０５７を介して主基板１０３１から演出制御コマンドおよび演出制御ＩＮＴ信号が出力されるので、中継基板１０７７から主基板１０３１の内部に向かう信号が規制される。すなわち、中継基板１０７７からの信号は主基板１０３１の内部（遊技制御用マイクロコンピュータ１５６０側）に入り込まない。尚、Ｉ／Ｏポート部１０５７は、図２５に示されたＩ／Ｏポート部１０５７の一部である。また、Ｉ／Ｏポート部１０５７の外側（中継基板１０７７側）に、さらに、単方向性回路である信号ドライバ回路が設けられていてもよい。
【０３４５】
さらに、演出制御用ＣＰＵ１０１は、出力ポート（図示略）を介してランプドライバ基板１０３５に対してＬＥＤを駆動する信号を出力する。また、演出制御用ＣＰＵは、出力ポート（図示略）を介して音声制御基板１０７０に対して音番号データを出力する。
【０３４６】
ランプドライバ基板１０３５において、ＬＥＤを駆動する信号は、入力ドライバ（図示略）を介してＬＥＤドライバ（図示略）に入力される。ＬＥＤドライバ（図示略）は、駆動信号を天枠ＬＥＤ１０２８ａ、左枠ＬＥＤ１０２８ｂ、右枠ＬＥＤ１０２８ｃなどの枠側に設けられている各ＬＥＤに供給する。また、遊技盤側に設けられている装飾ＬＥＤ１０２５に駆動信号を供給する。尚、ＬＥＤ以外の発光体が設けられている場合には、それを駆動する駆動回路（ドライバ）がランプドライバ基板１０３５に搭載される。
【０３４７】
音声制御基板１０７０において、音番号データは、入力ドライバ（図示略）を介して音声合成用ＩＣ（図示略）に入力される。音声合成用ＩＣは、音番号データに応じた音声や効果音を発生し増幅回路（図示略）に出力する。増幅回路は、音声合成用ＩＣの出力レベルを、ボリュームで設定されている音量に応じたレベルに増幅した音声信号をスピーカ１０２７Ｒ，１０２７Ｌに出力する。音声データＲＯＭ（図示略）には、音番号データに応じた制御データが格納されている。音番号データに応じた制御データは、所定期間（例えば演出図柄の変動期間）における効果音または音声の出力態様を時系列的に示すデータの集まりである。
【０３４８】
また、演出制御用ＣＰＵは、入出力ポートを介して打球操作ハンドル１００５に接続されており、該入出力ポートを介して打球操作ハンドル１００５内のＬＥＤ（図示略）を駆動する信号を出力するとともに、打球操作ハンドル１００５内の操作スイッチ（図示略）から遊技者の押圧操作に応じて出力される操作信号が入力される。
【０３４９】
（主基板ケース）
次に、主基板１０３１を収容した基板ケース１２００の構造について、図２６〜図３４に基づいて説明する。図２６は、主基板ケースの構造を示す分解斜視図である。図２７は、ベース部材を示す図である。図２８は、カバー部材を示す図である。図２９は、カバー部材とベース部材とが組み付けられた主基板ケースを示す斜視図である。図３０は、（ａ）は主基板ケースの封印部を封印した状態を示す正面図であり、（ｂ）は主基板ケースの封印部を示す左側面図である。図３１は、（ａ）はシール保護カバーを示す斜視図であり、（ｂ）は（ａ）のＸ−Ｘ断面図であり、（ｃ）は（ａ）のＷ−Ｗ断面図である。図３２は、（ａ）は図３０（ｂ）のＶ−Ｖ断面図であり、（ｂ）は（ａ）のＹ−Ｙ断面図である。図３３は、（ａ）は封印シールの構成を示す正面図、（ｂ）は（ａ）のＫ−Ｋ断面図である。図３４は、（ａ）は溶剤Ａにより第１溶剤使用表示部のインクが溶解した状態を示す図であり、（ｂ）は溶剤Ｂにより第２溶剤使用表示部のインクが溶解した状態を示す図である。
【０３５０】
尚、基板ケース１２００について、実施例１の基板ケース２００と同様の構成部位に関しては、基板ケース２００に付与した符号に１０００を加算した符号を付与することでその詳細な説明は省略することとする。尚、以下の説明においては、パチンコ遊技機１００１を正面側から見た場合を基準として、基板ケース１２００の上下、左右、前後方向を示すものとする。
【０３５１】
基板ケース１２００における実施例１に記載の基板ケース２００との主な相違点は、（１）ベース部材１２０１とカバー部材１２０２との封止及びパチンコ遊技機１００１への取付構造、（２）封印シール１４００及び封印部１２２４，１２２９の構造であり、以下においては、上記１，２について主に説明することとする。図２６〜図２８に示すように、基板ケース１２００は、ベース部材１２０１とカバー部材１２０２とからなり、内部に主基板１０３１を収容した状態で封止することができるように構成されている。
【０３５２】
図２７に示すように、ベース部材１２０１の右短辺１２０１ｃには、ベース側封印部１２２９が形成されているとともに、左短辺１２０１ｄには、中央にベース側溶着部１２０７が設けられているとともに、ベース側溶着部１２０７の上側には、予備用ワンウェイネジ１２４０ｂを収容する収容部１６００が設けられ、下側には、取付封止用のワンウェイネジ１２４０ａが挿通される取付封止用孔１６０１が形成されている。
【０３５３】
ベース部材１２０１の左短辺１２０１ｄに形成される左側壁外面には、断面略三角形状をなすとともに左側壁の前後方向に向けて延設される複数の凹溝１６３０が、左側壁の長手方向にわたり複数離間配設されている。このような凹溝１６３０を複数形成して左側壁を脆弱化させることで、該左側壁に形成されたベース側溶着部１２０７及びカバー側溶着部１２２３を溶着した封止状態において、例えばベース部材１２０１とカバー部材１２０２との間に工具等を不正に差し込んで強引に開封しようとした場合に左側壁が破壊されやすくなる。これにより、該破壊されたベース部材１２０１を用いて封止状態を再現することができなくなるため、不正行為を抑止することができる。
【０３５４】
尚、このような凹溝は、ベース部材１２０１の左側壁だけでなく、他の側壁や他の部位等に形成してもよいし、あるいはカバー部材１２０２側に形成してもよいが、特に封止部や溶着部等の近傍等の不正器具が差し込まれやすい箇所に形成することが好ましい。
【０３５５】
図２８に示すように、カバー部材１２０２の右側壁１２０２ｃには、カバー側封印部１２２４が形成されているとともに、左側壁１２０２ｄには、中央にカバー側溶着部１２２３が設けられているとともに、カバー側溶着部１２２３の上側には、予備用ワンウェイネジ１２４０ｂを被覆するネジ被覆片１６０２が設けられ、下側には、取付封止用のワンウェイネジ１２４０ａが挿通される取付封止片１２３０及び係止片１６０３が形成されている。尚、ネジ被覆片１６０２は、閉鎖状態においてベース部材１２０１の被係止片１６０２ａに係止され、係止片１６０３は、閉鎖状態においてベース部材１２０１の被係止片１６０３ａに係止される。
【０３５６】
尚、ベース側溶着部１２０７及びカバー側溶着部１２２３からなる溶着部及び取付封止用孔１６０１及び取付封止片１２３０からなる封止取付部は、形状等が異なるだけで機能的には実施例１の基板ケース２００の溶着部及び封止取付部とほぼ同様に構成され、同様の作用・効果を奏するため、ここでの詳細な説明は省略する。
【０３５７】
図３２に示すように、ベース側封印部１２２９は、前貼付面１２２９ａと右下貼付面１２２９ｂとからなるベース側貼付面を有し、これら各貼付面１２２９ａ，１２２９ｂの上下には、位置決め凸条１４１１，１４１１及び位置決め角部１４１２，１４１２が形成されている。前貼付面１２２９ａには、閉鎖ネジ１２２６を取り付けるための取付穴１６１０の一端側に形成される頭部収納用の凹部１６１０ａの開口１６１０ｂが臨むように形成されており、閉鎖ネジ１２２６を該開口１６１０ｂから取付穴１６１０に挿通して取り付けることができるようになっている。
【０３５８】
カバー側封印部１２２４は、右上貼付面１２２４ｂのみからなるカバー側貼付面を有し、右上貼付面１２２４ｂの上下には、位置決め凸条１４２１，１４２１及び位置決め角部１４２２，１４２２が形成されている。カバー側封印部１２２４の前端面には、閉鎖ネジ１２２６が取り付けられるネジ孔１６１１が形成されており、取付穴１６１０に挿通された閉鎖ネジ１２２６が螺入されるようになっている。
【０３５９】
基板ケース１２００の左側面に沿って形成される右下貼付面１２２９ｂ及び右上貼付面１２２４ｂは、ベース部材１２０１とカバー部材１２０２とが閉鎖状態となった場合に（図２９参照）、基板ケース１２００の右側面に沿って連続する平坦面状の第１貼付面を構成するようになっており、これら各貼付面１２２９ｂ，１２２４ｂからなる第１貼付面の面積は、基板ケース１２００の右側面から側方に突設される前貼付面１２２９ａからなる第２貼付面の面積よりも大とされている。
【０３６０】
このように、基板ケース１２００の右側面に対してほぼ平行に配設される第１貼付面を基板ケース１２００のカバー板１２０２ａ及びベース板１２０１ａに対してほぼ平行に配設される第２貼付面よりも大きく形成し、かつ、図３０に示すように、第１貼付面の周縁が基板ケース１２００の側面の周縁よりも内側に配置されることで、基板ケース１２００の右側面から第２貼付面を側方に向けて大きく突出させなくても、基板ケース１２００の側面の範囲内で第１貼付面を極力大型化することで広いシール貼付面を確保できるため、基板ケース１２００をコンパクト化できるばかりか、後述する封印シール１４００が基板ケース１２００の側方に突出して周辺の装置や部品等に接触しやすくなることを回避できる。
【０３６１】
また、ベース部材１２０１とカバー部材１２０２との境界部Ｚを挟んで連続する第１貼付面と、該第１貼付面とは異なる方向を向くとともに開口１６１０ｂが形成される第２貼付面とによりシール貼付面が構成され、封印シール１４００は境界部Ｚと開口１６１０ｂとを被覆するように貼付されることで、ベース部材１２０１とカバー部材１２０２との組み付けが解除された場合だけでなく、ベース部材１２０１とカバー部材１２０２との組み付けを解除するために閉鎖ネジ１２２６がネジ孔１６１１から取り外された場合にも痕跡が残るため、第２封止状態が解除された可能性があることを発見しやすくなるばかりか、第１貼付面と第２貼付面との間に約９０度の角部Ｃ１０（屈曲部、図３３（ａ）参照）が形成されるため、封印シール１４００を剥離しようとする際に破損が生じやすくなる。
【０３６２】
尚、図３２に示すように、これら貼付面には、上記実施例１の封印シール４００と同様に角部の切欠辺１４１０を位置決め面１４１２ａ，１４２２ａに合致させて貼付することで、開口１６１０ｂから露呈する閉鎖ネジ１２２６の頭部が被覆されることで、第２封止状態が構成される。
【０３６３】
図３３に示すように、封印シール１４００において、上記実施例１の封印シール４００と相違する点は、第１溶剤使用表示部１４５０Ａ〜１４５０Ｄ、第２溶剤使用表示部１４６０Ａ〜１４６０Ｄ、第１識別情報表示部１４５１、第２識別情報表示部１４５２が横向きに配置されて位置が異なる点であり、その他の構成はほぼ同様であるため、同様の符号を付すことによりここでの詳細な説明は省略する。
【０３６４】
シール基材１４０１の表面のうち、粘着剤層１４０２が形成されていない表面には、図３３（ａ）〜（ｂ）に示すように、溶剤Ａまたは溶剤Ｂと接触することにより該溶剤Ａまたは溶剤Ｂに溶解する特殊インクにより印刷形成された「開封禁止」の文字と枠線が、封印シール１４００を基板ケース１２００に所定態様にて貼付したときに、該基板ケース１２００を構成するカバー部材１２０２とベース部材１２０１との境界部Ｚ（図３３（ａ）参照）や、封印シール貼付部における角部Ｃ１０（図３３（ｂ）参照）に位置しない部分に配置されるように印刷形成されている。
【０３６５】
このうち「開封禁止」の文字は、前述した溶剤Ａ等の非極性型の溶剤には溶解し易い一方、前述した溶剤Ｂ等の極性型の溶剤には溶解し難い非極性溶解型の特殊インクにて印刷されており、該非極性溶解型の特殊インクによる「開封禁止」の文字が、例えば、溶剤Ａに接触すると、該「開封禁止」の文字を構成するインク層が溶剤Ａに溶解して、文字のコントラストが低下するようになっており（例えば、図３４（ａ）参照）、これら「開封禁止」の文字によって本発明の第１溶剤使用表示部１４５０が形成されている。
【０３６６】
一方、枠線は、前述した溶剤Ｂ等の極性型の溶剤には溶解し易い一方、前述した溶剤Ａ等の極性型の溶剤には溶解し難い極性溶解型の特殊インクにて印刷されており、該極性溶解型の特殊インクによる枠線が、例えば、溶剤Ｂに接触すると、該枠線を構成するインク層が溶剤Ｂに溶解して、枠線のコントラストが低下するようになっており（例えば、図３４（ｂ）参照）、これら枠によって本発明の第２溶剤使用表示部１４６０が形成されている。
【０３６７】
また、基板ケース１２００における封印部１２２９，１２２４に形成される封印シール１４００の貼付面は、実施例１の貼付面のようにコ字形ではなくＬ字形とされていることで、左側面に沿って形成される第１貼付面を極力大とすることができ、かつ、折り曲げ箇所が２箇所でなく１箇所になる。
【０３６８】
シール保護カバー１２２８は、図３１に示すように、第１貼付面の外側を被覆する第１被覆片１６２０と、第２貼付面の外側を被覆する第２被覆片１６２１とから略Ｌ字形に形成されている。第１被覆片１６２０の端部側の幅寸法は、該第１被覆片１６２０の基部側及び第２被覆片１６２１の幅寸法よりも短寸に形成されている。
【０３６９】
第２被覆片１６２１の上下短辺部からは、前面側に向けて上下一対の弾性係止片１６２２，１６２２が延設されており、この弾性係止片１６２２，１６２２を、カバー部材１２０２におけるカバー側封印部１２２４の上下側部にそれぞれ形成された係止片挿通部１６２３，１６２３の後端開口から挿通し、弾性係止片１６２２，１６２２の先端に外向きに突設された係止爪１６２２ａ，１６２２ａを係止穴１６２４，１６２４に係止することで、カバー部材１２０２に係止することができるようになっている。また、係止穴１６２４，１６２４に係止された係止爪１６２２ａ，１６２２ａを外側から押圧することで係止状態を簡単に解除することができる。
【０３７０】
このようにシール保護カバー１２２８は、カバー部材１２０２の前面側から後面側に向けて押し込むことでカバー部材１２０２に係止することができるようになっている。そして係止された装着状態において、第１被覆片１６２０及び第２被覆片１６２１の内面周縁が位置決め凸条１４１１，１４２１及び位置決め部１４１２，１４２２それぞれの当接規制面１４１３，１４２３に当接することで、第１被覆片１６２０及び第２被覆片１６２１の内面側辺部と封印シール１４００の表面１４００ａとの対向面が互いに離間配置されて非接触状態に維持される。よって、シール保護カバー１２２８を当接規制面１４１３，１４２３に当接した状態で前後にスライドさせて封印部１２２４，１２２９に対して着脱する際においても、封印シール１４００に接触することがないとともに、装着した状態において、シール保護カバー１２２８に何らかの外力が付与されても、封印シール１４００に直接伝わることがないので、封印シール１４００の破損が防止される。
【０３７１】
また、シール保護カバー１２２８は、Ｌ字形の第１被覆片１６２０及び第２被覆片１６２１のみから構成されていることで、カバー部材１２０２に係止したままでも、ベース部材１２０１に対してカバー部材１２０２を開閉可能である。よって、例えば主基板１０３１の検査を行うために第２封止状態を解除する際には、被係止部である係止穴１６２４と係止部としての係止爪１６２２ａとの係止状態を解除することでシール保護カバー１２２８を簡単に取り外すことができる。また、第２封止状態を解除するためにシール保護カバー１２２８を取り外してしても、シール保護カバー１２２８をカバー部材１２０２に係止することができるので、シール保護カバー１２２８の紛失を防止できるばかりか、係止状態のままカバー部材１２０２を開閉できるので、開閉作業を容易に行うことができる。
【０３７２】
また、シール保護カバー１２２８は、基板ケース１２００のカバー部材１２０２に対して、前面側から着脱自在に取り付けできる。そして、基板ケース１２００をパチンコ遊技機１００１の背面に設けられたケース配置位置（図２１参照）に配置した（取り付けた）状態（本実施例では、ベース部材１２０１の前面を配置面に対向させた状態で配置する）において、シール保護カバー１２２８の第２被覆片１６２１の前面が該配置面と当接または近接して対向配置されているため、ケース配置位置に配置した状態でシール保護カバー１２２８をカバー部材１２０２から取り外そうとしても、第２被覆片１６２１の前面が配置面に当接規制されて基板ケース１２００から取り外すことができない。
【０３７３】
よって、基板ケース１２００をケース配置位置に配置し、前述した取付封止片１２３０にワンウェイネジ１２４０ａを挿通してケース配置位置に形成された取付部に螺入して取り付けることで、シール保護カバー１２２８の取り外し方向への移動が配置面との当接により規制され、基板ケース１２００から取り外すことができなくなるため、封印シール１４００への不正行為を効果的に防止できる。
【０３７４】
さらに、閉鎖ネジ１２２６の頭部を収納する凹部１６１０ａの開口１６１０ｂは、ベース板１２０１ａに対して平行な第２貼付面に臨むように形成されているため、上記のように基板ケース１２００をパチンコ遊技機１００１に設けられたケース配置位置（図２１参照）に配置した（取り付けた）状態（本実施例では、ベース部材１２０１の前面を配置面に対向させた状態で配置する）において、開口１６１０ｂが配置面に対向配置されるため、ケース配置位置に配置した状態のまま閉鎖ネジ１２２６を取り外すことは不可能であるため、カバー部材１２０２を開封することが困難となる。
【０３７５】
尚、基板ケース１２００が配置される配置面は、パチンコ遊技機１００１を構成する構成部位または該パチンコ遊技機１００１に配設された遊技用部品等、どのような部位で構成されていてもよい。
【０３７６】
また、シール保護カバー１２２８は、基板ケース１２００が配置位置に配置された状態で前記配置面に当接することで取り外しが規制されるものに限定されるものではなく、配置面以外の箇所に配設されたパチンコ遊技機１００１を構成する構成部位または該パチンコ遊技機１に配設された遊技用部品等により当接規制されてもよい。
【０３７７】
以上説明したように、本発明の実施例２としてのパチンコ遊技機１００１にあっては、基板ケース１２００が開封されたときに破断するなどして該開封された痕跡が残るようにするために、ベース側封印部１２２９とカバー側封印部１２２４とに跨るように貼付されることで封止状態とすることができる封印シール１４００を有することで、不正な改造が施された遊技制御用マイクロコンピュータ１５６０を搭載する主基板１０３１にすり替えるために基板ケース１２００が不正に開放されたときにはその痕跡が残るようになるため、不正行為が行われた可能性があることを発見しやすくなる。
【０３７８】
また、封印シール１４００は、該封印シール１４００の粘着力を低下させるために所定の溶剤（例えば、溶剤Ａや溶剤Ｂなど）が用いられたときに該溶剤が使用された痕跡を示す第１溶剤使用表示部１４５０Ａ〜１４５０Ｄや第２溶剤使用表示部１４６０Ａ〜１４６０Ｄを有することで、溶剤を使用して封印シール１４００の粘着力を低下させようとした場合、該封印シール１４００の第１溶剤使用表示部１４５０Ａ〜１４５０Ｄや第２溶剤使用表示部１４６０Ａ〜１４６０Ｄに該溶剤が使用された痕跡（例えば、第１溶剤使用表示部１４５０Ａ〜１４５０Ｄや第２溶剤使用表示部１４６０Ａ〜１４６０Ｄが薄くなる）が残ることで、溶剤を使用して封印シール１４００の粘着力を低下させようとしたことがわかるようになるため、例えば、第３者が溶剤により封印シール１４００を剥離して基板ケース１２００を開封した後、不正な主基板３１を収納した基板ケース１２００に、剥離した封印シール１４００を再度貼付されても、基板ケース１２００が開封されたことを容易に判別することが可能となる。
【０３７９】
また、溶剤使用表示部は、第１溶剤（例えば、溶剤Ａ）が用いられたときに該第１溶剤が使用された痕跡を示す第１溶剤使用表示部１４５０Ａ〜１４５０Ｄと、第１溶剤とは種類が異なる第２溶剤（例えば、溶剤Ｂ）が用いられたときに該第２溶剤が使用された痕跡を示す第２溶剤使用表示部１４６０Ａ〜１４６０Ｄと、を含むことで、第１溶剤使用表示部１４５０Ａ〜１４５０Ｄには痕跡が残らない溶剤Ｂが用いられたときには、第２溶剤使用表示部１４６０Ａ〜１４６０Ｄに痕跡が残るため、一の溶剤使用表示部では痕跡が残らない溶剤が使用された場合でも、他の溶剤使用表示部に痕跡が残るようになるため、多様な溶剤の使用に対応することができる。
【０３８０】
また、第１溶剤使用表示部１４５０Ａ〜１４５０Ｄまたは第２溶剤使用表示部１４６０Ａ〜１４６０Ｄのいずれが溶解しているかによって、不正に使用された溶剤成分を特定しやすくなるため、特定された溶剤では溶解しにくい粘着剤を採用するなど、以後の不正対策に役立たせることができる。
【０３８１】
また、第２溶剤使用表示部１４６０Ａ〜１４６０Ｄは、長辺Ｌ１０及び短辺Ｌ２０に沿って枠状に延設されていることで、封印シール１４００のうち剥離されやすい縁部である長辺Ｌ１０及び短辺Ｌ２０に第２溶剤使用表示部１４６０Ａ〜１４６０Ｄが設けられることで、溶剤が使用された痕跡が残りやすい。
【０３８２】
また、封印シール１４００は、該封印シール１４００の粘着力を低下させるために所定の溶剤が用いられたときに発色する溶剤発色紙、つまり、予め混入されたマイクロカプセル４０１ａ，４０１ｂが溶剤Ａ，Ｂに接触することにより溶解して内封されている青色インクが流出することにより青色に発色するシール基材１４０１からなり、該シール基材１４０１は、該シール基材１４０１の経時変化（例えば、経年劣化）により発色する色（例えば、赤色）とは異なる色（例えば、青色）に発色することで、溶剤を使用して封印シール４００の粘着力を低下させたときにシール基材１４０１が発色する青色が、経時変化より発色する赤色とは異なることで、シール基材１４０１が溶剤により発色したものか経時変化により発色したものかを判断しやすくなるため、誤認が防止できる。
【０３８３】
また、図３３に示すように、シール基材１４０１の表面において、第１溶剤使用表示部１４５０Ａ〜１４５０Ｄ、第２溶剤使用表示部１４６０Ａ〜１４６０Ｄ、第１識別情報表示部１４５１、第２識別情報表示部１４５２、ホログラム表示部１４５３Ｂが設けられた右側方領域Ｒ１０は、カバー側封印部１２２４の右上貼付面１２２４ｂ及び右下貼付面１２２９ｂに位置し、ホログラム表示部１４５３Ａが設けられた前部領域Ｒ２０は、ベース側封印部１２２９の前貼付面１２２９ａに位置する。
【０３８４】
そして、封印シール１４００は、該封印シール１４００が基板ケース１２００におけるベース側封印部１２２９とカバー側封印部１２２４とに跨るように貼付されたときにカバー部材１２０２とベース部材１２０１との境界部Ｚに位置しない部分に第１溶剤使用表示部１４５０Ａ〜１４５０Ｄ及び第２溶剤使用表示部１４６０Ａ〜１４６０Ｄが印刷形成されていることで、封止状態としたときに第１溶剤使用表示部１４５０Ａ〜１４５０Ｄ及び第２溶剤使用表示部１４６０Ａ〜１４６０Ｄが境界部Ｚに掛かることがないので、例えば、遊技店において遊技制御基板４０の検査等のために封印シール１４００を破断して基板ケース１２００を開放したことにより第１溶剤使用表示部１４５０Ａ〜１４５０Ｄ及び第２溶剤使用表示部１４６０Ａ〜１４６０Ｄが破断してしまうことで、それ以前に溶剤と接触した痕跡が表れていたことが判りにくくなってしまうことが防止される。
【０３８５】
具体的には、本実施例２の基板ケース１２００は、ベース部材１２０１に対しカバー部材１２０２をスライドさせることにより開放することができることで、封印シール１４００が基板ケース１２００におけるベース側封印部１２２９とカバー側封印部１２２４とに跨るように貼付された第２封止状態において基板ケース１２００を開放すると、封印シール１４００における境界部Ｚに対応する部分が破断しやすい。よって、封印シール１４００において、ベース側封印部１２２９とカバー側封印部１２２４と貼付したときに境界部Ｚに掛かる（対応する）部分に第１溶剤使用表示部１４５０Ａ〜１４５０Ｄ及び第２溶剤使用表示部１４６０Ａ〜１４６０Ｄのいずれかが印刷されている場合、溶剤の使用により第１溶剤使用表示部１４５０Ａ〜１４５０Ｄまたは及び第２溶剤使用表示部１４６０Ａ〜１４６０Ｄが溶解されたとしても、例えば、遊技店において主基板１０３１の検査等のために基板ケース１２００を開放することで、封印シール１４００の境界部Ｚが破断してしまい、これに伴い溶剤使用表示部が消えて見えなくなっているのか破断により見えなくなっているのか判断し難くなるため、溶剤と接触した痕跡が表れていたことが判りにくくなってしまう。よって、ベース側封印部１２２９とカバー側封印部１２２４とに跨るように貼付されたときにカバー部材１２０２とベース部材１２０１との境界部Ｚに位置しない部分に第１溶剤使用表示部１４５０Ａ〜１４５０Ｄ及び第２溶剤使用表示部１４６０Ａ〜１４６０Ｄが印刷形成されている。
【０３８６】
また、封印シール１４００は、基板ケース１２００に貼付されたときに互いに同方向（右側方）を向く部分である右側方領域Ｒ１０に第１溶剤使用表示部１４５０Ａ〜１４５０Ｄ及び第２溶剤使用表示部１４６０Ａ〜１４６０Ｄと識別情報表示部としての第１識別情報表示部１４５１及び第２識別情報表示部１４５２とが配置されていることで、第１溶剤使用表示部１４５０Ａ〜１４５０Ｄ、第２溶剤使用表示部１４６０Ａ〜１４６０Ｄ及び第１識別情報表示部１４５１、第２識別情報表示部１４５２の双方を一緒に視認することができることで、第１溶剤使用表示部１４５０Ａ〜１４５０Ｄ、第２溶剤使用表示部１４６０Ａ〜１４６０Ｄと第１識別情報表示部１４５１及び第２識別情報表示部１４５２の確認作業を容易に行うことが可能となるため、作業負担を軽減できる。
【０３８７】
また、本実施例２では、溶剤使用表示部と識別情報表示部とは、封印シール１４００において、基板ケース１２００に貼付されたときに右側方を向く部分である右側方領域Ｒ１０に印刷されていたが、前部領域Ｒ２０に印刷されていてもよい。
【０３８８】
また、本実施例２では、右側方領域Ｒ１０に第１溶剤使用表示部１４５０Ａ〜１４５０Ｄと識別情報表示部としての第１識別情報表示部１４５１及び第２識別情報表示部１４５２とが配置されているが、識別情報表示部として少なくとも第１識別情報表示部１４５１及び第２識別情報表示部１４５２のうちいずれか一方のみが配置されていればよい。また、他の識別情報も配置されていてもよい。
【０３８９】
また、複数の貼付面に跨るように貼付されたときに一の貼付面と他の貼付面との間に形成される角部、具体的には、前貼付面１２２９ａと右下貼付面１２２９ｂとの間に形成される角部Ｃ１０（図３３（ａ）参照）に位置しない部分に第１溶剤使用表示部１４５０Ａ〜１４５０Ｄ及び第２溶剤使用表示部１４６０Ａ〜１４６０Ｄが配置されていることで（図３３（ａ）参照）、基板ケース１２００に貼付されたときに第１溶剤使用表示部１４５０Ａ〜１４５０Ｄ及び第２溶剤使用表示部１４６０Ａ〜１４６０Ｄが角部Ｃ１０に掛かることがないので、第１溶剤使用表示部１４５０Ａ〜１４５０Ｄ及び第２溶剤使用表示部１４６０Ａ〜１４６０Ｄの文字が屈曲することによって視認性が損なわれることを防止できる。
【０３９０】
また、本実施例２では、シール保護カバー１２２８は透明な合成樹脂材にて構成されていることで、シール保護カバー１２２８により被覆されている状態でも、該シール保護カバー１２２８を透して、溶剤使用表示部１４５０Ａ〜１４５０Ｄが消えたり薄くなっているかを確認することができるため、容易に確認することができる。
【０３９１】
また、図２４に示すように、本実施例２では、基板ケース１２００は、パチンコ遊技機１００１の背面略中央位置に取り付けられている。また、各種ケーブル１７００が接続される基板側コネクタ（図示略）が臨むコネクタ用開口１２３６は、基板ケース１２００の上辺部沿って配設されている。そして、主基板１０３１に接続されるこれらケーブル１７００は、例えば右側方の配線挿通部１７５０にまとめて挿通されている。
【０３９２】
すなわち、主基板１０３１に一端が接続されたケーブル１７００は、基板ケース１２００の右側方位置に配設された配線挿通部１７５０等の配線保持部に保持されるため、基板ケース１２００においてコネクタ用開口１２３６の下方位置に貼付された封印シール１４００に、ケーブル１７００等の配線が重なって封印シール１４００が隠れることがないようになっている。よって、封印シール１４００は、基板ケース１２００に封印シール１４００が貼付されたときにケーブル１７００などの配線と重ならない部分に溶剤使用表示部１４５０Ａ〜１４５０Ｄが配置されている。
【０３９３】
言い換えると、封印シール１４００は、基板ケース１２００に貼付されたときに、主基板１０３１の基板側コネクタと配線挿通部１７５０等の配線保持部とを結ぶ直線上に重ならない位置またはその近傍位置に配置されているため、第１溶剤使用表示部１４５０Ａ〜１４５０Ｄ及び第２溶剤使用表示部１４６０Ａ〜１４６０Ｄが配線により隠れて溶剤使用表示部１４５０Ａ〜１４５０Ｄの視認性が損なわれることが防止されている。
【０３９４】
尚、前記実施例１，２において、配線の一例として、遊技制御基板４０と他の中継基板を介して各種電気部品とを接続するケーブル６００ａ〜６００ｃ、６００ｋ、主基板１０３１と他の中継基板を介して各種電気部品とを接続するケーブル１７００とを記載したが、これら配線は、上記ケーブルに記載のものに限定されるものではなく、遊技機の背面側、つまり、スロットマシン１の筐体１ａの内部またはパチンコ遊技機１００１の背面に設置される複数の電気部品（例えば、各種スイッチ、センサ、ソレノイド、モータ、ＬＥＤ等）を電気的に接続する配線全てを含む。
【０３９５】
また、本実施例２では、封印シール１４００の所定箇所には、該封印シール１４００の強度が他の部分よりも低い脆弱部としての切り込み１４０８Ａ，１４０８Ｂが設けられていることで、封印シール１４００を剥離する際に切り込み１４０８Ａ，１４０８Ｂが破断しやすくなるので、溶剤により剥離した封印シール１４００を再度貼付するといった不正行為を抑制できる。
【０３９６】
また、本実施例２では、封印シール１４００は、各々の封印シール１４００を識別可能な識別情報であるシリアル番号などが目視にて読み取り可能に表示された第１識別情報表示部１４５１と、各々の封印シール４００を識別可能な識別情報である２次元バーコードなどが符号化されることにより所定の読取装置（図示略）にて読み取り可能な第２識別情報表示部１４５２と、を有することで、第１識別情報表示部１４５１とは別個に、所定の読取装置でしか読み取ることができない第２識別情報表示部１４５２が設けられていることで、第２識別情報表示部１４５２から識別情報を読み取ることが困難化され、封印シール１４００の偽造に手間がかかるようになるため、セキュリティ性が向上する。
【０３９７】
また、本実施例２では、ベース側封印部１２２９及びカバー側封印部１２２４からなる封印部の周囲には、貼付された封印シール１４００の周囲を囲むように周壁部である凸条１４１１，１４２１が形成されていることで、封印シール４００を剥離する際に周囲の凸条１４１１，１４２１が邪魔になって剥離しにくくなるため、溶剤により剥離した封印シール４００を再度貼付するといった不正行為を抑制できる。
【０３９８】
尚、本実施例２では、周壁部は凸条により形成されていたが、平面に形成された凹部を封印シール貼付部とすることで、該凹部の周面に周壁部を形成してもよい。
【０３９９】
また、本実施例２では、封印シール１４００は、各々の封印シールを識別可能な識別情報（例えば、シリアル番号など）を所定の電磁波により読み取り可能な電子タグ（ＩＣタグ）を備えていないが、このようにＩＣチップに記憶されているＩＤ情報を所定のリーダ装置により読み取ることが可能なＩＣタグを、封印シール１４００の例えば粘着剤層１４０２に埋設して設けてもよい。このようにすることで、識別情報の管理が容易になるとともに、識別情報を読み取るには所定の電磁波を利用しなければならなくなるので、封印シールの偽造に手間がかかるようになるため、セキュリティ性が向上する。
【０４００】
また、前記実施例１，２では、ベース部材２０１とカバー部材２０２とを封止状態とするために接合される接合部としてのベース側溶着板部２６１（１２６１）とカバー側溶着板部２７１（１２７１）との対向面同士を超音波溶着装置（溶着手段）による溶着にて接合していたが、本発明は溶着手段による溶着にて接合部が接合されるものに限定されるものではなく、例えば接着剤等の接着手段にて接着することにより接合するものであってもよい。
【０４０１】
また、前記実施例１，２では、ベース側貼付面またはカバー側貼付面に閉鎖ネジ２２６，１２２６の頭部を収容可能な凹部２２７ａ，１６１０ａを形成し、該凹部２２７ａ，１６１０ａ内に閉鎖ネジ２２６の頭部を収容した状態で開口部となる開口２２７ｂ，１６１０ｂを封印シール４００，１４００にて被覆していたが、このような凹部２２７ａ，１６１０ａを形成せずに、取付穴２２７，１６１０のみをベース側貼付面またはカバー側貼付面に形成してもよい。この場合、閉鎖ネジ２２６，１２２６を取付穴２２７，１６１０に取り付けた状態において、その頭部がベース側貼付面またはカバー側貼付面上に露呈した状態で配置されるため、開口部となる取付穴２２７，１６１０から露呈する露呈部位となる頭部を直接被覆するように封印シール４００，１４００を貼付すればよい。
【０４０２】
また、前記実施例１，２では、ベース側貼付面またはカバー側貼付面に跨るように封印シール４００，１４００を貼付することにより、基板ケース２００，１２００を開封したときに封印シール４００，１４００が破断することで開封した痕跡が残る第２封止状態を構成していたが、封止状態を構成する方法は上記のようにベース側貼付面またはカバー側貼付面に跨るように封印シール４００，１４００を貼付することに限定されるものではなく、例えば、ベース部材２０１とカバー部材２０２とを閉鎖状態に維持する閉鎖ネジを被覆するように封印シールを貼付することで、閉鎖ネジを外して開封したときには封印シールが破断してその痕跡が残るように封止状態を構成してもよい。つまり、この場合、ベース部材２０１及びカバー部材２０２のうち一方にのみ封印シールを貼付しなくても封止状態を構成することができる。
【０４０３】
また、前記実施例１，２では、本発明の封印シールの一例として、第１被覆体と第２被覆体とを封止する封印シール４００，１４００を記載したが、このように第１被覆体と第２被覆体とを封止する封印シールのみならず、例えば、回路基板が収納された基板ケースを所定の取付部から取り外されたときにその痕跡が残るように封止するための封印シールに適用してもよい。さらに、第１被覆体と第２被覆体とを封止し、かつ、回路基板が収納された基板ケースを所定の取付部から取り外されたときにその痕跡が残るように封止するための封印シールに適用してもよい。
【０４０４】
さらに、封印シール４００，１４００を貼付するベース側貼付面及びカバー側貼付面の形状は長方形状に限定されるものではなく、円形状や正方形状等、種々に変更可能である。また、ベース側貼付面及びカバー側貼付面の配置位置も基板ケース２００，１２００の短辺部ではなく、長辺部に配置されていてもよい。
【０４０５】
また、上記実施例１，２では、ベース側貼付面とカバー側貼付面とは、ベース部材２０１とベース部材２０１とが組み付けられた閉鎖状態において、互いに連続する一連の貼付面を構成するようになっていたが、互いに離間した状態で配置されてもよいし、ベース側貼付面とカバー側貼付面との間に段部が生じてもよい。また、ベース側貼付面とカバー側貼付面との境界位置はベース部材２０１とカバー部材２０２との境界位置と一致していなくてもよい。
【０４０６】
尚、上記実施例１，２では、シール保護カバー２２８，１２２８はベース部材及びカバー部材の双方またはいずれか一方に着脱自在に装着できるようになっていたが、貼付面に貼付される封印シールの表面を開閉可能に、ベース部材またはカバー部材のいずれか一方に予め設けられていてもよい。
【０４０７】
また、シール保護カバー２２８，１２２８は透明な合成樹脂材にて構成されているため、被覆した封印シール４００，１４００の表面をシール保護カバー２２８，１２２８を通して視認できるようになっていたが、非透光性部材にて構成されていてもよい。
【０４０８】
また、上記実施例１，２では、封印シールの位置決め部が、シール貼付面の周縁に沿って連続して延設される位置決め凸条４１１，４２１及び位置決め角部４１２，４２２にて構成されていたが、シール貼付面の周縁に沿って所定間隔おきに配設されていてもよい。
【０４０９】
さらに、封印シール及びシール貼付面は長方形状に形成されていたが、方形状に形成されていればよく、このような場合において上記一対の切欠辺は、互いに異なる方向を向くように配置されれば、封印シールの位置や向きを一度に決定できるため、四隅の角部のうち対角線上に対向配置される２つの角部に少なくとも形成されていてもよい。また、３つ以上の角部に形成されていてもよい。
【０４１０】
以上、本発明の実施例を図面により説明してきたが、本発明はこの実施例に限定されるものではなく、本発明の主旨を逸脱しない範囲における変更や追加があっても本発明に含まれることは言うまでもない。
【０４１１】
例えば、前記実施例１、２では、回路基板の一例としての遊技制御基板４０や主基板１０３１を収納する基板ケース２００，１２００を封止状態とするための封印シール４００，１４００について説明したが、遊技制御基板４０、主基板１０３１以外の演出制御基板９０，１０８０等の他の回路基板を収納する基板ケースを封止状態とする封印シールに本発明を適用してもよい。
【０４１２】
また、前記実施例では、遊技機の一例としてパチンコ遊技機が適用されていたが、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。
【符号の説明】
【０４１３】
１  スロットマシン
４０  遊技制御基板
２００  基板ケース
４００  封印シール
４５０Ａ〜４５０Ｄ  第１溶剤使用表示部
４６０Ａ〜４６０Ｄ  第２溶剤使用表示部
４５１  第１識別情報表示部
４５２  第２識別情報表示部
４５３Ａ、４５３Ｂ  ホログラム表示部
１００１  パチンコ遊技機
１０３１  主基板
１２００  主基板ケース
１４００  封印シール
１４５０Ａ〜１４５０Ｄ  第１溶剤使用表示部
１４６０Ａ〜１４６０Ｄ  第２溶剤使用表示部
１４５１  第１識別情報表示部
１４５２  第２識別情報表示部
【図１】
2014213184.tif 000003
【図２】
2014213184.tif 000004
【図３】
2014213184.tif 000005
【図４】
2014213184.tif 000006
【図５】
2014213184.tif 000007
【図６】
2014213184.tif 000008
【図７】
2014213184.tif 000009
【図８】
2014213184.tif 000010
【図９】
2014213184.tif 000011
【図１０】
2014213184.tif 000012
【図１１】
2014213184.tif 000013
【図１２】
2014213184.tif 000014
【図１３】
2014213184.tif 000015
【図１４】
2014213184.tif 000016
【図１５】
2014213184.tif 000017
【図１６】
2014213184.tif 000018
【図１７】
2014213184.tif 000019
【図１８】
2014213184.tif 000020
【図１９】
2014213184.tif 000021
【図２０】
2014213184.tif 000022
【図２１】
2014213184.tif 000023
【図２２】
2014213184.tif 000024
【図２３】
2014213184.tif 000025
【図２４】
2014213184.tif 000026
【図２５】
2014213184.tif 000027
【図２６】
2014213184.tif 000028
【図２７】
2014213184.tif 000029
【図２８】
2014213184.tif 000030
【図２９】
2014213184.tif 000031
【図３０】
2014213184.tif 000032
【図３１】
2014213184.tif 000033
【図３２】
2014213184.tif 000034
【図３３】
2014213184.tif 000035
【図３４】
2014213184.tif 000036